(57)【要約】  ＬＥＤ駆動回路はＬＥＤモジュールを駆動する。ＬＥＤモジュールは、発光ダイオードと、発光ダイオードの発光特性に関する特性情報を有する識別部と、を有する。ＬＥＤ駆動回路は検出部と駆動回路とを含む。検出部は、特性情報を検出するために設けられ、特性情報に応じた検出信号を生成する。駆動回路は、検出信号に基づく特性情報に応じて供給される駆動信号により駆動電流を生成し、駆動電流を供給して発光ダイオードを駆動する。
2018143282.tif 000002
【特許請求の範囲】
【請求項１】
発光ダイオードと、前記発光ダイオードの発光特性に関する特性情報を有する識別部を有するＬＥＤモジュールを駆動するＬＥＤ駆動回路であって、
前記特性情報を検出するために設けられ、前記特性情報に応じた検出信号を生成する検出部と、
前記検出信号に基づく前記特性情報に応じて供給される駆動信号により駆動電流を生成し、前記駆動電流を供給して前記発光ダイオードを駆動する駆動回路と、
を有する
ＬＥＤ駆動回路。
【請求項２】
前記ＬＥＤモジュールは、複数の前記発光ダイオードを有し、
前記特性情報は、前記複数の発光ダイオードによって作り出される出射光の色ランクに関する情報と、前記複数の発光ダイオードによって作り出される出射光の明るさに関する情報との少なくとも一方を含み、
前記駆動回路は、前記特性情報に基づく前記駆動電流を前記複数の発光ダイオードごとに生成し、前記駆動電流を供給して前記複数の発光ダイオードのそれぞれを駆動する
請求項１に記載のＬＥＤ駆動回路。
【請求項３】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、
前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項１に記載のＬＥＤ駆動回路。
【請求項４】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方を有し、
前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項１に記載のＬＥＤ駆動回路。
【請求項５】
前記識別部は、前記特性情報に応じた抵抗値の抵抗素子を有し、
前記検出部は、前記抵抗素子に電流を流した場合の電圧値により前記特性情報を検出する
請求項１〜４のいずれか一項に記載のＬＥＤ駆動回路。
【請求項６】
前記検出部は、
前記抵抗素子に応じた電圧を生成する検出回路と、
前記電圧を前記特性情報に変換する変換回路と、
を有する
請求項５に記載のＬＥＤ駆動回路。
【請求項７】
発光ダイオードを含むＬＥＤモジュールと、前記発光ダイオードを駆動するＬＥＤ駆動回路とを備えるＬＥＤ駆動装置において、
前記ＬＥＤモジュールは、前記発光ダイオードの発光特性に関する特性情報を有する識別部を有し、
前記ＬＥＤ駆動回路は、
前記特性情報を検出するために設けられ、前記特性情報に応じた検出信号を生成する検出部と、
前記検出信号に基づく前記特性情報に応じて供給される駆動信号により駆動電流を生成し、前記駆動電流を供給して前記発光ダイオードを駆動する駆動回路と、を有する
ＬＥＤ駆動装置。
【請求項８】
前記ＬＥＤモジュールは、複数の前記発光ダイオードを有し、
前記特性情報は、前記複数の発光ダイオードによって作り出される出射光の色ランクに関する情報と、前記複数の発光ダイオードによって作り出される出射光の明るさに関する情報の少なくとも一方を含み、
前記駆動回路は、前記特性情報に基づく前記駆動電流を前記複数の発光ダイオードごとに生成し、前記駆動電流を供給して前記複数の発光ダイオードのそれぞれを駆動する
請求項７に記載のＬＥＤ駆動装置。
【請求項９】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、
前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項７に記載のＬＥＤ駆動装置。
【請求項１０】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方を有し、
前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項７に記載のＬＥＤ駆動装置。
【請求項１１】
前記識別部は、前記特性情報に応じた抵抗値の抵抗素子を有し、
前記検出部は、前記抵抗素子に電流を流した場合の電圧値により前記特性情報を検出する
請求項７〜１０のいずれか一項に記載のＬＥＤ駆動装置。
【請求項１２】
前記検出部は、
前記抵抗素子に応じた電圧を生成する検出回路と、
前記電圧を前記特性情報に変換する変換回路と、
を有する
請求項１１に記載のＬＥＤ駆動装置。
【請求項１３】
前記抵抗素子の抵抗値は、１００Ω以上かつ１０ｋΩ以下である
請求項１１又は１２に記載のＬＥＤ駆動装置。
【請求項１４】
前記ＬＥＤモジュールは、前記発光ダイオードと前記識別部とを１パッケージ化したものである
請求項７〜１２のいずれか一項に記載のＬＥＤ駆動装置。
【請求項１５】
発光ダイオードを含むＬＥＤモジュールと、前記発光ダイオードを駆動するＬＥＤ駆動回路と、前記ＬＥＤ駆動回路を制御する制御装置と、を備えるＬＥＤ駆動システムにおいて、
前記ＬＥＤモジュールは、前記発光ダイオードの発光特性に関する特性情報を有する識別部を有し、
前記ＬＥＤ駆動回路は、前記特性情報を検出するために設けられ、前記特性情報に応じた検出信号を生成し、前記制御装置に出力する検出部と、前記発光ダイオードを駆動する駆動回路と、を有し、
前記制御装置は、前記検出信号に基づく前記特性情報に応じた駆動信号を生成し、前記駆動信号を前記駆動回路に出力し、
前記駆動回路は、前記駆動信号により駆動電流を生成し、前記駆動電流を供給して前記発光ダイオードを駆動する
ＬＥＤ駆動システム。
【請求項１６】
前記ＬＥＤモジュールは、複数の前記発光ダイオードを有し、
前記特性情報は、前記複数の発光ダイオードによって作り出される出射光の色ランクに関する情報と、前記複数の発光ダイオードによって作り出される出射光の明るさに関する情報との少なくとも一方を含み、
前記制御装置は、前記特性情報に応じた前記駆動信号を前記複数の発光ダイオードごとに生成し、前記駆動信号を前記駆動回路に出力し、
前記駆動回路は、前記駆動信号により前記複数の発光ダイオードごとの前記駆動電流を生成し、前記駆動電流を供給して前記複数の発光ダイオードのそれぞれを駆動する
請求項１５に記載のＬＥＤ駆動システム。
【請求項１７】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、
前記制御装置は、前記特性情報に応じて前記第１発光ダイオードを駆動するための第１駆動信号、前記第２発光ダイオードを駆動するための第２駆動信号、及び前記第３発光ダイオードを駆動するための第３駆動信号を生成し、前記第１駆動信号、前記第２駆動信号、及び前記第３駆動信号を前記駆動回路に出力し、
前記駆動回路は、前記第１駆動信号により前記第１発光ダイオードに供給するための第１駆動電流を生成し、前記第２駆動信号により前記第２発光ダイオードに供給するための第２駆動電流を生成し、前記第３駆動信号により前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項１５に記載のＬＥＤ駆動システム。
【請求項１８】
前記発光ダイオードは、赤色の光を発する第１発光ダイオード、緑色の光を発する第２発光ダイオード、及び青色の光を発する第３発光ダイオードを含み、
前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報の少なくとも一方を含み、
前記制御装置は、前記特性情報に応じて前記第１発光ダイオードを駆動するための第１駆動信号、前記第２発光ダイオードを駆動するための第２駆動信号、及び前記第３発光ダイオードを駆動するための第３駆動信号を生成し、前記第１駆動信号、前記第２駆動信号、及び前記第３駆動信号を前記駆動回路に出力し、
前記駆動回路は、前記第１駆動信号により前記第１発光ダイオードに供給するための第１駆動電流を生成し、前記第２駆動信号により前記第２発光ダイオードに供給するための第２駆動電流を生成し、前記第３駆動信号により前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動する
請求項１５に記載のＬＥＤ駆動システム。
【請求項１９】
前記識別部は、前記特性情報に応じた抵抗値の抵抗素子を有し、
前記検出部は、前記抵抗素子に接続され、前記抵抗素子に電流を流した場合の電圧値により前記特性情報を検出し、
前記制御装置は、前記検出部の前記電圧値に基づいて前記駆動信号を生成する
請求項１５〜１８のいずれか一項に記載のＬＥＤ駆動システム。
【請求項２０】
前記検出部は、
前記抵抗素子に応じた電圧を生成する検出回路と、
前記電圧を前記特性情報に変換する変換回路と、
を有する
請求項１９に記載のＬＥＤ駆動システム。
【請求項２１】
前記抵抗素子の抵抗値は、１００Ω以上かつ１０ｋΩ以下である
請求項１９又は２０に記載のＬＥＤ駆動システム。
【請求項２２】
前記検出部は、前記駆動回路によって前記発光ダイオードが駆動される前に前記特性情報を検出する
請求項１５〜２１のいずれか一項に記載のＬＥＤ駆動システム。
【請求項２３】
前記ＬＥＤモジュールは、前記発光ダイオードと前記識別部とを１パッケージ化したものである
請求項１５〜２２のいずれか一項に記載のＬＥＤ駆動システム。
【発明の詳細な説明】
【技術分野】
【０００１】
本発明は、ＬＥＤ駆動回路、ＬＥＤ駆動装置、及びＬＥＤ駆動システムに関する。
【背景技術】
【０００２】
１つ又は複数の発光ダイオード（ＬＥＤ）を安定に動作させるため、定電流駆動を行うＬＥＤ駆動回路が提案されている（例えば、特許文献１参照）。一方、ＬＥＤにおいて発光色や明るさにばらつきが生じることが知られている。【０００３】
また、１つ又は複数の発光ダイオード（ＬＥＤ）をパッケージ化したチップ部品としてのＬＥＤモジュールが提案されている（例えば、特許文献１参照）。このようなＬＥＤモジュールでは、搭載されるＬＥＤにおいて発光色や明るさにばらつきが生じることが知られている。
【先行技術文献】
【特許文献】
【０００４】
【特許文献１】特開２００５−３３８５３号公報
【特許文献２】特開２０１４−２２５５１１号公報
【発明の概要】
【発明が解決しようとする課題】
【０００５】
ところで、ＬＥＤ（ＬＥＤモジュール）を所望の色又は明るさで発光させることが求められる。このため、ＬＥＤ（ＬＥＤモジュール）を駆動するＬＥＤ駆動回路においてＬＥＤ（ＬＥＤモジュールに搭載されたＬＥＤ）に流す電流量を調整することが行われている。この調整作業は、作業者が複数のＬＥＤを発光させたときの出射光の色又は明るさを確認して各発光ダイオードに流す電流量を調整する。このように、複数のＬＥＤを発光させたときの出射光の色又は明るさを視覚で確認した情報、すなわち定量的なデータではない情報に基づいて調整作業が行われるため、複数のＬＥＤの出射光の色又は明るさが所望の色又は明るさになるまで繰り返し調整作業が行われる場合がある。なお、１つのＬＥＤの出射光の明るさを所望の明るさで発光させるため、ＬＥＤ駆動回路において１つのＬＥＤに流す電流量を調整する調整作業も同様に１つのＬＥＤの出射光の明るさが所望の明るさになるまで繰り返し行われる場合がある。【０００６】
本発明の目的は、所望の色又は明るさの光を容易に得ることができるＬＥＤ駆動回路、ＬＥＤ駆動装置、及びＬＥＤ駆動システムを提供することにある。
【課題を解決するための手段】
【０００７】
〔１〕上記課題を解決するＬＥＤ駆動回路は、発光ダイオードと、前記発光ダイオードの発光特性に関する特性情報を有する識別部を有するＬＥＤモジュールを駆動するＬＥＤ駆動回路であって、前記特性情報を検出するために設けられ、前記特性情報に応じた検出信号を生成する検出部と、前記検出信号に基づく前記特性情報に応じて供給される駆動信号により駆動電流を生成し、前記駆動電流を供給して前記発光ダイオードを駆動する駆動回路と、を有する。【０００８】
この構成によれば、識別部は、発光ダイオードの発光特性に応じた特性情報を有している。したがって、検出部によってＬＥＤモジュールから識別部の特性情報を読み出し、その特性情報に応じた駆動電流を駆動回路がＬＥＤモジュールに供給することによって、所望の色又は明るさの光が得られる。そして、ＬＥＤモジュールの識別部の特性情報を読み出すだけでよく、調整作業が不要となる。したがって、所望の色又は明るさの光を容易に得ることができる。【０００９】
〔２〕上記ＬＥＤ駆動回路において、前記ＬＥＤモジュールは、複数の前記発光ダイオードを有し、前記特性情報は、前記複数の発光ダイオードによって作り出される出射光の色ランクに関する情報と、前記複数の発光ダイオードによって作り出される出射光の明るさに関する情報との少なくとも一方を含み、前記駆動回路は、前記特性情報に基づく前記駆動電流を前記複数の発光ダイオードごとに生成し、前記駆動電流を供給して前記複数の発光ダイオードのそれぞれを駆動することが好ましい。【００１０】
この構成によれば、検出部によって複数の発光ダイオードによって作り出される出射光の色ランク及び明るさの少なくとも一方に関する特情報を検出するため、複数の発光ダイオードによって作り出される出射光の色ランク及び明るさの少なくとも一方に関する定量的な情報を取得可能である。そしてその情報に応じた駆動電流を駆動回路が複数の発光ダイオードのそれぞれに供給することによって、複数の発光ダイオードによって作り出される出射光の色むらが抑制され、所望の色及び明るさの少なくとも一方の光が得られる。【００１１】
〔３〕上記ＬＥＤ駆動回路において、前記発光ダイオードは、赤色の光を発する第１発光ダイオード、緑色の光を発する第２発光ダイオード、及び青色の光を発する第３発光ダイオードを含み、前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００１２】
この構成によれば、検出部によって第１，第２，第３発光ダイオードによって作り出される出射光の色ランク及び明るさの少なくとも一方に関する特性情報を検出するため、各発光ダイオードによって作り出される出射光の色ランク及び明るさの少なくとも一方に関する定量的な情報を取得可能である。そしてその情報に応じた駆動電流を駆動回路が第１，第２，第３発光ダイオードのそれぞれに供給することによって、各発光ダイオードによって作り出される出射光の色むらが抑制され、所望の色及び明るさの少なくとも一方の光が得られる。【００１３】
〔４〕上記ＬＥＤ駆動回路において、前記発光ダイオードは、赤色の光を発する第１発光ダイオード、緑色の光を発する第２発光ダイオード、及び青色の光を発する第３発光ダイオードを含み、前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方を有し、前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００１４】
この構成によれば、検出部によって第１，第２，第３発光ダイオードのそれぞれの出射光の色ランクの組合せ及び出射光の明るさの組合せの少なくとも一方に関する特性情報を検出するため、各発光ダイオードによって作り出される出射光の色ランク及び出射光の明るさに関する定量的な情報を取得可能である。そしてその情報に応じて駆動電流を駆動回路が第１，第２，第３発光ダイオードのそれぞれに供給することによって、各発光ダイオードによって作り出される出射光の色むらが抑制され、所望の色及び明るさの少なくとも一方の光が得られる。【００１５】
〔５〕上記ＬＥＤ駆動回路において、前記識別部は、前記特性情報に応じた抵抗値の抵抗素子を有し、前記検出部は、前記抵抗素子に電流を流した場合の電圧値により前記特性情報を検出することが好ましい。【００１６】
この構成によれば、抵抗素子に電流を流すことにより、発光ダイオードの発光特性に関する特性情報を検出することができる。したがって、特性情報を容易に検出することができる。【００１７】
〔６〕上記ＬＥＤ駆動回路において、前記検出部は、前記抵抗素子に応じた電圧を生成する検出回路と、前記電圧を前記特性情報に変換する変換回路と、を有することが好ましい。【００１８】
〔７〕上記課題を解決するＬＥＤ駆動装置は、発光ダイオードを含むＬＥＤモジュールと、前記発光ダイオードを駆動するＬＥＤ駆動回路とを備えるＬＥＤ駆動装置において、前記ＬＥＤモジュールは、前記発光ダイオードの発光特性に関する特性情報を有する識別部を有し、前記ＬＥＤ駆動回路は、前記特性情報を検出するために設けられ、前記特性情報に応じた検出信号を生成する検出部と、前記検出信号に基づく前記特性情報に応じて供給される駆動信号により駆動電流を生成し、前記駆動電流を供給して前記発光ダイオードを駆動する駆動回路と、を有する。【００１９】
この構成によれば、識別部は、発光ダイオードの発光特性に応じた特性情報を有している。したがって、検出部によってＬＥＤモジュールから識別部の特性情報を読み出し、その特性情報に応じた駆動電流を駆動回路がＬＥＤモジュールに供給することによって、所望の色又は明るさの光が得られる。そして、ＬＥＤモジュールの識別部の特性情報を読み出すだけでよく、調整作業が不要となる。したがって、所望の色又は明るさの光を容易に得ることができる。【００２０】
〔８〕上記ＬＥＤ駆動装置において、前記ＬＥＤモジュールは、複数の前記発光ダイオードを有し、前記特性情報は、前記複数の発光ダイオードによって作り出される出射光の色ランクに関する情報と、前記複数の発光ダイオードによって作り出される出射光の明るさに関する情報の少なくとも一方を含み、前記駆動回路は、前記特性情報に基づく前記駆動電流を前記複数の発光ダイオードごとに生成し、前記駆動電流を供給して前記複数の発光ダイオードのそれぞれを駆動することが好ましい。【００２１】
この構成によれば、検出部によって複数の発光ダイオードによって作り出される出射光の色ランク及び明るさの少なくとも一方に関する特性情報を検出するため、複数の発光ダイオードによって作り出される出射光の色ランク及び明るさの少なくとも一方に関する定量的な情報を取得可能である。そしてその情報に応じて駆動電流を駆動回路が複数の発光ダイオードのそれぞれに供給することによって、複数の発光ダイオードによって作り出される出射光の色むらが抑制され、所望の色及び明るさの少なくとも一方の光が得られる。【００２２】
〔９〕上記ＬＥＤ駆動装置において、前記発光ダイオードは、赤色の光を発する第１発光ダイオード、緑色の光を発する第２発光ダイオード、及び青色の光を発する第３発光ダイオードを含み、前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００２３】
この構成によれば、検出部によって第１，第２，第３発光ダイオードによって作り出される出射光の色ランク及び出射光の明るさの少なくとも一方に関する特性情報を検出するため、各発光ダイオードによって作り出される出射光の色ランク及び出射光の明るさの少なくとも一方に関する定量的な情報を取得可能である。そしてその情報に応じて駆動電流を駆動回路が第１，第２，第３発光ダイオードのそれぞれに供給することによって、各発光ダイオードによって作り出される出射光の色むらが抑制され、所望の色及び明るさの少なくとも一方の光が得られる。【００２４】
〔１０〕上記ＬＥＤ駆動装置において、前記発光ダイオードは、赤色の光を発する第１発光ダイオード、緑色の光を発する第２発光ダイオード、及び青色の光を発する第３発光ダイオードを含み、前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方を有し、前記駆動回路は、前記特性情報に基づく前記駆動電流として前記第１発光ダイオードに供給するための第１駆動電流、前記第２発光ダイオードに供給するための第２駆動電流、及び前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００２５】
この構成によれば、検出部によって第１，第２，第３発光ダイオードのそれぞれの色ランクの組合せ及び明るさの組合せの少なくとも一方に関する情報を検出するため、各発光ダイオードによって作り出される出射光の色ランク及び明るさの少なくとも一方に関する定量的な情報を取得可能である。そしてその情報に応じて駆動電流を駆動回路が第１，第２，第３発光ダイオードのそれぞれに供給することによって、各発光ダイオードによって作り出される出射光の色むらが抑制され、所望の色及び明るさの少なくとも一方の光が得られる。【００２６】
〔１１〕上記ＬＥＤ駆動装置において、前記識別部は、前記特性情報に応じた抵抗値の抵抗素子を有し、前記検出部は、前記抵抗素子に電流を流した場合の電圧値により前記特性情報を検出することが好ましい。【００２７】
この構成によれば、抵抗素子に電流を流すことにより、発光ダイオードの発光特性に関する特性情報を検出することができる。したがって、特性情報を容易に検出することができる。【００２８】
〔１２〕上記ＬＥＤ駆動装置において、前記検出部は、前記抵抗素子に応じた電圧を生成する検出回路と、前記電圧を前記特性情報に変換する変換回路と、を有することが好ましい。【００２９】
〔１３〕上記ＬＥＤ駆動装置において、前記抵抗素子の抵抗値は、１００Ω以上かつ１０ｋΩ以下であることが好ましい。
この構成によれば、複数種類の抵抗値の抵抗素子を用意しても、値が最も近い抵抗値間の差を大きくとることができるため、抵抗素子の抵抗値の識別を確実に行うことができる。【００３０】
〔１４〕上記ＬＥＤ駆動装置において、前記ＬＥＤモジュールは、前記発光ダイオードと前記識別部とを１パッケージ化したものであることが好ましい。
この構成によれば、ＬＥＤモジュールと識別部とが個別に設けられる場合に比べ、ＬＥＤ駆動装置の部品点数を少なくすることができる。【００３１】
〔１５〕上記課題を解決するＬＥＤ駆動システムは、発光ダイオードを含むＬＥＤモジュールと、前記発光ダイオードを駆動するＬＥＤ駆動回路と、前記ＬＥＤ駆動回路を制御する制御装置と、を備えるＬＥＤ駆動システムにおいて、前記ＬＥＤモジュールは、前記発光ダイオードの発光特性に関する特性情報を有する識別部を有し、前記ＬＥＤ駆動回路は、前記特性情報を検出するために設けられ、前記特性情報に応じた検出信号を生成し、前記制御装置に出力する検出部と、前記発光ダイオードを駆動する駆動回路と、を有し、前記制御装置は、前記検出信号に基づく前記特性情報に応じた駆動信号を生成し、前記駆動信号を前記駆動回路に出力し、前記駆動回路は、前記駆動信号により駆動電流を生成し、前記駆動電流を供給して前記発光ダイオードを駆動する。【００３２】
この構成によれば、制御装置は、発光ダイオードの発光特性に関する特性情報に基づいて所望の色又は明るさの光が得られるように駆動回路を制御する。このように、制御装置によって発光ダイオードの色又は明るさが所望の色又は明るさになるように自動的に設定される。このため、調整作業が不要となる。したがって、所望の色又は明るさの光を容易に得ることができる。【００３３】
〔１６〕上記ＬＥＤ駆動システムにおいて、前記ＬＥＤモジュールは、複数の前記発光ダイオードを有し、前記特性情報は、前記複数の発光ダイオードによって作り出される出射光の色ランクに関する情報と、前記複数の発光ダイオードによって作り出される出射光の明るさに関する情報との少なくとも一方を含み、前記制御装置は、前記特性情報に応じた前記駆動信号を前記複数の発光ダイオードごとに生成し、前記駆動信号を前記駆動回路に出力し、前記駆動回路は、前記駆動信号により前記複数の発光ダイオードごとの前記駆動電流を生成し、前記駆動電流を供給して前記複数の発光ダイオードのそれぞれを駆動することが好ましい。【００３４】
この構成によれば、制御装置は、複数の発光ダイオードによって作り出される出射光の色ランク及び出射光の明るさの少なくとも一方に関する特性情報に基づいて複数の発光ダイオードを駆動させる。このため、複数の発光ダイオードによって作り出される出射光の色むらが抑制され、所望の色及び明るさの少なくとも一方の光が得られる。【００３５】
〔１７〕上記ＬＥＤ駆動システムにおいて、前記発光ダイオードは、赤色の光を発する第１発光ダイオード、緑色の光を発する第２発光ダイオード、及び青色の光を発する第３発光ダイオードを含み、前記特性情報は、前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を含み、前記制御装置は、前記特性情報に応じて前記第１発光ダイオードを駆動するための第１駆動信号、前記第２発光ダイオードを駆動するための第２駆動信号、及び前記第３発光ダイオードを駆動するための第３駆動信号を生成し、前記第１駆動信号、前記第２駆動信号、及び前記第３駆動信号を前記駆動回路に出力し、前記駆動回路は、前記第１駆動信号により前記第１発光ダイオードに供給するための第１駆動電流を生成し、前記第２駆動信号により前記第２発光ダイオードに供給するための第２駆動電流を生成し、前記第３駆動信号により前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００３６】
この構成によれば、制御装置は、第１，第２，第３発光ダイオードによって作り出される出射光の色ランク及び出射光の明るさの少なくとも一方に関する特性情報に基づいて、各発光ダイオードを駆動させる。このため、各発光ダイオードによって作り出される出射光の色むらが抑制され、所望の色及び明るさの少なくとも一方の光が得られる。【００３７】
〔１８〕上記ＬＥＤ駆動システムにおいて、前記発光ダイオードは、赤色の光を発する第１発光ダイオード、緑色の光を発する第２発光ダイオード、及び青色の光を発する第３発光ダイオードを含み、前記特性情報は、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報の少なくとも一方を含み、前記制御装置は、前記特性情報に応じて前記第１発光ダイオードを駆動するための第１駆動信号、前記第２発光ダイオードを駆動するための第２駆動信号、及び前記第３発光ダイオードを駆動するための第３駆動信号を生成し、前記第１駆動信号、前記第２駆動信号、及び前記第３駆動信号を前記駆動回路に出力し、前記駆動回路は、前記第１駆動信号により前記第１発光ダイオードに供給するための第１駆動電流を生成し、前記第２駆動信号により前記第２発光ダイオードに供給するための第２駆動電流を生成し、前記第３駆動信号により前記第３発光ダイオードに供給するための第３駆動電流を生成し、前記第１駆動電流、前記第２駆動電流、及び前記第３駆動電流を供給して前記第１発光ダイオード、前記第２発光ダイオード、及び前記第３発光ダイオードのそれぞれを駆動することが好ましい。【００３８】
この構成によれば、制御装置は、第１，第２，第３発光ダイオードのそれぞれの色ランクの組合せ及び明るさの組合せの少なくとも一方に関する特性情報に基づいて、各発光ダイオードを駆動させる。このため、各発光ダイオードによって作り出される出射光の色むらが抑制され、所望の色及び明るさの少なくとも一方の光が得られる。【００３９】
〔１９〕上記ＬＥＤ駆動システムにおいて、前記識別部は、前記特性情報に応じた抵抗値の抵抗素子を有し、前記検出部は、前記抵抗素子に接続され、前記抵抗素子に電流を流した場合の電圧値により前記特性情報を検出し、前記制御装置は、前記検出部の前記電圧値に基づいて前記駆動信号を生成することが好ましい。【００４０】
この構成によれば、抵抗素子に電流を流すことにより、発光ダイオードの発光特性に関する特性情報を検出することができる。したがって、特性情報を容易に検出することができる。【００４１】
〔２０〕上記ＬＥＤ駆動システムにおいて、前記検出部は、前記抵抗素子に応じた電圧を生成する検出回路と、前記電圧を前記特性情報に変換する変換回路と、を有することが好ましい。【００４２】
〔２１〕上記ＬＥＤ駆動システムにおいて、前記抵抗素子の抵抗値は、１００Ω以上かつ１０ｋΩ以下であることが好ましい。
この構成によれば、複数種類の抵抗値の抵抗素子を用意しても、値が最も近い抵抗値間の差を大きくとることができる。このため、抵抗素子の抵抗値の識別を確実に行うことができる。【００４３】
〔２２〕上記ＬＥＤ駆動回路において、前記検出部は、前記駆動回路によって前記発光ダイオードが駆動される前に前記特性情報を検出することが好ましい。
この構成によれば、駆動回路によって発光ダイオードの駆動が開始されるときから発光ダイオードの色又は明るさを所望の色又は明るさにすることができる。【００４４】
〔２３〕上記ＬＥＤ駆動システムにおいて、前記ＬＥＤモジュールは、前記発光ダイオードと前記識別部とを１パッケージ化したものであることが好ましい。
この構成によれば、ＬＥＤモジュールと識別部とが個別に設けられる場合に比べ、ＬＥＤ駆動システムの部品点数を少なくすることができる。【００４５】
〔２４〕更なる態様にかかるＬＥＤモジュールは、複数の発光ダイオードと、前記発光ダイオードのアノードに接続されるアノード側電極と、前記発光ダイオードのカソードに接続されるカソード側電極と、受動素子と、前記発光ダイオード、前記アノード側電極、前記カソード側電極、及び前記受動素子を支持する支持部材と、前記複数の発光ダイオードを覆う透光性の保護部材と、を有する。【００４６】
この構成によれば、受動素子が発光ダイオードの発光特性に応じた特性値を有する場合には、ＬＥＤモジュールから受動素子の特性値を読み出し、その特性値に応じた電流をＬＥＤモジュールに供給することによって、所望の色又は明るさの光が得られる。そして、ＬＥＤモジュールに収容された受動素子の特性値を読み出すだけでよく、調整作業が不要となる。したがって、所望の色又は明るさの光を容易に得ることができる。【００４７】
〔２５〕上記ＬＥＤモジュールにおいて、前記受動素子は、発光特性として前記複数の発光ダイオードによって作り出される出射光の色ランク及び明るさの少なくとも一方に関する情報に応じた特性値を有することが好ましい。【００４８】
この構成によれば、受動素子が複数の発光ダイオードによって作り出される出射光の色ランク及び明るさの少なくとも一方に関する情報に応じた特性値を有するため、出射光の色ランク及び明るさの少なくとも一方に関する定量的な情報を取得可能である。そしてその情報に応じた電流を複数の発光ダイオードのそれぞれに供給することによって所望の色及び明るさの少なくとも一方の光が得られる。【００４９】
〔２６〕上記ＬＥＤモジュールにおいて、前記発光ダイオードは、赤色の光を発する第１発光ダイオード、緑色の光を発する第２発光ダイオード、及び青色の光を発する第３発光ダイオードを含み、前記アノード側電極は、前記第１発光ダイオードのアノードに接続される第１アノード側電極、前記第２発光ダイオードのアノードに接続される第２アノード側電極、及び前記第３発光ダイオードのアノードに接続される第３アノード側電極を含み、前記カソード側電極は、前記第１発光ダイオードのカソードに接続される第１カソード側電極、前記第２発光ダイオードのカソードに接続される第２カソード側電極、及び前記第３発光ダイオードのカソードに接続される第３カソード側電極を含むことが好ましい。【００５０】
この構成によれば、第１，第２，第３発光ダイオードによって任意の色の出射光を得ることができる。そして、第１，第２，第３発光ダイオードを同時に駆動することによって、白色光を得ることができる。【００５１】
〔２７〕上記ＬＥＤモジュールにおいて、前記受動素子は、発光特性として前記第１発光ダイオード、前記第２発光ダイオード、及び前記第３発光ダイオードによって作り出される出射光の色ランク及び明るさの少なくとも一方に関する情報に応じた特性値を有することが好ましい。【００５２】
この構成によれば、受動素子が第１，第２，第３発光ダイオードによって作り出される出射光の色ランク及び明るさの少なくとも一方に関する情報に応じた特性値を有するため、出射光の色ランク及び明るさの少なくとも一方に関する定量的な情報を取得可能である。そしてその情報に応じた電流を第１，第２，第３発光ダイオードのそれぞれに供給することによって、所望の色及び明るさの少なくとも一方の光が得られる。【００５３】
〔２８〕上記ＬＥＤモジュールにおいて、前記第１アノード側電極、前記第２アノード側電極、及び前記第３アノード側電極は、前記支持部材の第１の方向における一方寄りに配置され、かつ当該ＬＥＤモジュールの平面視において前記第１の方向と直交する第２の方向に間隔を空けて配置され、前記第１カソード側電極、前記第２カソード側電極、及び前記第３カソード側電極は、前記支持部材の前記第１の方向における他方寄りに配置され、かつ前記第２の方向に間隔を空けて配置され、前記第１発光ダイオードは、前記第１アノード側電極及び前記第１カソード側電極のうちのいずれかに支持され、前記第２発光ダイオードは、前記第２アノード側電極及び前記第２カソード側電極のうちのいずれかに支持され、前記第３発光ダイオードは、前記第３アノード側電極及び前記第３カソード側電極のうちのいずれかに支持されていることが好ましい。【００５４】
〔２９〕上記ＬＥＤモジュールにおいて、前記第２の方向において前記第２アノード側電極及び前記第３アノード側電極の間に前記第１アノード側電極が配置され、前記第２の方向において前記第２カソード側電極及び前記第３カソード側電極の間に前記第１カソード側電極が配置され、前記第１発光ダイオードは、前記第１アノード側電極に支持され、前記第２発光ダイオードは、前記第２カソード側電極に支持され、前記第３発光ダイオードは、前記第３カソード側電極に支持されていることが好ましい。【００５５】
この構成によれば、第１発光ダイオード、第２発光ダイオード、及び第３発光ダイオードを互いに近くに配置することができる。したがって、第１，第２，第３発光ダイオードの混色性を高めることができる。【００５６】
〔３０〕上記ＬＥＤモジュールにおいて、前記第１発光ダイオードに逆並列に接続されるツェナーダイオードと、前記第２発光ダイオードに逆並列に接続されるツェナーダイオードと、前記第３発光ダイオードに逆並列に接続されるツェナーダイオードと、の少なくとも１つをさらに含むことが好ましい。【００５７】
この構成によれば、第１，第２，第３発光ダイオードのうちのツェナーダイオードが逆並列された発光ダイオードに過電圧が印加されることを回避できる。
〔３１〕上記ＬＥＤモジュールにおいて、前記第２発光ダイオードに逆並列に接続されるツェナーダイオードを第１のツェナーダイオードとし、前記第３発光ダイオードに逆並列に接続されるツェナーダイオードを第２のツェナーダイオードとしたとき、前記第１のツェナーダイオードは、前記第２アノード側電極に支持され、前記第２のツェナーダイオードは、前記第３アノード側電極に支持されていることが好ましい。【００５８】
〔３２〕上記ＬＥＤモジュールにおいて、前記受動素子を支持する支持電極をさらに含むことが好ましい。
〔３３〕上記ＬＥＤモジュールにおいて、前記支持電極は、前記受動素子と電気的に接続され、前記支持電極の一部は、前記支持部材から露出していることが好ましい。【００５９】
この構成によれば、支持電極を介して受動素子の特性値を容易に取り出すことができる。
〔３４〕上記ＬＥＤモジュールにおいて、前記支持電極は、前記第１の方向において間隔を空けて配置された第１支持電極及び第２支持電極を含み、前記受動素子は、前記第１支持電極及び前記第２支持電極に跨るように配置され、前記第１支持電極及び前記第２支持電極に電気的に接続されていることが好ましい。【００６０】
〔３５〕上記ＬＥＤモジュールにおいて、前記第１支持電極は、前記支持部材の第１の方向における一方寄りに配置され、かつ前記第２の方向において前記第１アノード側電極、前記第２アノード側電極、及び前記第３アノード側電極のそれぞれと間隔を空けて配置され、前記第２支持電極は、前記支持部材の第１の方向における他方寄りに配置され、かつ前記第２の方向において前記第１カソード側電極、前記第２カソード側電極、及び前記第３カソード側電極のそれぞれと間隔を空けて配置されていることが好ましい。【００６１】
この構成によれば、ＬＥＤモジュールの平面視において第１支持電極及び第２支持電極が各アノード側電極と各カソード側電極とは異なる位置に配置されるため、ＬＥＤモジュールの高さ寸法を小さくすることができる。【００６２】
〔３６〕上記ＬＥＤモジュールにおいて、前記第１支持電極は、前記第２の方向において前記第１アノード側電極、前記第２アノード側電極、及び前記第３アノード側電極のそれぞれよりも一方側に配置され、前記第２支持電極は、前記第２の方向において前記第１カソード側電極、前記第２カソード側電極、及び前記第３カソード側電極のそれぞれよりも一方側に配置されていることが好ましい。【００６３】
この構成によれば、第１支持電極が第１，第２，第３アノード側電極のうちの隣り合うアノード側電極の間に配置されないため、第１，第２，第３アノード側電極のうちの隣り合うアノード側電極の間の距離が長くなることが抑制される。第２支持電極が第１，第２，第３カソード側電極のうちの隣り合うカソード側電極の間に配置されないため、第１，第２，第３カソード側電極のうちの隣り合うカソード側電極の間の距離が長くなることが抑制される。したがって、第１，第２，第３発光ダイオードを互いに近づけることができるため、混色性を高めることができる。【００６４】
〔３７〕上記ＬＥＤモジュールにおいて、前記第１支持電極は、前記支持部材の外側に突出する第１端子部と、前記受動素子を支持する第１支持部とを有し、前記第２支持電極は、前記支持部材の外側に突出する第２端子部と、前記受動素子を支持する第２支持部とを有し、前記第１支持部の幅は、前記第１端子部の幅よりも大きく、前記第２支持部の幅は、前記第２端子部の幅よりも大きいことが好ましい。【００６５】
この構成によれば、受動素子を支持する第１支持部及び第２支持部の幅が大きいため、第１支持部及び第２支持部に受動素子を取り付け易くなる。したがって、支持電極への受動素子の取り付けの作業性が高められる。【００６６】
〔３８〕上記ＬＥＤモジュールにおいて、前記第１支持電極は、前記第１端子部が前記支持部材の裏面から露出し、かつ前記第１支持部が前記支持部材の裏面から露出せず、前記第２支持電極は、前記第２端子部が前記支持部材の裏面から露出し、かつ前記第２支持部が前記支持部材の裏面から露出しないことが好ましい。【００６７】
この構成によれば、支持部材の裏面から第１端子部及び第２端子部のみが露出するため、第１の方向において、第１支持電極における支持部材の裏面から露出する部分と第２支持電極における支持部材の裏面から露出する部分との間の距離を長くすることができる。したがって、第１支持電極と第２支持電極との電気的絶縁性を高めることができる。【００６８】
〔３９〕上記ＬＥＤモジュールにおいて、前記支持部材には、前記発光ダイオードを囲む第１開口部と、前記受動素子を囲む第２開口部とが形成されていることが好ましい。
この構成によれば、第１開口部の中央付近に発光ダイオードを位置させ易くなる。【００６９】
〔４０〕上記ＬＥＤモジュールにおいて、前記受動素子は、前記支持部材の高さ方向において前記支持部材の裏面と前記アノード側電極及び前記カソード側電極との間において前記支持部材に埋め込まれていることが好ましい。【００７０】
この構成によれば、発光ダイオード、アノード側電極、及びカソード側電極の少なくともいずれか１つと重なる位置に受動素子を配置することができる。したがって、ＬＥＤモジュールの平面視において、ＬＥＤモジュールのサイズを小さくすることができる。【００７１】
〔４１〕上記ＬＥＤモジュールにおいて、前記アノード側電極は、前記支持部材の第１の方向における一方側の端部に配置され、前記支持部材の裏面から露出するアノード端子部と、前記アノード端子部から前記支持部材の第１の方向における他方側に延びるアノード支持部と、を有し、前記カソード側電極は、前記支持部材の第１の方向における他方側の端部に配置され、前記支持部材の裏面から露出するカソード端子部と、前記カソード端子部から前記支持部材の第１の方向における一方側に延びるカソード支持部と、を有し、前記アノード支持部の厚さは、前記アノード端子部の厚さよりも薄く、前記カソード支持部の厚さは、前記カソード端子部の厚さよりも薄く、前記受動素子は、前記第１の方向において前記アノード端子部と前記カソード端子部との間に配置され、かつ前記ＬＥＤモジュールの平面視において前記アノード支持部及び前記カソード支持部の少なくとも一方と重なる位置に配置されていることが好ましい。【００７２】
この構成によれば、ＬＥＤモジュールの平面視において、受動素子は、アノード端子部よりも薄いアノード支持部、及びカソード端子部よりも薄いカソード支持部の少なくとも一方と重なる位置に配置されるため、ＬＥＤモジュールの高さ寸法を小さくすることができる。【００７３】
〔４２〕上記ＬＥＤモジュールにおいて、前記受動素子の第１端子と電気的に接続された第１検出端子と、前記受動素子の第２端子と電気的に接続された第２検出端子と、をさらに有し、前記第１検出端子及び前記第２検出端子は、前記第１の方向において前記アノード端子部と前記カソード端子部との間に配置され、かつ当該ＬＥＤモジュールの平面視において前記第１の方向と直交する第２の方向において隙間を空けて配置されて前記支持部材の裏面から露出し、前記受動素子は、前記第２の方向において、前記第１検出端子と前記第２検出端子との間に配置されていることが好ましい。【００７４】
この構成によれば、第１検出端子、第２検出端子、及び受動素子が第２の方向に並べられるため、第１の方向における第１検出端子、第２検出端子、及び受動素子の配置スペースを小さくすることができる。したがって、ＬＥＤモジュールの第１の方向のサイズを小さくすることができる。【００７５】
〔４３〕上記ＬＥＤモジュールにおいて、前記第１検出端子及び前記第２検出端子は、前記ＬＥＤモジュールの平面視において前記アノード支持部及び前記カソード支持部の少なくとも一方と重なる位置に配置されていることが好ましい。【００７６】
この構成によれば、第１検出端子及び第２検出端子が第２の方向におけるアノード支持部とカソード支持部との間に配置される構造に比べ、ＬＥＤモジュールの第２の方向のサイズを小さくすることができる。【００７７】
〔４４〕上記ＬＥＤモジュールにおいて、前記受動素子と前記第１検出端子とは、第１配線により接続され、前記受動素子と前記第２検出端子とは、第２配線により接続され、前記第１配線及び前記第２配線は、前記支持部材の裏面から露出していないことが好ましい。【００７８】
この構成によれば、第１検出端子と第２検出端子との間の距離を長くすることができる。したがって、第１検出端子と第２検出端子との電気的絶縁性を高めることができる。
〔４５〕上記ＬＥＤモジュールにおいて、前記受動素子は、前記第２カソード側電極及び前記第３カソード側電極を跨るように配置され、前記第２カソード側電極及び前記第３カソード側電極に電気的に接続されていることが好ましい。【００７９】
この構成によれば、第２カソード側電極及び第３カソード側電極によって受動素子が支持されるため、受動素子を支持するための専用の電極を省略することができる。したがって、ＬＥＤモジュールの部品点数を少なくすることができる。加えて、ＬＥＤモジュールの平面視において、受動素子が第２カソード側電極及び第３カソード側電極に重なる位置に配置されるため、ＬＥＤモジュールのサイズを小さくすることができる。【００８０】
〔４６〕上記ＬＥＤモジュールにおいて、前記受動素子は、前記第２カソード側電極及び前記第３カソード側電極の表裏に対して前記第２発光ダイオード及び前記第３発光ダイオードが配置される側とは反対側に配置されていることが好ましい。【００８１】
〔４７〕上記ＬＥＤモジュールにおいて、前記受動素子は、抵抗素子であることが好ましい。
この構成によれば、抵抗素子に電流を流すことにより抵抗値を演算できるため、その抵抗値から発光ダイオードの発光特性を容易に得ることができる。【００８２】
〔４８〕上記ＬＥＤモジュールにおいて、前記抵抗素子の抵抗値は、１００Ω以上かつ１０ｋΩ以下の範囲であることが好ましい。
この構成によれば、複数種類の抵抗値の抵抗素子を用意しても、値が最も近い抵抗値間の差を大きくとることができる。このため、抵抗素子の抵抗値の識別を確実に行うことができる。【００８３】
〔４９〕上記課題を解決するＬＥＤ駆動装置は、上記〔１〕〜〔２５〕のいずれか一つに記載のＬＥＤモジュールと、前記ＬＥＤモジュールを駆動するＬＥＤ駆動回路と、を有する。【００８４】
この構成によれば、上記ＬＥＤモジュールと同様の効果が得られる。
〔５０〕上記課題を解決するＬＥＤ駆動システムは、上記ＬＥＤ駆動装置と、前記ＬＥＤ駆動装置を制御する制御装置と、を有する。【００８５】
この構成によれば、上記ＬＥＤモジュールと同様の効果が得られる。
【発明の効果】
【００８６】
上記ＬＥＤ駆動回路、上記ＬＥＤモジュール、ＬＥＤ駆動装置、及びＬＥＤ駆動システムによれば、所望の色又は明るさの光を容易に得ることができる。
【図面の簡単な説明】
【００８７】
【図１】ＬＥＤ駆動システムの第１実施形態の概略構成図。
【図２】ＬＥＤモジュール及びＬＥＤ駆動回路の回路図。
【図３】ＬＥＤモジュールの出射光の色ランクを示すｘｙ色度図。
【図４】ＬＥＤモジュールを駆動する手順を示すシーケンス図。
【図５】ＬＥＤモジュールの平面図。
【図６】ＬＥＤモジュールの底面図。
【図７Ａ】図５の７Ａ−７Ａの断面指示線で切った断面図。
【図７Ｂ】図５の７Ｂ−７Ｂ線の断面指示線で切った断面図。
【図７Ｃ】図５の７Ｃ−７Ｃ線の断面指示線で切った断面図。
【図７Ｄ】図５の７Ｄ−７Ｄ線の断面指示線で切った断面図。
【図８】ＬＥＤモジュールの製造方法を示すフローチャート。
【図９Ａ】リード製造工程を示す金属板の平面図。
【図９Ｂ】リード製造工程を示す金属板の平面図。
【図９Ｃ】リード製造工程を示す金属板の平面図。
【図９Ｄ】チップ実装工程を示す金属板の平面図。
【図９Ｅ】ワイヤ接続工程を示す金属板の平面図。
【図９Ｆ】ケース成形工程を示す金属板の平面図。
【図１０】ＬＥＤ駆動システムの第３実施形態の概略構成図。
【図１１】ＬＥＤモジュールの平面図。
【図１２】ＬＥＤ駆動システムの第４実施形態におけるＬＥＤモジュールの平面図。
【図１３】ＬＥＤモジュールの底面図。
【図１４Ａ】図１２の１４Ａ−１４Ａの断面指示線で切った断面図。
【図１４Ｂ】図１２の１４Ｂ−１４Ｂの断面指示線で切った断面図。
【図１５】ＬＥＤ駆動システムの第５実施形態の概略構成図。
【図１６】ＬＥＤモジュールの平面図。
【図１７Ａ】変形例のＬＥＤモジュールの平面図。
【図１７Ｂ】変形例のＬＥＤモジュールの平面図。
【図１８】変形例のＬＥＤモジュールの平面図。
【図１９】図１８の１９−１９の断面指示線で切った断面図。
【図２０】図１９の変形例のＬＥＤモジュールの断面図。
【図２１】変形例のＬＥＤ駆動回路の一部の回路図。
【発明を実施するための形態】
【００８８】
以下、ＬＥＤ（light emitting diode）モジュール、ＬＥＤ駆動回路、ＬＥＤ駆動装置、及びＬＥＤ駆動システムの実施形態について図面を参照して説明する。以下に示す実施形態は、技術的思想を具体化するための構成や方法を例示するものであって、各構成部品の材質、形状、構造、配置、寸法等を下記のものに限定するものではない。以下の実施形態は、特許請求の範囲内において、種々の変更を加えることができる。
【００８９】
（第１実施形態）
〔ＬＥＤ駆動システム〕
図１に示すように、ＬＥＤ駆動システム１は、ＬＥＤ駆動装置１０と制御装置４０とを有する。制御装置４０は、ＬＥＤ駆動装置１０を制御する。ＬＥＤ駆動装置１０は、ＬＥＤモジュール２０とＬＥＤ駆動回路３０とを有する。ＬＥＤ駆動回路３０は、ＬＥＤモジュール２０を駆動する。このＬＥＤ駆動システム１は、例えばアミューズメント機器及びゲーム機器の液晶パネルのバックライト、車両のメータパネルの光源等に用いられる。
【００９０】
ＬＥＤモジュール２０は、直流電源２に接続されている。ＬＥＤモジュール２０は、赤色の光を発する第１発光ダイオード２１Ｒ、緑色の光を発する第２発光ダイオード２１Ｇ、及び青色の光を発する第３発光ダイオード２１Ｂを有する。このＬＥＤモジュール２０は、各発光ダイオード２１Ｒ，２１Ｇ，２１Ｂの単体の出射光、２つの発光ダイオードの出射光を混合した色の光、及び３つの発光ダイオードの出射光を混合した白色の光を出射する。
【００９１】
ＬＥＤモジュール２０は、各発光ダイオード２１Ｒ，２１Ｇ，２１Ｂの発光特性、例えば各発光ダイオード２１Ｒ，２１Ｇ，２１Ｂによって作り出される出射光の色ランクに関する特性情報を有する識別部５０を有する。ＬＥＤモジュール２０は、各発光ダイオード２１Ｒ，２１Ｇ，２１Ｂと識別部５０とを１パッケージ化したものである。本実施形態では、第１，第２，第３発光ダイオード２１Ｒ，２１Ｇ，２１Ｂと識別部５０とは電気的に絶縁されている。識別部５０は、各発光ダイオード２１Ｒ，２１Ｇ，２１Ｂの発光特性に応じた特性値を有する受動素子の一例である抵抗素子５１を有する。すなわち抵抗素子５１は、各発光ダイオード２１Ｒ，２１Ｇ，２１Ｂの発光特性に応じた抵抗値を有する。
【００９２】
ＬＥＤ駆動回路３０は、ＬＥＤモジュール２０を介して直流電源２に接続されている。ＬＥＤ駆動回路３０は、ＬＥＤモジュール２０の各発光ダイオード２１Ｒ，２１Ｇ，２１Ｂの駆動制御を個別に行う。ＬＥＤ駆動回路３０は、各発光ダイオード２１Ｒ，２１Ｇ，２１Ｂに流す電流量を制御する駆動回路３１と、識別部５０の特性情報を検出するための検出部３２とを含む。駆動回路３１は、各発光ダイオード２１Ｒ，２１Ｇ，２１Ｂのそれぞれに電気的に接続されている。検出部３２は、識別部５０及び制御装置４０と電気的に接続されている。検出部３２は、特性情報に応じた検出信号を生成する。検出部３２は、識別部５０に電気的に接続されている検出回路３２Ｘと、検出回路３２Ｘによるアナログ信号（検出信号）をデジタル変換する変換回路の一例であるＡ／Ｄ変換部３２Ｙとを含む。検出回路３２Ｘは、抵抗素子５１に応じた電圧を生成する。Ａ／Ｄ変換部３２Ｙは、検出回路３２Ｘに電気的に接続されている。Ａ／Ｄ変換部３２Ｙは、検出回路３２Ｘによって生成された電圧を特性情報に変換する。本実施形態では、Ａ／Ｄ変換部３２Ｙは、検出回路３２Ｘにより得られる情報（電圧）をデジタル信号（特性情報）として制御装置４０に出力する。
【００９３】
制御装置４０は、駆動回路３１及び検出部３２に電気的に接続されている。制御装置４０は、検出部３２の検出結果に基づいて駆動回路３１を制御する。本実施形態では、制御装置４０は、駆動回路３１に対してＰＷＭ制御を行う。制御装置４０は、演算処理部４１及び記憶部４２を含む。演算処理部４１は、予め定められた制御プログラムを実行する。演算処理部４１は、例えばＣＰＵ（Central Processing Unit）又はＭＰＵ（Micro Processing Unit）を含む。記憶部４２には、各種の制御プログラム、複数の動作モード、及び各種の制御処理に用いられる情報が記憶されている。記憶部４２は、例えばＲＡＭ（Random access memory）及びＲＯＭ（Read only memory）を含む。
【００９４】
制御装置４０は、動作モードとして、単色発光モード、混色発光モード、及び白色発光モードの３つのモードを有する。単色発光モードは、第１，第２，第３発光ダイオード２１Ｒ，２１Ｇ，２１Ｂのうちの１つを発光させるモードである。混色発光モードは、第１，第２，第３発光ダイオード２１Ｒ，２１Ｇ，２１Ｂのうちの２つの発光ダイオードを発光させるモードである。白色発光モードは、第１，第２，第３発光ダイオード２１Ｒ，２１Ｇ，２１Ｂの全てを発光させるモードである。これにより、ＬＥＤモジュール２０は、各発光ダイオード２１Ｒ，２１Ｇ，２１Ｂによって任意の色の出射光を得ることができる。そして、各発光ダイオード２１Ｒ，２１Ｇ，２１Ｂを同時に駆動することによって、白色光を得ることができる。
【００９５】
〔ＬＥＤ駆動回路〕
図２を参照して、ＬＥＤ駆動回路３０の詳細な回路構成について説明する。
ＬＥＤ駆動回路３０は、電源電圧端子ＶＤＤ、接地端子ＧＮＤ、第１信号端子ＶＣＲ、第２信号端子ＶＣＧ、第３信号端子ＶＣＢ、第１入力端子ＴＲｉｎ、第２入力端子ＴＧｉｎ、第３入力端子ＴＢｉｎ、検出出力端子ＴＣＮ１、検出入力端子ＴＣＮ２、制御入力端子Ｓｃｎｔ、及び制御出力端子Ｓｉｄを有する。
【００９６】
電源電圧端子ＶＤＤは、図示していないが直流電源２と電気的に接続されている。接地端子ＧＮＤは、接地されている。第１信号端子ＶＣＲは、第１発光ダイオード２１Ｒを駆動するための第１駆動信号が制御装置４０（図１参照）から入力される。第２信号端子ＶＣＧは、第２発光ダイオード２１Ｇを駆動するための第２駆動信号が制御装置４０から入力される。第３信号端子ＶＣＢは、第３発光ダイオード２１Ｂを駆動するための第３駆動信号が制御装置４０から入力される。第１入力端子ＴＲｉｎは、第１発光ダイオード２１Ｒのカソードに接続されている。第２入力端子ＴＧｉｎは、第２発光ダイオード２１Ｇのカソードに接続されている。第３入力端子ＴＢｉｎは、第３発光ダイオード２１Ｂのカソードに接続されている。第１発光ダイオード２１Ｒのアノード、第２発光ダイオード２１Ｇのアノード、及び第３発光ダイオード２１Ｂのアノードは、直流電源２に接続されている。
【００９７】
検出出力端子ＴＣＮ１は、識別部５０の抵抗素子５１の第１端子５１ａに接続されている。検出入力端子ＴＣＮ２は、抵抗素子５１の第２端子５１ｂに接続されるとともに接地されている。制御入力端子Ｓｃｎｔは、検出部３２の動作を制御するための制御信号が制御装置４０から入力される。制御出力端子Ｓｉｄは、制御装置４０に電気的に接続され、検出部３２の検出結果、すなわち各発光ダイオード２１Ｒ，２１Ｇ，２１Ｂによって作り出される出射光の色ランクに関する特性情報を制御装置４０に出力する。
【００９８】
駆動回路３１は、第１発光ダイオード２１Ｒに第１駆動電流を供給する第１駆動回路３１Ｒと、第２発光ダイオード２１Ｇに第２駆動電流を供給する第２駆動回路３１Ｇと、第３発光ダイオード２１Ｂに第３駆動電流を供給する第３駆動回路３１Ｂとを含む。なお、第１駆動電流は第１駆動信号に基づいて生成され、第２駆動電流は第２駆動信号に基づいて生成され、第３駆動電流は第３駆動信号に基づいて生成される。
【００９９】
第１駆動回路３１Ｒは、予め設定された第１駆動電流が第１発光ダイオード２１Ｒに流れるように構成した定電流回路である。第１駆動回路３１Ｒは、トランジスタ３３、オペアンプ３４、定電流源３５、第１抵抗３６Ａ、及び第２抵抗３６Ｂを有する。第１抵抗３６Ａは、例えば１ｋΩであり、第２抵抗３６Ｂは、例えば１Ωである。なお、第１駆動電流の一例は、１００ｍＡである。
【０１００】
本実施形態のトランジスタ３３は、Ｎ型ＭＯＳＦＥＴ（Metal Oxide Semiconductor Field Effect Transistor）である。トランジスタ３３のドレイン端子は、第１入力端子ＴＲｉｎに接続されている。すなわちトランジスタ３３のドレイン端子は、第１発光ダイオード２１Ｒのカソードに接続されている。トランジスタ３３のソース端子は、第２抵抗３６Ｂを介して定電位側電源配線（例えば０Ｖが供給される電源配線）に接続されている。トランジスタ３３は、オンすることにより第１発光ダイオード２１Ｒに第１駆動電流が流れ、オフすることにより第１発光ダイオード２１Ｒに第１駆動電流が流れない。
【０１０１】
オペアンプ３４の出力端子は、トランジスタ３３のゲート端子に接続されている。オペアンプ３４の反転入力端子（−）は、トランジスタ３３のソース端子及び第２抵抗３６Ｂの第１端子に接続されている。すなわちオペアンプ３４の反転入力端子（−）には、トランジスタ３３のソース端子の電圧がフィードバックされる。オペアンプ３４の非反転入力端子（＋）は、定電流源３５に接続されている。定電流源３５の第１端子は、ＬＥＤ駆動回路３０の高電位側電源配線（電源電圧ＶＤＤが供給される配線、以下、電源配線ＶＤＤとする）に接続されている。定電流源３５の第２端子は、オペアンプ３４の非反転入力端子（＋）及び第１抵抗３６Ａの第１端子と接続されている。第１抵抗３６Ａの第２端子は接地されている。このため、オペアンプ３４の非反転入力端子（＋）には、参照電圧Ｖｒｅｆ（例えばＶｒｅｆ＝０．１Ｖ）が入力される。またオペアンプ３４の正電源端子は、第１信号端子ＶＣＲに接続されている。すなわちオペアンプ３４の正電源端子には、制御装置４０からの第１駆動信号（ＰＷＭ信号）が入力される。第１駆動信号におけるトランジスタ３３をオンさせるための信号の電圧は０．１Ｖよりも大きい。
【０１０２】
オペアンプ３４は、第１駆動信号に基づいて活性化／非活性化（動作／停止）する。活性化したオペアンプ３４は、トランジスタ３３をオンする。オペアンプ３４の非活性化により、トランジスタ３３はオフする。第１駆動信号は、図１に示す制御装置４０からパルス状の信号として供給される。したがって、この第１駆動回路３１Ｒは、第１駆動信号に基づいてトランジスタ３３を間欠的にオンオフする。そして、第１駆動信号のＤＵＴＹ値が大きくなるにつれてトランジスタ３３をオンする期間が長くなる。トランジスタ３３のオン期間は、第１発光ダイオード２１Ｒに流れる電流量（平滑化した電流量）に対応する。したがって、第１駆動回路３１Ｒは、トランジスタ３３のオン期間、つまり第１駆動信号のＤＵＴＹ値に応じた量の電流（第１駆動電流）を第１発光ダイオード２１Ｒに供給する。なお、オペアンプ３４の出力端子とトランジスタ３３のゲート端子との間に電流制限抵抗を追加してもよい。
【０１０３】
第１抵抗３６Ａ及び第２抵抗３６Ｂは、これらの抵抗に流すべき電流の比に応じた抵抗比に設定される。具体的には、第１抵抗３６Ａの抵抗値をＲＡ、及び第１抵抗３６Ａに流れる電流をＩＡと規定し、第２抵抗３６Ｂの抵抗値をＲＢ、及び第２抵抗３６Ｂに流れる電流をＩＢと規定したとき、ＲＡ：ＲＢ＝ＩＢ：ＩＡ、つまりＩＢ＝１００ＩＡの場合、ＲＡ＝１００ＲＢとなるように設定される。
【０１０４】
第２駆動回路３１Ｇ及び第３駆動回路３１Ｂは、第１駆動回路３１Ｒと同一構成の回路である。したがって、第２駆動回路３１Ｇ及び第３駆動回路３１Ｂに含まれる回路部材については、第１駆動回路３１Ｒに含まれる回路部材と同じ符号を付し、説明を省略する。
【０１０５】
検出回路３２Ｘは、トランジスタ３７及び抵抗素子３８を有する。本実施形態のトランジスタ３７は、Ｎ型ＭＯＳＦＥＴである。トランジスタ３７のドレイン端子は、電源電圧端子ＶＤＤに接続されている。トランジスタ３７のソース端子は、抵抗素子３８の第１端子に接続されている。トランジスタ３７のゲート端子は、制御入力端子Ｓｃｎｔに接続されている。このため、制御装置４０からの制御信号によってトランジスタ３７の動作が制御される。抵抗素子３８の第２端子は、Ａ／Ｄ変換部３２Ｙ及び検出出力端子ＴＣＮ１に接続されている。Ａ／Ｄ変換部３２Ｙは、制御出力端子Ｓｉｄに接続されている。
【０１０６】
検出回路３２Ｘは、制御装置４０の制御信号に基づいてトランジスタ３７がオンされたとき、抵抗素子５１に所定の電流を流す。検出回路３２Ｘは、抵抗素子５１に電流を流したときのＡ／Ｄ変換部３２Ｙの電圧を、Ａ／Ｄ変換部３２Ｙに出力する。Ａ／Ｄ変換部３２Ｙは、検出回路３２Ｘが生成した電圧をデジタル変換して制御出力端子Ｓｉｄを介して制御装置４０に出力する。
【０１０７】
ところで、各発光ダイオード２１Ｒ，２１Ｇ，２１Ｂのそれぞれは、製造過程における条件（温度や湿度等）によって品質にばらつきが生じる場合がある。例えば所定のロットで製造された第１発光ダイオード２１Ｒの出射光の色ランクと、別ロットで製造された第１発光ダイオード２１Ｒの出射光の色ランクとが異なる場合がある。
【０１０８】
第１発光ダイオード２１Ｒの出射光の色ランクは、赤色に対応する波長範囲である６００ｎｍ以上かつ７００ｎｍ以下の範囲を例えば４分割した範囲を示したものである。第１発光ダイオード２１Ｒの色ランクは、第１発光ダイオード２１Ｒに所定の電流が供給されたときのピーク波長に基づいて分類される。例えば、ピーク波長が６７５ｎｍ以上かつ７００ｎｍ以下の範囲の第１発光ダイオード２１Ｒを「Ａランク」とする。ピーク波長が６５０ｎｍ以上かつ６７５ｎｍ未満の範囲の第１発光ダイオード２１Ｒを「Ｂランク」とする。ピーク波長が６２５ｎｍ以上かつ６５０ｎｍ未満の範囲の第１発光ダイオード２１Ｒを「Ｃランク」とする。ピーク波長が６００ｎｍ以上かつ６２５ｎｍ未満の範囲の第１発光ダイオード２１Ｒを「Ｄランク」とする。
【０１０９】
第２発光ダイオード２１Ｇの出射光の色ランクは、緑色に対応する波長範囲である５００ｎｍ以上かつ６００ｎｍ未満の範囲を例えば４分割した範囲を示したものである。第２発光ダイオード２１Ｇの色ランクは、第２発光ダイオード２１Ｇに上記所定の電流が供給されたときのピーク波長に基づいて分類される。例えば、ピーク波長が５７５ｎｍ以上かつ６００ｎｍ未満の範囲の第２発光ダイオード２１Ｇを「Ａランク」とする。ピーク波長が５５０ｎｍ以上かつ５７５ｎｍ未満の範囲の第２発光ダイオード２１Ｇを「Ｂランク」とする。ピーク波長が５２５ｎｍ以上かつ５５０ｎｍ未満の範囲の第２発光ダイオード２１Ｇを「Ｃランク」とする。ピーク波長が５００ｎｍ以上かつ５２５ｎｍ未満の範囲の第２発光ダイオード２１Ｇを「Ｄランク」とする。
【０１１０】
第３発光ダイオード２１Ｂの出射光の色ランクは、青色に対応する波長範囲である４００ｎｍ以上かつ５００ｎｍ未満の範囲を例えば４分割した範囲を示したものである。第３発光ダイオード２１Ｂの色ランクは、第３発光ダイオード２１Ｂに上記所定の電流が供給されたときのピーク波長に基づいて分類される。例えば、ピーク波長が４７５ｎｍ以上かつ５００ｎｍ未満の範囲の第３発光ダイオード２１Ｂを「Ａランク」とする。ピーク波長が４５０ｎｍ以上かつ４７５ｎｍ未満の範囲の第３発光ダイオード２１Ｂを「Ｂランク」とする。ピーク波長が４２５ｎｍ以上かつ４５０ｎｍ未満の範囲の第３発光ダイオード２１Ｂを「Ｃランク」とする。ピーク波長が４００ｎｍ以上かつ４２５ｎｍ未満の範囲の第３発光ダイオード２１Ｂを「Ｄランク」とする。
【０１１１】
なお、第１発光ダイオード２１Ｒの波長範囲を６００ｎｍ以上かつ７００ｎｍ以下としたが、第１発光ダイオード２１Ｒの波長範囲を上記範囲よりも狭く設定してもよい。例えば第１発光ダイオード２１Ｒの波長範囲を６５０ｎｍ以上かつ７００ｎｍ以下に設定してもよい。この場合、６５０ｎｍ以上かつ７００ｎｍ以下の波長範囲において第１発光ダイオード２１ＲをＡランク〜Ｄランクに分類してもよい。また第２発光ダイオード２１Ｇの波長範囲を５００ｎｍ以上かつ６００ｎｍ未満としたが、第２発光ダイオード２１Ｇの波長範囲を上記範囲よりも狭く設定してもよい。例えば第２発光ダイオード２１Ｇの波長範囲を５２０ｎｍ以上かつ５７０ｎｍ以下に設定してもよい。この場合、５２０ｎｍ以上かつ５７０ｎｍ以下の波長範囲において第２発光ダイオード２１ＧをＡランク〜Ｄランクに分類してもよい。また第３発光ダイオード２１Ｂの波長範囲を４００ｎｍ以上かつ５００ｎｍ未満としたが、第３発光ダイオード２１Ｂの波長範囲を上記範囲よりも狭く設定してもよい。例えば第３発光ダイオード２１Ｂの波長範囲を４１０ｎｍ以上かつ４６０ｎｍ以下に設定してもよい。この場合、４１０ｎｍ以上かつ４６０ｎｍ以下の波長範囲において第３発光ダイオード２１ＢをＡランク〜Ｄランクに分類してもよい。
【０１１２】
上述のように、各発光ダイオード２１Ｒ，２１Ｇ，２１Ｂの発光色（出射光の色）がばらつくため、ＬＥＤモジュール２０の出射光、つまり各発光ダイオード２１Ｒ，２１Ｇ，２１Ｂの出射光を合成した光（白色光）もばらついてしまう。特に、白色光がばらつくと、他の色の光がばらつく場合よりも人間が認識しやすい。このようにばらつくＬＥＤモジュール２０の出射光の色を、色ランクとして分類する。
【０１１３】
例えば、出射光の色ランクは、図３に示すようなｘｙ色度図に示す範囲で分類されている。図３のｘ軸において、値が大きくなるにつれて赤色の比率が大きくなり、値が小さくなるにつれて青色の比率が大きくなる。図３のｙ軸において、値が大きくなるにつれて緑色の比率が大きくなり、値が小さくなるにつれて青色の比率が大きくなる。
【０１１４】
図３に示す領域Ｒは、上述の色ランクに分類された各発光ダイオード２１Ｒ，２１Ｇ，２１Ｂの出射光を合成して得られる光のｘｙ色度を示す。この領域Ｒを以下、白色領域Ｒとして説明する。白色領域Ｒは、図３に示す平行四辺形の領域となる。白色領域Ｒは、ｘｙ座標において、（ｘ，ｙ）＝（０．２５，０．２６）、（０．２５，０．３３）、（０．２７，０．３４）、（０．３５，０．３４）を各頂点とし、（０．３０，０．３０）を標準値としている。この標準値は、例えば白色点である。
【０１１５】
白色領域Ｒは、第１領域Ｒ１〜第８領域Ｒ８の８つの領域に区画される。第１領域Ｒ１〜第４領域Ｒ４は、白色領域Ｒをｘ軸において２等分する中心線Ｃに対してｘ軸の値が小さい側の領域となる。第１領域Ｒ１〜第４領域Ｒ４は、２等分した白色領域Ｒをｙ軸において４等分した領域となる。第１領域Ｒ１は、ｙ軸の値が最も大きい領域である。第４領域Ｒ４は、ｙ軸の値が最も小さい領域である。第２領域Ｒ２は、ｙ軸の値が第１領域Ｒ１よりも小さくかつ第３領域Ｒ３よりも大きい領域である。第３領域Ｒ３は、ｙ軸の値が第２領域Ｒ２よりも小さくかつ第４領域Ｒ４よりも大きい領域である。第５領域Ｒ５〜第８領域Ｒ８は、白色領域Ｒにおいて中心線Ｃに対してｘ軸の値が大きい側の領域となる。第５領域Ｒ５〜第８領域Ｒ８は、２等分した白色領域Ｒをｙ軸において４等分した領域となる。第５領域Ｒ５は、ｙ軸の値が最も大きい領域であり、ｘ軸において第１領域Ｒ１と隣り合う領域である。第８領域Ｒ８は、ｙ軸の値が最も小さい領域であり、ｘ軸において第４領域Ｒ４と隣り合う領域である。第６領域Ｒ６は、ｙ軸の値が第５領域Ｒ５よりも小さくかつ第７領域Ｒ７よりも大きい領域であり、ｘ軸において第２領域Ｒ２と隣り合う領域である。第７領域Ｒ７は、ｙ軸の値が第６領域Ｒ６よりも小さくかつ第８領域Ｒ８よりも大きい領域であり、ｘ軸において第３領域Ｒ３と隣り合う領域である。
【０１１６】
白色領域Ｒに示すように、ＬＥＤモジュール２０の出射光の色がばらつくため、そのばらつきを抑制するように第１〜第８領域Ｒ１〜Ｒ８のうちの所定の領域の白色となるように各発光ダイオード２１Ｒ，２１Ｇ，２１Ｂの発光を制御することが好ましい。この所定の領域は、第１〜第８領域Ｒ１〜Ｒ８のうちの１つの領域であってもよいし、隣り合う複数の領域を含むものであってもよい。
【０１１７】
例えば、第３領域Ｒ３の白色となるように各発光ダイオード２１Ｒ，２１Ｇ，２１Ｂの発光を制御する場合、第１領域Ｒ１の白色で発光する各発光ダイオード２１Ｒ，２１Ｇ，２１Ｂであれば、第３発光ダイオード２１Ｂの電流値を増加させ、かつ第１発光ダイオード２１Ｒ及び第２発光ダイオード２１Ｇのそれぞれの電流値を減少させればよい。このように、各発光ダイオード２１Ｒ，２１Ｇ，２１Ｂのそれぞれに所定の電流を流したときの出射光の色が第１〜第８領域Ｒ１〜Ｒ８のいずれになるかを把握できれば、各発光ダイオード２１Ｒ，２１Ｇ，２１Ｂの電流量（第１，第２，第３駆動電流の電流量）を調整することにより所定の領域の色の出射光を得ることができる。
【０１１８】
ここで、第１発光ダイオード２１Ｒの出射光の色ランク、第２発光ダイオード２１Ｇの出射光の色ランク、及び第３発光ダイオード２１Ｂの出射光の色ランクの組合せによって、各発光ダイオード２１Ｒ，２１Ｇ，２１Ｂによって作り出される出射光の色が白色領域Ｒにおける第１〜第８領域Ｒ１〜Ｒ８のいずれの領域に位置するかを検査等によって予め把握できる。すなわち、各発光ダイオード２１Ｒ，２１Ｇ，２１Ｒの出射光の色ランクの組合せが分かれば、各発光ダイオード２１Ｒ，２１Ｇ，２１Ｂを発光させなくても、各発光ダイオード２１Ｒ，２１Ｇ，２１Ｂによって作り出される出射光の色が白色領域Ｒのどの領域に位置するかを把握できる。本実施形態では、各発光ダイオード２１Ｒ，２１Ｇ，２１Ｂの出射光の色ランクの組合せのそれぞれについて、各発光ダイオード２１Ｒ，２１Ｇ，２１Ｂに所定の電流量（例えば標準の電流量）を流したときの出射光の色が第１〜第８領域Ｒ１〜Ｒ８のいずれになるかを検査等により予め把握している。出射光の色が第１〜第８領域Ｒ１〜Ｒ８のいずれになるかの情報は、色ランクに関する特性情報として識別部５０の抵抗素子５１の抵抗値（受動素子の特性値）により定量的に示される。表１は、第１〜第８領域Ｒ１〜Ｒ８と抵抗素子５１の抵抗値Ｘ１〜Ｘ８との関係を示すテーブルである。抵抗素子５１の抵抗値Ｘ１〜Ｘ８の最小値と最大値との範囲は、１００Ω以上かつ１０ｋΩ以下の範囲で設定されることが好ましい。
【０１１９】
【表１】
2018143282.tif 000003
【０１２０】
表１に示す抵抗値と領域の組合せは、例えば制御装置４０の記憶部４２に記憶されている。抵抗値Ｘ１〜Ｘ８のうちの隣り合う抵抗値は、抵抗素子５１に電流を供給したときに検出回路３２Ｘが取得する電圧によって抵抗素子５１の抵抗値が識別可能な値に設定されることが好ましい。本実施形態では、抵抗値Ｘ１〜Ｘ８のうちの隣り合う抵抗値は、その抵抗値によって検出回路３２Ｘが取得する電圧の差を所定値（例えば、０．１Ｖ以上）とするように互いに異なるように設定されている。
【０１２１】
このようにＬＥＤモジュール２０は、各発光ダイオード２１Ｒ，２１Ｇ，２１Ｂのそれぞれに所定の電流量を流して得られる出射光の色が第１〜第８領域Ｒ１〜Ｒ８のいずれであるかの情報を有している。そして、制御装置４０は、ＬＥＤ駆動回路３０を介して識別部５０の抵抗素子５１の抵抗値を取得することにより、表１に示す抵抗値と領域の組合せに基づいて抵抗素子５１の抵抗値からＬＥＤモジュール２０の色ランクに関する特性情報を取得できる。
【０１２２】
このような実情のもと、本実施形態のＬＥＤ駆動システム１では、各発光ダイオード２１Ｒ，２１Ｇ，２１Ｂによって作り出される出射光の色が所望の白色になるように、各発光ダイオード２１Ｒ，２１Ｇ，２１Ｂに供給する電流量（第１，第２，第３駆動電流の電流量）を設定する設定処理が実行される。
【０１２３】
設定処理は、図４に示すシーケンスに沿った手順で実行される。設定処理は、例えば、ＬＥＤモジュール２０を最初に発光させる前に１回実行される。なお、図４において、設定処理は、制御装置４０により実行されるステップＳ１１〜Ｓ１４の処理と、検出部３２（図２参照）において実施されるステップＳ２１，Ｓ２２の処理と、駆動回路３１において実施されるステップＳ３１の処理とを含む。
【０１２４】
制御装置４０は、ステップＳ１１において検出部３２に検出開始信号を出力する。検出開始信号は、検出回路３２Ｘのトランジスタ３７（ともに図２参照）のゲートに入力される。これにより、トランジスタ３７がオンされるため、ステップＳ２１において検出回路３２Ｘは、識別部５０の抵抗素子５１（図２参照）に電流を供給する。そしてＡ／Ｄ変換部３２Ｙ（図２参照）は、ステップＳ２２においてＡ／Ｄ変換部３２Ｙの出力値（電圧値）を制御装置４０に出力する。電圧値を受信した制御装置４０は、ステップＳ１２において抵抗素子５１の抵抗値を演算する。そしてステップＳ１３において、制御装置４０は、演算した抵抗値から第１発光ダイオード２１Ｒ（図２参照）を駆動制御するための第１ＤＵＴＹ値、第２発光ダイオード２１Ｇ（図２参照）を駆動制御するための第２ＤＵＴＹ値、及び第３発光ダイオード２１Ｂ（図２参照）を駆動制御するための第３ＤＵＴＹ値を得る。例えば制御装置４０の記憶部４２（図１参照）には、表２に示すような抵抗素子５１の抵抗値と各発光ダイオード２１Ｒ，２１Ｇ，２１ＢのＤＵＴＹ値との関係を示すテーブルが予め記憶されている。表２に示す抵抗素子５１の抵抗値と各発光ダイオード２１Ｒ，２１Ｇ，２１Ｂの各ＤＵＴＹ値の組合せを示すテーブルは、試験等により予め決められる。制御装置４０は、演算した抵抗値から表２に示す抵抗値と各ＤＵＴＹ値の組合せに基づいて第１ＤＵＴＹ値、第２ＤＵＴＹ値、及び第３ＤＵＴＹ値を得る。
【０１２５】
なお、Ａ／Ｄ変換部３２Ｙの出力値（電圧値）は、識別部５０に含まれる抵抗素子５１の抵抗値に対応する。このため、電圧値とＤＵＴＹ値とを関連付けたテーブルを記憶部４２（図１参照）に記憶し、そのテーブルを用いて電圧値から各ＤＵＴＹ値を得るようにしてもよい。また、演算回路又は演算プログラムによって抵抗値又は電圧値からＤＵＴＹ値を算出するようにしてもよい。
【０１２６】
【表２】
2018143282.tif 000004
【０１２７】
ステップＳ１４において、制御装置４０は、駆動回路３１を制御する制御信号として、第１ＤＵＴＹ値に基づいて第１駆動信号を生成し、第２ＤＵＴＹ値に基づいて第２駆動信号を生成し、第３ＤＵＴＹ値に基づいて第３駆動信号を生成する。そして制御装置４０は、第１〜第３駆動信号を駆動回路３１に出力する。第１駆動信号は、ＬＥＤ駆動回路３０の第１信号端子ＶＣＲを介して第１駆動回路３１Ｒのオペアンプ３４（ともに図２参照）の正電源端子に入力される。第２駆動信号は、ＬＥＤ駆動回路３０の第２信号端子ＶＣＧを介して第２駆動回路３１Ｇのオペアンプ３４（ともに図２参照）の正電源端子に入力される。第３駆動信号は、ＬＥＤ駆動回路３０の第３信号端子ＶＣＢを介して第３駆動回路３１Ｂのオペアンプ３４（ともに図２参照）の正電源端子に入力される。これにより、第１〜第３駆動回路３１Ｒ，３１Ｇ，３１Ｂは、ステップＳ３１において各トランジスタ３３（図２参照）をオンオフする。その結果、第１駆動回路３１Ｒは、第１ＤＵＴＹ値に応じた第１駆動電流を生成し、第１駆動電流を供給して第１発光ダイオード２１Ｒを駆動する。第２駆動回路３１Ｇは、第２ＤＵＴＹ値に応じた第２駆動電流を生成し、第２駆動電流を供給して第２発光ダイオード２１Ｇを駆動する。第３駆動回路３１Ｂは、第３ＤＵＴＹ値に応じた第３駆動電流を生成し、第３駆動電流を供給して第３発光ダイオード２１Ｂを駆動する。これにより、各発光ダイオード２１Ｒ，２１Ｇ，２１Ｂによって作り出される出射光の色が所望の白色となる。
【０１２８】
表２に示す各発光ダイオード２１Ｒ，２１Ｇ，２１Ｂの各ＤＵＴＹ値は、ＬＥＤモジュール２０の出射光の色を、第１〜第８領域Ｒ１〜Ｒ８のうちの予め設定された領域内（例えば、第２領域Ｒ２）とするように調整された値である。例えば、標準の電流による出射光の色が第１領域Ｒ１に含まれるＬＥＤモジュール２０に対して、表２に示すＤＵＴＹ値（ＤＲＡ，ＤＧＡ，ＤＢＡ）に基づく駆動信号に応じた駆動電流を供給する。このように駆動したＬＥＤモジュール２０は、第２領域Ｒ２に含まれる色の光を出射する。
【０１２９】
〔効果〕
本実施形態によれば、以下の効果を奏する。
（１）識別部５０の抵抗素子５１は、第１，第２，第３発光ダイオード２１Ｒ，２１Ｇ，２１Ｂの発光特性に応じた抵抗値（特性値）を有している。したがって、検出部３２によってＬＥＤモジュール２０から抵抗素子５１の抵抗値を読み出し、ＬＥＤ駆動回路３０がその抵抗値に応じた電流をＬＥＤモジュール２０に供給することで、各発光ダイオード２１Ｒ，２１Ｇ，２１Ｂによって作り出される出射光の色むらが抑制され、所望の色の光が得られる。そして、ＬＥＤモジュール２０に収容された抵抗素子５１の抵抗値を読み出すだけでよく、作業者が各発光ダイオード２１Ｒ，２１Ｇ，２１Ｂによって作り出される出射光の色を所望の色に調整する作業が不要となる。したがって、所望の色の光を容易に得ることができる。さらに、所望の色を得た後、意匠デザインの変更などに起因して、各発光ダイオード２１Ｒ，２１Ｇ，２１Ｂの発光させる色を変更する場合にも、識別部５０から得られる発光特性に応じて各発光ダイオード２１Ｒ，２１Ｇ，２１Ｂの各ＤＵＴＹ値を変化させる。これにより、所望の色を容易に作り出すことができる。このため、例えば意匠デザインの微調整も容易に実行することができる。
【０１３０】
本実施形態では、抵抗素子５１から各発光ダイオード２１Ｒ，２１Ｇ，２１Ｂによって作り出される出射光の色ランクに関する特性情報を検出部３２が検出するため、各発光ダイオード２１Ｒ，２１Ｇ，２１Ｂによって作り出される出射光の色ランクに関する定量的な情報を取得可能である。そしてその情報に応じて第１駆動電流が第１発光ダイオード２１Ｒに供給され、第２駆動電流が第２発光ダイオード２１Ｇに供給され、第３駆動電流が第３発光ダイオード２１Ｂに供給される。このため、各発光ダイオード２１Ｒ，２１Ｇ，２１Ｂによって作り出される出射光の色むらが抑制され、所望の色の光が得られる。
【０１３１】
（２）ＬＥＤ駆動システム１によれば、検出部３２によって識別部５０の抵抗素子５１を介して電圧値を検出し、その電圧値に基づいて制御装置４０が抵抗素子５１の抵抗値を演算する。制御装置４０は、抵抗値から各発光ダイオード２１Ｒ，２１Ｇ，２１ＢのそれぞれのＤＵＴＹ値を取得し、それらＤＵＴＹ値に基づいて駆動回路３１を制御する。このように、制御装置４０によって各発光ダイオード２１Ｒ，２１Ｇ，２１Ｂによって作り出される出射光の色が所望の色になるように自動的に調整される。したがって、作業者が各発光ダイオード２１Ｒ，２１Ｇ，２１Ｂによって作り出される出射光の色を所望の色に調整する作業が不要となる。また、各発光ダイオード２１Ｒ，２１Ｇ，２１Ｂによって作り出される出射光の色むらを抑制できる。
【０１３２】
（３）検出回路３２Ｘによって抵抗素子５１に電流が流されることにより、各発光ダイオード２１Ｒ，２１Ｇ，２１Ｂによって作り出される出射光の色ランクに関する特性情報を検出することができる。したがって、検出回路３２Ｘによって特性情報を容易に検出できる。
【０１３３】
（４）抵抗素子５１の抵抗値が１００Ω以上かつ１０ｋΩ以下の範囲で設定される。これにより、抵抗値が上記範囲内であれば、検出回路３２Ｘによって抵抗値を問題なく読み出すことができる。さらに、各色ランクに対応する抵抗値の値を、各抵抗値同士の間の差分が十分に大きくなるように決めることができる。このため、異なる色ランクに対応する抵抗値の値が近い値になることを防止することができる。その結果、色ランクを確実に識別することができる。
【０１３４】
（５）ＬＥＤモジュール２０が各発光ダイオード２１Ｒ，２１Ｇ，２１Ｂと識別部５０とを１パッケージ化したものである。このため、ＬＥＤモジュール２０と識別部５０とが個別に設けられる場合に比べ、ＬＥＤ駆動装置１０及びＬＥＤ駆動システム１の部品点数を少なくすることができる。
【０１３５】
（６）表１に示す抵抗値と領域の組合せ及び表２に示す抵抗値と各発光ダイオード２１Ｒ，２１Ｇ，２１Ｂの各ＤＵＴＹ値との関係を示すテーブルのように、白色領域Ｒの第１〜第８領域Ｒ１〜Ｒ８に応じて抵抗素子５１の抵抗値Ｘ１〜Ｘ８を用意する。このため、各発光ダイオード２１Ｒ，２１Ｇ，２１Ｂのそれぞれの色ランクの組合せに応じて抵抗素子５１の抵抗値を用意する場合に比べ、抵抗素子５１の抵抗値の種類を減らすことができる。したがって、識別部５０の抵抗素子５１の設定を容易に行うことができる。
【０１３６】
〔ＬＥＤモジュール〕
次に、図５、図６、及び図７Ａ〜図７Ｄを参照して、ＬＥＤモジュール２０の詳細な構成について説明する。なお、以降の説明では、図５のＬＥＤモジュール２０の平面視においてＬＥＤモジュール２０の横方向を「第１の方向Ｘ」と規定し、ＬＥＤモジュール２０の縦方向、すなわちＬＥＤモジュール２０の平面視において第１の方向Ｘと直交する方向を「第２の方向Ｙ」と規定する。またＬＥＤモジュール２０の高さ方向、すなわち第１の方向Ｘ及び第２の方向Ｙの両方と直交する方向を「第３の方向Ｚ」と規定する。また図５において、網掛けが付された部分は、リードの板厚が薄い部分を示している。
【０１３７】
図５に示すように、ＬＥＤモジュール２０は、第１発光ダイオード２１Ｒ、第２発光ダイオード２１Ｇ、第３発光ダイオード２１Ｂ、識別部５０、アノード側電極の一例であるアノード側リード６０、カソード側電極の一例であるカソード側リード７０、支持部材の一例であるケース８０、及び保護部材の一例である封止樹脂９０（図７Ａ参照）を有する。またＬＥＤモジュール２０は、第２発光ダイオード２１Ｇに過大な逆電圧が印加されることを回避するための第１のツェナーダイオード２２と、第３発光ダイオード２１Ｂに過大な逆電圧が印加されることを回避するための第２のツェナーダイオード２３とをさらに含む。
【０１３８】
ケース８０は、第１発光ダイオード２１Ｒ、第２発光ダイオード２１Ｇ、第３発光ダイオード２１Ｂ、第１のツェナーダイオード２２、第２のツェナーダイオード２３、識別部５０、アノード側リード６０、及びカソード側リード７０を支持している。より詳細には、ケース８０は、各発光ダイオード２１Ｒ，２１Ｇ，２１Ｂ、各ツェナーダイオード２２，２３、識別部５０、アノード側リード６０、及びカソード側リード７０を収容している。ケース８０は、平面視において第２の方向Ｙが長手方向となる矩形状である。ケース８０は、例えば白色のエポキシ樹脂である。第１の方向Ｘにおけるケース８０の外形寸法は、例えば３．１ｍｍであり、第２の方向Ｙにおけるケース８０の外形寸法は、例えば３．８ｍｍである。第３の方向Ｚにおけるケース８０の外形寸法は、例えば０．６ｍｍである。
【０１３９】
ケース８０には、封止樹脂９０を充填するための開口部８１が形成されている。開口部８１内には、第１発光ダイオード２１Ｒ、第２発光ダイオード２１Ｇ、第３発光ダイオード２１Ｂ、第１のツェナーダイオード２２、第２のツェナーダイオード２３、及び識別部５０の抵抗素子５１が配置されている。開口部８１を構成する周壁の内側面８１ａは、第３の方向Ｚにおいて開口側端部に向かうにつれて開口面積が大きくなるように傾斜している（図７Ａ〜図７Ｄ参照）。周壁の内側面８１ａは、各発光ダイオード２１Ｒ，２１Ｇ，２１Ｂの光を反射するリフレクターとして機能する。
【０１４０】
封止樹脂９０は、第１発光ダイオード２１Ｒ、第２発光ダイオード２１Ｇ、第３発光ダイオード２１Ｂ、第１のツェナーダイオード２２、第２のツェナーダイオード２３、及び抵抗素子５１をケース８０内に封止するように開口部８１に充填されている。封止樹脂９０は、各発光ダイオード２１Ｒ，２１Ｇ，２１Ｂを覆う透光性の部材である。封止樹脂９０は、例えば透明なエポキシ樹脂又はシリコーン樹脂である。
【０１４１】
アノード側リード６０は、ＬＥＤモジュール２０の端子であって、各発光ダイオード２１Ｒ，２１Ｇ，２１Ｂのアノード側の端子を形成している。アノード側リード６０は、第１の方向Ｘにおいてケース８０の一方寄り（図５のＸ１側）に配置されている。アノード側リード６０は、例えば銅、ニッケル、又はこれらの合金により形成されている。アノード側リード６０は、第１発光ダイオード２１Ｒのアノードに接続される第１アノード側電極の一例である第１アノード側リード６０Ｒ、第２発光ダイオード２１Ｇのアノードに接続される第２アノード側電極の一例である第２アノード側リード６０Ｇ、及び第３発光ダイオード２１Ｂのアノードに接続される第３アノード側電極の一例である第３アノード側リード６０Ｂを含む。第１アノード側リード６０Ｒ、第２アノード側リード６０Ｇ、及び第３アノード側リード６０Ｂは、第２の方向Ｙにおいて所定の間隔を空けて配列されている。第２の方向Ｙにおいて第１アノード側リード６０Ｒの一方側（図５のＹ１側）に第２アノード側リード６０Ｇが配置され、第１アノード側リード６０Ｒの他方側（図５のＹ２側）に第３アノード側リード６０Ｂが配置されている。
【０１４２】
第１アノード側リード６０Ｒは、第１の方向Ｘに延びている。第１アノード側リード６０Ｒは、第１アノード端子部６１Ｒ及び第１アノード支持部６２Ｒを有する。第１アノード端子部６１Ｒ及び第１アノード支持部６２Ｒは、単一部材により一体に形成されている。第１アノード端子部６１Ｒは、第１の方向Ｘにおいてケース８０の外側寄りに配置されている。第１アノード端子部６１Ｒの先端部は、第２の方向Ｙにおいてケース８０から外部に突出している。図６に示すように、第１アノード端子部６１Ｒの全体は、ケース８０の裏面８２から露出している。
【０１４３】
図５に示すように、第１アノード支持部６２Ｒは、第１アノード側リード６０Ｒにおいて網掛けが付された部分である。第１アノード支持部６２Ｒは、第１アノード端子部６１Ｒよりもケース８０の内側に位置している。第１アノード支持部６２Ｒの幅（第２の方向Ｙの寸法）は、第１アノード端子部６１Ｒの幅（第２の方向Ｙの寸法）よりも大きい。図７Ａに示すように、第１アノード支持部６２Ｒの厚さは、第１アノード端子部６１Ｒの厚さよりも薄い。第３の方向Ｚにおいて、第１アノード支持部６２Ｒの表面の位置と第１アノード端子部６１Ｒの表面の位置とは互いに等しい。
【０１４４】
図５及び図７Ａに示すように、第１アノード支持部６２Ｒは、第１発光ダイオード２１Ｒを支持している。より詳細には、第１アノード支持部６２Ｒの表面には、導電性接合材６３を介して第１発光ダイオード２１Ｒが実装されている。導電性接合材６３は、例えば銀ペースト又ははんだが用いられる。第１発光ダイオード２１Ｒは、第１の方向Ｘにおいて第１アノード支持部６２Ｒの先端寄りに配置されている。
【０１４５】
図５に示すように、第２アノード側リード６０Ｇは、第１の方向Ｘに延びている。第２アノード側リード６０Ｇの第１の方向Ｘの寸法は、第１アノード側リード６０Ｒの第１の方向Ｘの寸法と等しい。第２アノード側リード６０Ｇは、第２アノード端子部６１Ｇ及び第２アノード支持部６２Ｇを有する。第２アノード端子部６１Ｇ及び第２アノード支持部６２Ｇは、単一部材により一体に形成されている。第２アノード端子部６１Ｇは、第１の方向Ｘにおいてケース８０の外側寄りに配置されている。第２アノード端子部６１Ｇの先端部は、第１の方向Ｘにおいてケース８０から外部に突出している。図６に示すように、第２アノード端子部６１Ｇの全体は、ケース８０の裏面８２から露出している。第１の方向Ｘにおいて第２アノード端子部６１Ｇの位置は、第１アノード端子部６１Ｒの位置と等しい。
【０１４６】
図５に示すように、第２アノード支持部６２Ｇは、第２アノード側リード６０Ｇにおいて網掛けが付された部分である。第２アノード支持部６２Ｇは、第２アノード端子部６１Ｇよりもケース８０の内側に位置している。第１の方向Ｘにおいて第２アノード支持部６２Ｇの位置は、第１アノード支持部６２Ｒの位置と等しい。第２アノード支持部６２Ｇの幅（第２の方向Ｙの寸法）は、第２アノード端子部６１Ｇの幅（第２の方向Ｙの寸法）よりも大きい。具体的には、第２アノード支持部６２Ｇは、第２アノード端子部６１Ｇから第１アノード支持部６２Ｒに向けて突出している。一方、第２アノード支持部６２Ｇは、第２アノード端子部６１Ｇから第１アノード支持部６２Ｒとは反対側には突出していない。第２の方向Ｙにおいて、第２アノード支持部６２Ｇと第１アノード支持部６２Ｒとの間の距離は、第２アノード端子部６１Ｇと第１アノード端子部６１Ｒとの間の距離よりも短い。図７Ｂに示すように、第２アノード支持部６２Ｇの厚さは、第２アノード端子部６１Ｇの厚さよりも薄い。第３の方向Ｚにおいて、第２アノード支持部６２Ｇの表面の位置と第２アノード端子部６１Ｇの表面の位置とは互いに等しい。第２アノード支持部６２Ｇの厚さは、第１アノード支持部６２Ｒ（図７Ａ参照）の厚さと等しい。第２アノード端子部６１Ｇの厚さは、第１アノード端子部６１Ｒ（図７Ａ参照）の厚さと等しい。
【０１４７】
図５及び図７Ｂに示すように、第２アノード支持部６２Ｇは、第１のツェナーダイオード２２を支持している。より詳細には、第２アノード支持部６２Ｇの表面には、導電性接合材６３を介して第１のツェナーダイオード２２が実装されている。第１のツェナーダイオード２２は、第１の方向Ｘにおいて第２アノード支持部６２Ｇのうちの第２アノード端子部６１Ｇ寄り、かつ、第２の方向Ｙにおいて第２アノード支持部６２Ｇのうちの第１アノード支持部６２Ｒ寄りに配置されている。
【０１４８】
図５に示すように、第３アノード側リード６０Ｂは、第１の方向Ｘに延びている。第３アノード側リード６０Ｂの第１の方向Ｘの寸法は、第１アノード側リード６０Ｒの第１の方向Ｘの寸法と等しい。第２の方向Ｙにおいて、第３アノード側リード６０Ｂにおける第２の方向Ｙの他方側（図５のＹ２側）の部分は、ケース８０の開口部８１を構成する周壁と重なっている。第３アノード側リード６０Ｂは、第３アノード端子部６１Ｂ及び第３アノード支持部６２Ｂを有する。第３アノード端子部６１Ｂ及び第３アノード支持部６２Ｂは、単一部材により一体に形成されている。第３アノード端子部６１Ｂは、第１の方向Ｘにおいてケース８０の外側寄りに配置されている。第３アノード端子部６１Ｂの先端部は、第１の方向Ｘにおいてケース８０から外部に突出している。図６に示すように、第３アノード端子部６１Ｂの全体は、ケース８０の裏面８２から露出している。第１の方向Ｘにおいて第３アノード端子部６１Ｂの位置は、第１アノード端子部６１Ｒの位置と等しい。
【０１４９】
図５に示すように、第３アノード支持部６２Ｂは、第３アノード側リード６０Ｂにおいて網掛けが付された部分である。第３アノード支持部６２Ｂは、第３アノード端子部６１Ｂよりもケース８０の内側に位置している。第１の方向Ｘにおいて第３アノード支持部６２Ｂの位置は、第１アノード支持部６２Ｒの位置と等しい。第３アノード支持部６２Ｂの幅（第２の方向Ｙの寸法）は、第３アノード端子部６１Ｂの幅（第２の方向Ｙの寸法）よりも大きい。具体的には、第３アノード支持部６２Ｂは、第３アノード端子部６１Ｂから第１アノード支持部６２Ｒに向けて突出している。一方、第３アノード支持部６２Ｂは、第３アノード端子部６１Ｂから第１アノード支持部６２Ｒとは反対側には突出していない。第２の方向Ｙにおいて、第３アノード支持部６２Ｂと第１アノード支持部６２Ｒとの間の距離は、第３アノード端子部６１Ｂと第１アノード端子部６１Ｒとの間の距離よりも短い。図７Ｃに示すように、第３アノード支持部６２Ｂの厚さは、第３アノード端子部６１Ｂの厚さよりも薄い。第３の方向Ｚにおいて、第３アノード支持部６２Ｂの表面の位置と第３アノード端子部６１Ｂの表面の位置とは互いに等しい。第３アノード支持部６２Ｂの厚さは、第１アノード支持部６２Ｒ（図７Ａ参照）の厚さと等しい。第３アノード端子部６１Ｂの厚さは、第１アノード端子部６１Ｒ（図７Ａ参照）の厚さと等しい。
【０１５０】
図５及び図７Ｃに示すように、第３アノード支持部６２Ｂは、第２のツェナーダイオード２３を支持している。より詳細には、第３アノード支持部６２Ｂの表面には、導電性接合材６３を介して第２のツェナーダイオード２３が実装されている。第２のツェナーダイオード２３は、第１の方向Ｘにおいて第３アノード支持部６２Ｂのうちの第３アノード端子部６１Ｂ寄り、かつ、第２の方向Ｙにおいて第３アノード支持部６２Ｂのうちの第１アノード支持部６２Ｒ寄りに配置されている。
【０１５１】
図５に示すように、カソード側リード７０は、ＬＥＤモジュール２０の端子であって、各発光ダイオード２１Ｒ，２１Ｇ，２１Ｂのカソード側の端子を形成している。カソード側リード７０は、第１の方向Ｘにおいてケース８０の他方寄り（図５のＸ２側）に配置されている。カソード側リード７０は、例えば銅、ニッケル、又はこれらの合金により形成されている。カソード側リード７０は、第１発光ダイオード２１Ｒのカソードに接続される第１カソード側電極の一例である第１カソード側リード７０Ｒ、第２発光ダイオード２１Ｇのカソードに接続される第２カソード側電極の一例である第２カソード側リード７０Ｇ、及び第３発光ダイオード２１Ｂのカソードに接続される第３カソード側電極の一例である第３カソード側リード７０Ｂを含む。第１カソード側リード７０Ｒ、第２カソード側リード７０Ｇ、及び第３カソード側リード７０Ｂは、第２の方向Ｙにおいて間隔を空けて配列されている。第２の方向Ｙにおいて第１カソード側リード７０Ｒの一方側（図５のＹ１側）に第２カソード側リード７０Ｇが配置され、第１カソード側リード７０Ｒの他方側（図５のＹ２側）に第３カソード側リード７０Ｂが配置されている。
【０１５２】
第１カソード側リード７０Ｒは、第１の方向Ｘに延びている。第１カソード側リード７０Ｒは、平面視においてＴ字状に形成されている。第１カソード側リード７０Ｒは、第１カソード端子部７１Ｒ及び第１カソード支持部７２Ｒを有する。第１カソード端子部７１Ｒ及び第１カソード支持部７２Ｒは、単一部材により一体に形成されている。第１カソード端子部７１Ｒは、第１の方向Ｘにおいてケース８０の外側寄りに配置されている。第１カソード端子部７１Ｒの先端部は、第１の方向Ｘにおいてケース８０から外部に突出している。図６に示すように、第１カソード端子部７１Ｒの全体は、ケース８０の裏面８２から露出している。第２の方向Ｙにおいて、第１カソード端子部７１Ｒの位置は、第１アノード端子部６１Ｒの位置と等しい。
【０１５３】
図５に示すように、第１カソード支持部７２Ｒは、第１カソード側リード７０Ｒにおいて網掛けが付された部分である。第１カソード支持部７２Ｒは、第１カソード端子部７１Ｒよりもケース８０の内側に位置している。第１カソード支持部７２Ｒは、第２の方向Ｙにおいて第１カソード端子部７１Ｒの両側から突出した形状を有する。このため、第１カソード支持部７２Ｒの幅（第２の方向Ｙの寸法）は、第１カソード端子部７１Ｒの幅（第２の方向Ｙの幅）よりも大きい。図７Ａに示すように、第１カソード支持部７２Ｒの厚さは、第１カソード端子部７１Ｒの厚さよりも薄い。第３の方向Ｚにおいて、第１カソード支持部７２Ｒの表面の位置と第１カソード端子部７１Ｒの表面の位置は互いに等しい。
【０１５４】
第２カソード側リード７０Ｇは、平面視においてＬ字状に形成されている。第２カソード側リード７０Ｇの第１の方向Ｘの最大寸法は、第１カソード側リード７０Ｒの第１の方向Ｘの最大寸法よりも大きく、第２カソード側リード７０Ｇの第２の方向Ｙの最大寸法は、第１カソード側リード７０Ｒの第２の方向Ｙの最大寸法よりも大きい。第２カソード側リード７０Ｇは、第２カソード端子部７１Ｇ及び第２カソード支持部７２Ｇを有する。第２カソード端子部７１Ｇ及び第２カソード支持部７２Ｇは、単一部材により一体に形成されている。第２カソード端子部７１Ｇは、第１の方向Ｘに延びている。第２カソード端子部７１Ｇは、第１の方向Ｘにおいてケース８０の外側寄りに配置されている。第２カソード端子部７１Ｇの先端部は、第１の方向Ｘにおいてケース８０から外部に突出している。図６に示すように、第２カソード端子部７１Ｇの全体は、ケース８０の裏面８２から露出している。第１の方向Ｘにおいて第２カソード端子部７１Ｇの位置は、第１カソード端子部７１Ｒの位置と等しい。
【０１５５】
図５に示すように、第２カソード支持部７２Ｇは、第２カソード側リード７０Ｇにおいて網掛けが付された部分であり、Ｌ字状に形成されている。第２カソード支持部７２Ｇは、第２カソード端子部７１Ｇよりもケース８０の内側に位置している。第２カソード支持部７２Ｇは、第２カソード端子部７１Ｇから第１の方向Ｘに沿って延びる第１部分７５ａと、第１部分７５ａから第３カソード側リード７０Ｂに向けて第２の方向Ｙに沿って延びる第２部分７５ｂとを含む。第２部分７５ｂは、第１の方向Ｘにおいて第１カソード側リード７０Ｒよりも一方側（図５のＸ１側）に位置している。具体的には、第２部分７５ｂは、第１の方向Ｘにおいて第１カソード側リード７０Ｒと第１アノード側リード６０Ｒとの間に位置している。また第２部分７５ｂは、第２の方向Ｙにおいて第１カソード側リード７０Ｒ及び第１アノード側リード６０Ｒと重なる位置に位置している。図７Ｂに示すように、第２カソード支持部７２Ｇの厚さは、第２カソード端子部７１Ｇの厚さよりも薄い。第３の方向Ｚにおいて、第２カソード支持部７２Ｇの表面の位置と第２カソード端子部７１Ｇの表面の位置とは互いに等しい。第２カソード支持部７２Ｇの厚さは、第１カソード支持部７２Ｒ（図７Ａ参照）の厚さと等しい。第２カソード端子部７１Ｇの厚さは、第１カソード端子部７１Ｒ（図７Ａ参照）の厚さと等しい。
【０１５６】
図５及び図７Ｂに示すように、第２カソード支持部７２Ｇは、第２発光ダイオード２１Ｇを支持している。より詳細には、第２カソード支持部７２Ｇの第２部分７５ｂにおける先端部の表面には、導電性接合材７４を介して第２発光ダイオード２１Ｇが実装されている。導電性接合材７４は、例えば銀ペースト又ははんだが用いられている。第２発光ダイオード２１Ｇは、第１の方向Ｘにおいて第１カソード側リード７０Ｒよりも一方側（図５のＸ１側）、かつ、第２の方向Ｙにおいて第１カソード側リード７０Ｒと重なる位置に配置されている。
【０１５７】
第３カソード側リード７０Ｂは、平面視においてＬ字状に形成されている。第３カソード側リード７０Ｂの第１の方向Ｘの最大寸法は、第２カソード側リード７０Ｇの第１の方向Ｘの最大寸法と等しく、第３カソード側リード７０Ｂの第２の方向Ｙの最大寸法は、第２カソード側リード７０Ｇの第２の方向Ｙの最大寸法と等しい。第２の方向Ｙにおいて、第３カソード側リード７０Ｂにおける第２の方向Ｙの他方側（図５のＹ２側）の部分は、ケース８０の開口部８１を構成する周壁と重なっている。第３カソード側リード７０Ｂは、第３カソード端子部７１Ｂ及び第３カソード支持部７２Ｂを有する。第３カソード端子部７１Ｂ及び第３カソード支持部７２Ｂは、単一部材により一体に形成されている。第３カソード端子部７１Ｂは、第１の方向Ｘにおいてケース８０の外側寄りに配置されている。第３カソード端子部７１Ｂの先端部は、第１の方向Ｘにおいてケース８０から外部に突出している。図６に示すように、第３カソード端子部７１Ｂの全体は、ケース８０の裏面８２から露出している。第１の方向Ｘにおいて第３カソード端子部７１Ｂの位置は、第１カソード端子部７１Ｒの位置と等しい。
【０１５８】
図５に示すように、第３カソード支持部７２Ｂは、第３カソード側リード７０Ｂにおいて網掛けが付された部分であり、Ｌ字状に形成されている。第３カソード支持部７２Ｂは、第３カソード端子部７１Ｂよりもケース８０の内側に位置している。第３カソード支持部７２Ｂは、第３カソード端子部７１Ｂから第１の方向Ｘに沿って延びる第１部分７６ａと、第１部分７６ａから第２カソード側リード７０Ｇに向けて第２の方向Ｙに沿って延びる第２部分７６ｂとを含む。第２部分７６ｂは、第１の方向Ｘにおいて第１カソード側リード７０Ｒよりも一方側（図５のＸ１側）に位置している。具体的には、第２部分７６ｂは、第１の方向Ｘにおいて第１カソード側リード７０Ｒと第１アノード側リード６０Ｒとの間に位置している。また第２部分７６ｂは、第２の方向Ｙにおいて第１カソード側リード７０Ｒと重なる位置に位置している。図７Ｃに示すように、第３カソード支持部７２Ｂの厚さは、第３カソード端子部７１Ｂの厚さよりも薄い。第３の方向Ｚにおいて、第３カソード支持部７２Ｂの表面の位置と第３カソード端子部７１Ｂの表面の位置とは互いに等しい。第３カソード支持部７２Ｂの厚さは、第１カソード支持部７２Ｒ（図７Ａ参照）の厚さと等しい。第３カソード端子部７１Ｂの厚さは、第１カソード端子部７１Ｒ（図７Ａ参照）の厚さと等しい。
【０１５９】
図５に示すように、第３カソード支持部７２Ｂは、第３発光ダイオード２１Ｂを支持している。より詳細には、第３カソード支持部７２Ｂの第２部分７６ｂにおける先端部の表面には、導電性接合材７４を介して第３発光ダイオード２１Ｂが実装されている。これにより、第３発光ダイオード２１Ｂのカソードと第３カソード支持部７２Ｂ（第２カソード側リード７０Ｂ）とが電気的に接続されている。第３発光ダイオード２１Ｂは、第１の方向Ｘにおいて第１カソード側リード７０Ｒよりも一方側（図５のＸ１側）、かつ、第２の方向Ｙにおいて第１カソード側リード７０Ｒと重なる位置に配置されている。
【０１６０】
第１発光ダイオード２１Ｒは、例えばＧａＡｓ基板とＡｌＧａＩｎＰ半導体層とを有する１ワイヤタイプのＬＥＤチップとして構成されている。第１発光ダイオード２１Ｒの裏面電極（アノード）は、導電性接合材６３を介して第１アノード支持部６２Ｒに接続されている。これにより、第１発光ダイオード２１Ｒのアノードは、第１アノード側リード６０Ｒに電気的に接続されている。第１発光ダイオード２１Ｒの表面電極には、ワイヤＷ１の第１端部が接続されている。ワイヤＷ１の第２端部は、第１カソード側リード７０Ｒにおける第１カソード端子部７１Ｒと第１カソード支持部７２Ｒとの境界部分（図５中の破線部分）に接続されている。なお、第１発光ダイオード２１Ｒとして、例えばゲルマニウムやシリコンなどの導電性基板とＡｌＧａＩｎＰ半導体層とを金属層（反射層）で接合した高輝度タイプの発光ダイオードを用いてもよい。
【０１６１】
第２発光ダイオード２１Ｇは、例えばサファイヤ基板やＳｉＣ基板とＧａＮ系半導体層とを有する２ワイヤタイプのＬＥＤチップとして構成されている。第２発光ダイオード２１Ｇの表面には、２つの表面電極（アノード及びカソード）を有する。第２発光ダイオード２１Ｇのアノードには、ワイヤＷ２の第１端部が接続されている。ワイヤＷ２の第２端部は、第２アノード側リード６０Ｇの第２アノード支持部６２Ｇの先端部における第１アノード支持部６２Ｒ寄りに接続されている。第２発光ダイオード２１Ｇのカソードには、ワイヤＷ３の第１端部が接続されている。ワイヤＷ３の第２端部は、第２カソード側リード７０Ｇにおける第２カソード端子部７１Ｇと第２カソード支持部７２Ｇとの境界部分（図５中の破線部分）に接続されている。なお、第２発光ダイオード２１Ｇとして、例えばゲルマニウムやシリコンなどの導電性基板とＧａＮ系半導体層とを金属層（反射層）で接合した高輝度タイプの発光ダイオードを用いてもよい。
【０１６２】
第３発光ダイオード２１Ｂは、例えばサファイヤ基板やＳｉＣ基板とＧａＮ系半導体層とを有する２ワイヤタイプのＬＥＤチップとして構成されている。第３発光ダイオード２１Ｂの表面には、２つの表面電極（アノード及びカソード）を有する。第３発光ダイオード２１Ｂの２つの表面電極の配置位置と第２発光ダイオード２１Ｇの２つの表面電極の配置位置とは互いに等しい。第３発光ダイオード２１Ｂのアノードには、ワイヤＷ４の第１端部が接続されている。ワイヤＷ４の第２端部は、第３アノード側リード６０Ｂの第３アノード支持部６２Ｂの先端部における第１アノード支持部６２Ｒ寄りに接続されている。第３発光ダイオード２１Ｂのカソードには、ワイヤＷ５の第１端部が接続されている。ワイヤＷ５の第２端部は、第３カソード側リード７０Ｂにおける第３カソード端子部７１Ｂと第３カソード支持部７２Ｂとの境界部分（図５中の破線部分）に接続されている。なお、第３発光ダイオード２１Ｂとして、例えばゲルマニウムやシリコンなどの導電性基板とＧａＮ系半導体層とを金属層（反射層）で接合した高輝度タイプの発光ダイオードを用いてもよい。
【０１６３】
第１のツェナーダイオード２２は、表面電極（アノード）及び裏面電極（カソード）を含む。第１のツェナーダイオード２２の裏面電極は、導電性接合材６３を介して第２アノード側リード６０Ｇの第２アノード支持部６２Ｇに接続されている。第１のツェナーダイオード２２の表面電極には、ワイヤＷ６の第１端部が接続されている。ワイヤＷ６の第２端部は、第２カソード側リード７０Ｇの第２カソード支持部７２Ｇに接続されている。これにより、第１のツェナーダイオード２２は、第２発光ダイオード２１Ｇに過大な逆電圧が印加されることが回避できるように第２発光ダイオード２１Ｇと逆並列に接続されている。
【０１６４】
第２のツェナーダイオード２３は、表面電極（アノード）及び裏面電極（カソード）を含む。第２のツェナーダイオード２３の裏面電極は、導電性接合材６３を介して第３アノード側リード６０Ｂの第３アノード支持部６２Ｂに接続されている。第２のツェナーダイオード２３の表面電極には、ワイヤＷ７の第１端部が接続されている。ワイヤＷ７の第２端部は、第３カソード側リード７０Ｂの第３カソード支持部７２Ｂに接続されている。これにより、第２のツェナーダイオード２３は、第３発光ダイオード２１Ｂに過大な逆電圧が印加されることが回避できるように第３発光ダイオード２１Ｂと逆並列に接続されている。
【０１６５】
識別部５０は、第２の方向Ｙにおいてアノード側リード６０及びカソード側リード７０よりも一方側（図５のＹ１側）に間隔を空けて配置されている。詳細には、識別部５０は、第２アノード側リード６０Ｇ及び第２カソード側リード７０Ｇよりも第２の方向Ｙの一方側（図５のＹ１側）に配置されている。識別部５０は、抵抗素子５１と、抵抗素子５１を支持する支持電極の一例である支持リード５２とを有する。
【０１６６】
支持リード５２は、ＬＥＤモジュール２０の端子であって、抵抗素子５１（識別部５０）に対する入力端子及び出力端子を形成している。支持リード５２は、例えば銅、ニッケル、又はこれらの合金により形成されている。第２の方向Ｙにおいて、支持リード５２における第２の方向Ｙの一方側（図５のＹ１側）の部分は、ケース８０の開口部８１を構成する周壁と重なっている。支持リード５２は、入力端子を構成する第１支持電極の一例である第１支持リード５３と、出力端子を構成する第２支持電極の一例である第２支持リード５４とを有する。第１の方向Ｘにおいて、第１支持リード５３はケース８０の一方側（図５のＸ１側）に配置され、第２支持リード５４はケース８０の他方側（図５のＸ２側）に配置されている。第２の方向Ｙにおいて、第１支持リード５３の位置と第２支持リード５４の位置とは等しい。第１支持リード５３と第２支持リード５４とは、第１の方向Ｘにおいて間隔を空けて対向している。
【０１６７】
第１支持リード５３は、第１の方向Ｘに延びている。第１支持リード５３の第１の方向Ｘの長さは、第１アノード側リード６０Ｒの第１の方向Ｘの長さと等しい。第１支持リード５３は、第１端子部５３ａ及び第１支持部５３ｂを有する。第１端子部５３ａ及び第１支持部５３ｂは、単一部材により一体に形成されている。第１端子部５３ａは、第１の方向Ｘにおいてケース８０の外側寄りに配置されている。第１端子部５３ａの先端部は、第１の方向Ｘにおいてケース８０から外部に突出している。図６に示すように、第１端子部５３ａの全体は、ケース８０の裏面８２から露出している。第１の方向Ｘにおいて第１端子部５３ａの位置は、第１アノード端子部６１Ｒの位置と等しい。
【０１６８】
第１支持部５３ｂは、第１支持リード５３において網掛けが付された部分である。第１支持部５３ｂは、第１端子部５３ａよりもケース８０の内側に位置している。第１の方向Ｘにおいて第１支持部５３ｂの位置は、第１アノード支持部６２Ｒの位置と等しい。第１支持部５３ｂの幅（第２の方向Ｙの寸法）は、第１端子部５３ａの幅（第２の方向Ｙの寸法）よりも大きい。具体的には、第１支持部５３ｂは、第１端子部５３ａから第２アノード支持部６２Ｇに向けて突出している。一方、第１支持部５３ｂは、第１端子部５３ａから第２アノード支持部６２Ｇとは反対側には突出していない。第２の方向Ｙにおいて、第１支持部５３ｂと第２アノード支持部６２Ｇとの間の距離は、第１端子部５３ａと第２アノード端子部６１Ｇとの間の距離よりも短い。図７Ｄに示すように、第１支持部５３ｂの厚さは、第１端子部５３ａの厚さよりも薄い。第３の方向Ｚにおいて、第１支持部５３ｂの表面の位置と第１端子部５３ａの表面の位置とは互いに等しい。第１支持部５３ｂの厚さは、第１アノード支持部６２Ｒ（図７Ａ参照）の厚さと等しい。第１端子部５３ａの厚さは、第１アノード端子部６１Ｒ（図７Ａ参照）の厚さと等しい。
【０１６９】
第２支持リード５４は、第１の方向Ｘに延びている。第２支持リード５４の第１の方向Ｘの長さは、第１カソード側リード７０Ｒの第１の方向Ｘの長さと等しく、第１支持リード５３の第１の方向Ｘの長さと等しい。第２支持リード５４は、第２端子部５４ａ及び第２支持部５４ｂを有する。第２端子部５４ａ及び第２支持部５４ｂは、単一部材により一体に形成されている。第２端子部５４ａは、第１の方向Ｘにおいてケース８０の外側寄りに配置されている。第２端子部５４ａの先端部は、第１の方向Ｘにおいてケース８０から外部に突出している。図６に示すように、第２端子部５４ａの全体は、ケース８０の裏面８２から露出している。第１の方向Ｘにおいて第２端子部５４ａの位置は、第１アノード端子部６１Ｒの位置と等しい。
【０１７０】
第２支持部５４ｂは、第２支持リード５４において網掛けが付された部分である。第２支持部５４ｂは、第２端子部５４ａよりもケース８０の内側に位置している。第１の方向Ｘにおいて第２支持部５４ｂの位置は、第２カソード支持部７２Ｇの位置と等しい。第２支持部５４ｂの幅（第２の方向Ｙの寸法）は、第２端子部５４ａの幅（第２の方向Ｙの寸法）よりも大きい。具体的には、第２支持部５４ｂは、第２端子部５４ａから第２カソード支持部７２Ｇに向けて突出している。一方、第２支持部５４ｂは、第２端子部５４ａから第２カソード支持部７２Ｇとは反対側には突出していない。第２の方向Ｙにおいて、第２支持部５４ｂと第２カソード支持部７２Ｇとの間の距離は、第２端子部５４ａと第２カソード端子部７１Ｇとの間の距離よりも短い。図７Ｄに示すように、第２支持部５４ｂの厚さは、第２端子部５４ａの厚さよりも薄い。第３の方向Ｚにおいて、第２支持部５４ｂの表面と第２端子部５４ａの表面との位置は等しい。第２支持部５４ｂの厚さは、第１アノード支持部６２Ｒ（図７Ａ参照）の厚さと等しい。第２端子部５４ａの厚さは、第１アノード端子部６１Ｒ（図７Ａ参照）の厚さと等しい。
【０１７１】
抵抗素子５１は、平面視において長方形状に形成され、その長手方向の両端部に第１端子５１ａ及び第２端子５１ｂを有するチップ抵抗器である。抵抗素子５１は、セラミック基板などの絶縁基板の両端にメッキなどにより第１端子５１ａ及び第２端子５１ｂが形成され、第１端子５１ａと第２端子５１ｂとの間に抵抗膜（不図示）が接続されており、抵抗膜の表面は保護膜（不図示）により覆われた構成である。保護膜は、各発光ダイオード２１Ｒ，２１Ｇ，２１Ｂからの光を吸収しないように、白色又は白色系であることが好ましい。なお、保護膜は、黒色や緑色などの他の色であってもよい。また、抵抗素子５１は、ＬＥＤモジュール２０のサイズが大きくなることを抑制し、かつ各発光ダイオード２１Ｒ，２１Ｇ，２１Ｂからの光の吸収を抑制するため、小さいことが好ましい。例えば、ＬＥＤモジュール２０の平面視において、抵抗素子５１は、０．６ｍｍ×０．３ｍｍや０．４ｍｍ×０．２ｍｍのサイズ又はそのサイズ以下のサイズが好ましい。抵抗素子５１の厚みは、１００μｍ以上かつ５００μｍ以下の範囲のものが使用可能である。この厚みは、２００μｍが好ましく、１５０μｍ以下がさらに好ましい。また、第３の方向Ｚにおいて、抵抗素子５１の上面は、各発光ダイオード２１Ｒ，２１Ｇ，２１Ｂの上面よりも低い位置、すなわち第３の方向Ｚの支持リード５２寄りの位置となることが好ましい。これにより、各発光ダイオード２１Ｒ，２１Ｇ，２１Ｂの発光部の上面は、第３の方向ＺにおいてＬＥＤモジュール２０の上端近傍に位置するため、抵抗素子５１の上面の第３の方向Ｚの位置が低くなるにつれて抵抗素子５１が各発光ダイオード２１Ｒ，２１Ｇ，２１Ｂからの光を吸収することを抑制することができる。例えば、第３の方向Ｚにおいて、抵抗素子５１の上面は、各発光ダイオード２１Ｒ，２１Ｇ，２１Ｂのうちの最も低い発光ダイオードの上面よりも低いことが好ましい。また、第３の方向Ｚにおいて、抵抗素子５１の上面は、各発光ダイオード２１Ｒ，２１Ｇ，２１Ｂのうちの抵抗素子５１に最も近い発光ダイオードの上面よりも低いことが好ましい。
【０１７２】
抵抗素子５１は、第１支持リード５３及び第２支持リード５４に跨るように配置され、第１支持リード５３及び第２支持リード５４に電気的に接続されている。より詳細には、抵抗素子５１の第１端子５１ａは、第１支持リード５３の第１支持部５３ｂの先端部にはんだを介して接続されている。抵抗素子５１の第２端子５１ｂは、第２支持リード５４の第２支持部５４ｂの先端部にはんだを介して接続されている。抵抗素子５１は、第１支持部５３ｂ及び第２支持部５４ｂにおいて第２の方向Ｙの他方寄り（図５のＹ２側）に配置されている。なお、抵抗素子５１は、その抵抗値を読み取る必要があるため、各発光ダイオード２１Ｒ，２１Ｇ，２１Ｂとは回路的に分離されている。好ましくは、第１支持リード５３及び第２支持リード５４は、各発光ダイオード２１Ｒ，２１Ｇ，２１Ｂに接続されるアノード側リード６０及びカソード側リード７０とは分離されている。
【０１７３】
次に、図８及び図９Ａ〜図９Ｆを参照して、ＬＥＤモジュール２０の製造方法の一例について説明する。なお、図９Ｂ〜図９Ｆにおける網掛け部分は、網掛けが付されていない部分の板厚よりも薄い板厚の部分であることを示している。
【０１７４】
図８に示すように、ＬＥＤモジュール２０の製造方法は、リード製造工程（ステップＳ４１）、チップ実装工程（ステップＳ４２）、ワイヤ接続工程（ステップＳ４３）、ケース成形工程（ステップＳ４４）、封止樹脂成形工程（ステップＳ４５）、及び分離工程（ステップＳ４６）を含む。
【０１７５】
リード製造工程では、金属板１００からアノード側リード６０、カソード側リード７０、及び支持リード５２がプレス加工により形成される。
具体的には、図９Ａに示すように、金属板１００がプレス加工機の下型（図示略）にセットされる。金属板１００は、アノード側リード６０、カソード側リード７０、及び支持リード５２（ともに図５参照）の材料となるものであり、銅、ニッケル、又はこれらの合金から形成されている。金属板１００には、金属板１００を板厚方向に貫通する開口部１０１、３つのアノード側突出部１０２、１つのカソード側突出部１０３、第１突出部１０４、及び第２突出部１０５が形成されている。３つのアノード側突出部１０２、１つのカソード側突出部１０３、第１突出部１０４、及び第２突出部１０５は、開口部１０１内において第１の方向Ｘに延びている。３つのアノード側突出部１０２のそれぞれの幅（第２の方向Ｙの寸法）と、第１突出部１０４の幅（第２の方向Ｙの寸法）と、第２突出部１０５の幅（第２の方向Ｙの寸法）とは互いに等しい。カソード側突出部１０３の幅（第２の方向Ｙの寸法）は、１つのアノード側突出部１０２の幅よりも大きい。３つのアノード側突出部１０２は、各アノード側リード６０Ｒ，６０Ｇ，６０Ｂの各支持部６２Ｒ，６２Ｇ，６２Ｂ（ともに図５参照）を形成するための部分である。カソード側突出部１０３は、各カソード側リード７０Ｒ，７０Ｇ，７０Ｂの各支持部７２Ｒ，７２Ｇ，７２Ｂ（ともに図５参照）を形成するための部分である。第１突出部１０４は、第１支持リード５３の第１支持部５３ｂ（図５参照）を形成するための部分である。第２突出部１０５は、第２支持リード５４の第２支持部５４ｂ（図５参照）を形成するための部分である。
【０１７６】
次に、図９Ｂに示すように、プレス加工機によって、３つのアノード側突出部１０２、１つのカソード側突出部１０３、第１突出部１０４、及び第２突出部１０５が第１の方向Ｘ及び第２の方向Ｙに向けて延伸される。これにより、３つのアノード側突出部１０２、１つのカソード側突出部１０３、第１突出部１０４、及び第２突出部１０５の平面視における面積が大きくなる。一方、３つのアノード側突出部１０２、１つのカソード側突出部１０３、第１突出部１０４、及び第２突出部１０５の厚さは薄くなる。
【０１７７】
次に、図９Ｃに示すように、プレス加工機によって、３つのアノード側突出部１０２、１つのカソード側突出部１０３、第１突出部１０４、及び第２突出部１０５の一部と、金属板１００において３つのアノード側突出部１０２、１つのカソード側突出部１０３、第１突出部１０４、及び第２突出部１０５よりも外側の部分が打ち抜かれる。これにより、アノード側リード６０、カソード側リード７０、及び支持リード５２が形成される。なお、各アノード側リード６０Ｒ，６０Ｇ，６０Ｂの各端子部６１Ｒ，６１Ｇ，６１Ｂの先端部、各カソード側リード７０Ｒ，７０Ｇ，７０Ｂの各端子部７１Ｒ，７１Ｇ，７１Ｂの先端部、及び各支持リード５３，５４の各端子部５３ａ，５４ａは、金属板１００に接続されている。
【０１７８】
チップ実装工程は、アノード側リード６０及びカソード側リード７０に、各発光ダイオード２１Ｒ，２１Ｇ，２１Ｂを実装する実装工程と、抵抗素子５１を配置する素子配置工程とを有する。本実施形態の実装工程では、図９Ｃのアノード側リード６０及びカソード側リード７０に、各発光ダイオード２１Ｒ，２１Ｇ，２１Ｂ、第１のツェナーダイオード２２、及び第２のツェナーダイオード２３が実装される。より詳細には、第１アノード側リード６０Ｒの第１アノード支持部６２Ｒには、導電性接合材６３が塗布される。そして第１アノード支持部６２Ｒの導電性接合材６３上に第１発光ダイオード２１Ｒが載せられる。第２カソード側リード７０Ｇの第２カソード支持部７２Ｇには、導電性接合材７４が塗布される。そして第２カソード支持部７２Ｇの導電性接合材７４上に第２発光ダイオード２１Ｇが載せられる。第３カソード側リード７０Ｂの第３カソード支持部７２Ｂには、導電性接合材７４が塗布される。そして第３カソード支持部７２Ｂの導電性接合材７４上に第３発光ダイオード２１Ｂが載せられる。第２アノード側リード６０Ｇの第２アノード支持部６２Ｇには、導電性接合材６３が塗布される。そして第２アノード支持部６２Ｇの導電性接合材６３上に第１のツェナーダイオード２２が載せられる。第３アノード側リード６０Ｂの第３アノード支持部６２Ｂには、導電性接合材６３が塗布される。そして第３アノード支持部６２Ｂの導電性接合材６３上に第２のツェナーダイオード２３が載せられる。
【０１７９】
本実施形態の素子配置工程では、図９Ｃの支持リード５２に抵抗素子５１が実装される。より詳細には、第１支持リード５３の第１支持部５３ｂの先端部及び第２支持リード５４の第２支持部５４ｂの先端部のそれぞれにははんだが塗布される。そして第１支持部５３ｂ及び第２支持部５４ｂのはんだ上に抵抗素子５１が載せられる。なお、好ましくは、抵抗素子５１、各ツェナーダイオード２２，２３、及び各発光ダイオード２１Ｒ，２１Ｇ，２１Ｂを接合するための導電性接合材６３，７４は、同一の材料である。
【０１８０】
ここで、素子配置工程は、素子選択工程を有する。本実施形態の素子選択工程では、まず複数種類の抵抗値の抵抗素子５１が用意される。そして複数種類の抵抗値の抵抗素子５１のうち、各発光ダイオード２１Ｇ，２１Ｒ，２１Ｂによって作り出される出射光の色ランクに応じた抵抗値の抵抗素子５１が選択される。より詳細には、各発光ダイオード２１Ｒ，２１Ｇ，２１Ｂによって作り出された出射光の色ランクを示す情報を試験等により予め把握する。そしてその情報を用いて、各発光ダイオード２１Ｇ，２１Ｒ，２１Ｂによって作り出される出射光の色ランクを取得する。そして、各発光ダイオード２１Ｇ，２１Ｒ，２１Ｂによって作り出される出射光の色ランクに応じた８種類の抵抗値Ｘ１〜Ｘ８の抵抗素子５１が用意され、取得した色ランクに対応する抵抗値の抵抗素子５１が選択される。その選択された抵抗素子５１が支持リード５２に実装される。
【０１８１】
ワイヤ接続工程では、図９Ｅに示すように、ワイヤボンディングによってワイヤＷ１〜Ｗ７が形成される。ワイヤＷ１〜Ｗ７の材料は、例えば金又はアルミニウムである。
ケース成形工程では、図９Ｅに示す金属板１００を射出成型機の下型（図示略）に載せる。そして射出成型機による射出成型によって図９Ｆに示すケース８０が成形される。
【０１８２】
封止樹脂成形工程では、ケース８０の開口部８１に封止樹脂９０の材料であるエポキシ樹脂又はシリコーン樹脂を流し込むことによって封止樹脂９０を成形する。
分離工程では、封止樹脂９０が成形された金属板１００をプレス加工機の下型（図示略）に載せる。そして各アノード側リード６０Ｒ，６０Ｇ，６０Ｂの各端子部６１Ｒ，６１Ｇ，６１Ｂの先端部、各カソード側リード７０Ｒ，７０Ｇ，７０Ｂの各端子部７１Ｒ，７１Ｇ，７１Ｂの先端部、及び各支持リード５３，５４の各端子部５３ａ，５４ａと金属板１００との接続部分を切断する。これにより、ＬＥＤモジュール２０が製造される。
【０１８３】
なお、ＬＥＤモジュール２０の製造方法において、チップ実装工程（ステップＳ４２）の前にケース成形工程を行ってもよい。また、チップ実装工程（ステップＳ４２）及びワイヤ接続工程（ステップＳ４３）において、各発光ダイオード２１Ｒ，２１Ｇ，２１Ｂと、第１のツェナーダイオード２２と、第２のツェナーダイオード２３との実装及びワイヤボンディングを行った後又は行う前に、抵抗素子５１を支持リード５２に実装してもよい。
【０１８４】
また、各発光ダイオード２１Ｒ，２１Ｇ，２１Ｂと、第１のツェナーダイオード２２と、第２のツェナーダイオード２３との実装及びワイヤボンディングを行った後に抵抗素子５１を支持リード５２に実装する場合、各発光ダイオード２１Ｒ，２１Ｇ，２１Ｂを発光させることにより作り出された出射光の色ランクを取得してもよい。そして取得した出射光の色ランクに応じた抵抗値の抵抗素子５１を支持リード５２に実装してもよい。
【０１８５】
〔効果〕
本実施形態のＬＥＤモジュール２０によれば、以下の効果を奏する。
（７）第２カソード側リード７０Ｇの第２カソード支持部７２Ｇ及び第３カソード側リード７０Ｂの第３カソード支持部７２Ｂが第１カソード側リード７０Ｒと第１の方向Ｘにおいて重なる位置に配置されている。このため、第２カソード支持部７２Ｇに配置された第２発光ダイオード２１Ｇ及び第３カソード支持部７２Ｂに配置された第３発光ダイオード２１Ｂを互いに近づけることができるとともに第１発光ダイオード２１Ｒに近づけることができる。したがって、第１，第２，第３発光ダイオード２１Ｒ，２１Ｇ，２１Ｂの混色性を高めることができる。
【０１８６】
（８）ＬＥＤモジュール２０は、第２発光ダイオード２１Ｇに逆並列に接続される第１のツェナーダイオード２２と、第３発光ダイオード２１Ｂに逆並列に接続される第２のツェナーダイオード２３とを有する。したがって、第２発光ダイオード２１Ｇ及び第３発光ダイオード２１Ｂに過大な逆電圧が印加されることを回避できる。
【０１８７】
（９）抵抗素子５１は支持リード５２により支持されているため、ＬＥＤモジュール２０の製造過程において、抵抗素子５１の位置を容易に決めることができるとともに、ケース８０の成形工程及び封止樹脂９０の成形工程において、抵抗素子５１の位置ずれが生じることを抑制できる。
【０１８８】
（１０）第１支持リード５３がケース８０から露出する第１端子部５３ａを有し、第２支持リード５４がケース８０から露出する第２端子部５４ａを有する。このため、検出回路３２Ｘが支持リード５２に接続されることによって、抵抗素子５１による各発光ダイオード２１Ｒ，２１Ｇ，２１Ｂによって作り出される出射光の色ランクに関する特性情報を容易に取り出すことができる。
【０１８９】
（１１）第１支持リード５３の第１支持部５３ｂと第２支持リード５４の第２支持部５４ｂとを跨るように抵抗素子５１が配置され、抵抗素子５１と第１支持部５３ｂ及び第２支持部５４ｂとが電気的に接続されていることにより、検出回路３２Ｘから抵抗素子５１に電流を流す構成を容易に実現することができる。
【０１９０】
（１２）第２の方向Ｙにおいて、支持リード５２が各アノード側リード６０Ｒ，６０Ｇ，６０Ｂ及び各カソード側リード７０Ｒ，７０Ｇ，７０Ｂとは異なる位置に配置されている。すなわち第３の方向Ｚにおいて支持リード５２が各アノード側リード６０Ｒ，６０Ｇ，６０Ｂ及び各カソード側リード７０Ｒ，７０Ｇ，７０Ｂに重ならない。このため、ＬＥＤモジュール２０の高さ寸法を小さくすることができる。
【０１９１】
（１３）第２の方向Ｙにおいて、支持リード５２がアノード側リード６０及びカソード側リード７０よりも一方側（図５のＹ１側）に配置されている。すなわち第２の方向Ｙにおいて、第１支持リード５３が第１，第２，第３アノード側リード６０Ｒ，６０Ｇ，６０Ｂのうちの隣り合うアノード側リードの間に配置されない。第２の方向Ｙにおいて、第２支持リード５４が第１，第２，第３カソード側リード７０Ｒ，７０Ｇ，７０Ｂのうちの隣り合うカソード側リードの間に配置されない。したがって、第１，第２，第３アノード側リード６０Ｒ，６０Ｇ，６０Ｂのうちの隣り合うアノード側リードの間の距離が長くなること、及び第１，第２，第３カソード側リード７０Ｒ，７０Ｇ，７０Ｂのうちの隣り合うカソード側リードの間の距離が長くなることが抑制される。したがって、第１，第２，第３発光ダイオード２１Ｒ，２１Ｇ，２１Ｂを互いに近づけることができるため、混色性を高めることができる。
【０１９２】
（１４）第１支持リード５３の第１支持部５３ｂの幅は第１端子部５３ａの幅よりも大きく、第２支持リード５４の第２支持部５４ｂの幅は第２端子部５４ａの幅よりも大きいため、第１支持部５３ｂ及び第２支持部５４ｂに抵抗素子５１を取り付け易くなる。したがって、支持リード５２への抵抗素子５１の取り付けの作業性が高められる。
【０１９３】
（１５）第１支持リード５３の第１端子部５３ａはケース８０の裏面８２から露出する一方、第１支持部５３ｂはケース８０の裏面８２から露出しない。第２支持リード５４の第２端子部５４ａはケース８０の裏面８２から露出する一方、第２支持部５４ｂはケース８０の裏面８２から露出しない。このため、第１の方向Ｘにおいて、第１支持リード５３におけるケース８０の裏面８２から露出している部分と第２支持リード５４におけるケース８０の裏面８２から露出している部分との間の距離を長くすることができる。したがって、ＬＥＤモジュール２０が回路基板のランド等に実装される場合における第１支持リード５３と第２支持リード５４との電気的絶縁性を高めることができる。
【０１９４】
（１６）第１支持リード５３の第１支持部５３ｂの板厚は第１端子部５３ａの板厚よりも薄く、第２支持リード５４の第２支持部５４ｂの板厚は第２端子部５４ａの板厚よりも薄い。このため、第１支持部５３ｂの裏面側及び第２支持部５４ｂの裏面側にケース８０の樹脂が充填されるため、ケース８０と支持リード５２との接触面積が増加する。これにより、ケース８０と支持リード５２との密着性が高められる。したがって、ケース８０から支持リード５２が外れることを抑制できる。
【０１９５】
（１７）第２の方向Ｙにおいて、第１支持リード５３の第１支持部５３ｂは第１端子部５３ａから第２アノード側リード６０Ｇ側のみに向けて突出している。第２の方向Ｙにおいて、第２支持リード５４の第２支持部５４ｂは第２端子部５４ａから第２カソード側リード７０Ｇ側のみに向けて突出している。このため、第２の方向Ｙにおいて、第１アノード端子部６１Ｒ、第２アノード端子部６１Ｇ、第３アノード端子部６１Ｂ、及び第１端子部５３ａが等ピッチに配置された状態で、第３アノード側リード６０Ｂの他方側（図５のＹ２側）の端部から第１支持リード５３の一方側（図５のＹ１側）の端部までの距離を短くすることができる。また、第１カソード端子部７１Ｒ、第２カソード端子部７１Ｇ、第３カソード端子部７１Ｂ、及び第２端子部５４ａが等ピッチに配置された状態で、第３カソード側リード７０Ｂの他方側（図５のＹ２側）の端部から第２支持リード５４の一方側（図５のＹ１側）の端部までの距離のそれぞれを短くすることができる。したがって、端子が不等ピッチで配置されることに起因するＬＥＤモジュール２０の美観の低下を抑制するとともに、第２の方向ＹにおいてＬＥＤモジュール２０のサイズを小さくすることができる。
【０１９６】
（１８）第２の方向Ｙにおける第１支持リード５３及び第２支持リード５４のそれぞれの一方側（図５のＹ１側）の端部は、ケース８０の周壁に埋め込まれている。このため、ケース８０の開口部８１内に第１支持リード５３及び第２支持リード５４が配置される構成に比べ、第２の方向ＹにおいてＬＥＤモジュール２０のサイズを小さくすることができる。
【０１９７】
（１９）第２アノード側リード６０Ｇの第２アノード支持部６２Ｇが第１アノード支持部６２Ｒ側のみに突出している。第２カソード側リード７０Ｇの第２カソード支持部７２Ｇが第３カソード支持部７２Ｂ側のみに突出している。このため、識別部５０を第２アノード側リード６０Ｇ及び第２カソード側リード７０Ｇに寄せることができるため、第２の方向ＹにおけるＬＥＤモジュール２０の小型化を図ることができる。
【０１９８】
（２０）第３アノード側リード６０Ｂの第３アノード支持部６２Ｂが第１アノード支持部６２Ｒ側のみに突出している。第３カソード側リード７０Ｂの第３カソード支持部７２Ｂが第２カソード支持部７２Ｇ側のみに突出している。このため、第３アノード側リード６０Ｂ及び第３カソード側リード７０Ｂを第２の方向Ｙの他方寄り（図５のＹ２側）に配置することができるため、第２の方向ＹにおけるＬＥＤモジュール２０の小型化を図ることができる。
【０１９９】
（２１）第２カソード側リード７０Ｇの第２カソード支持部７２Ｇ及び第３カソード側リード７０Ｂの第３カソード支持部７２Ｂが互いに近づくように第２の方向Ｙに沿って延びている。このため、第１アノード側リード６０Ｒの第１アノード支持部６２Ｒに配置された第１発光ダイオード２１Ｒと、第２カソード支持部７２Ｇに配置された第２発光ダイオード２１Ｇと、第３カソード支持部７２Ｂに配置された第３発光ダイオード２１Ｂとを互いに近づけることができる。したがって、各発光ダイオード２１Ｒ，２１Ｇ，２１Ｂの混色性を高めることができる。
【０２００】
（２２）第１のツェナーダイオード２２が第２アノード側リード６０Ｇに配置され、第２発光ダイオード２１Ｇが第２カソード側リード７０Ｇに配置されている。このため、第１のツェナーダイオード２２及び第２発光ダイオード２１Ｇが第２アノード側リード６０Ｇ及び第２カソード側リード７０Ｇのいずれかのみに配置される構成に比べ、第１のツェナーダイオード２２及び第２発光ダイオード２１Ｇが配置されるリードの長さを短くすることができる。したがって、リード製造工程、又は第１のツェナーダイオード２２及び第２発光ダイオード２１Ｇの実装工程において、第１のツェナーダイオード２２が配置される第２アノード側リード６０Ｇと、第２発光ダイオード２１Ｇが配置される第２カソード側リード７０Ｇとのそれぞれが第３の方向Ｚにおいて変形することを抑制できる。
【０２０１】
（２３）第２のツェナーダイオード２３が第３アノード側リード６０Ｂに配置され、第３発光ダイオード２１Ｂが第３カソード側リード７０Ｂに配置されている。このため、第２のツェナーダイオード２３及び第３発光ダイオード２１Ｂが第３アノード側リード６０Ｂ及び第３カソード側リード７０Ｂのいずれかのみに配置される構成に比べ、第２のツェナーダイオード２３及び第３発光ダイオード２１Ｂが配置されるリードの長さを短くすることができる。したがって、リード製造工程、又は第２のツェナーダイオード２３及び第３発光ダイオード２１Ｂの実装工程において、第２のツェナーダイオード２３が配置される第３アノード側リード６０Ｂと、第３発光ダイオード２１Ｂが配置される第３カソード側リード７０Ｂとのそれぞれが第３の方向Ｚにおいて変形することを抑制できる。
【０２０２】
（２４）アノード側リード６０、カソード側リード７０、及び支持リード５２は、１枚の金属板１００から一体に形成される。このため、第３の方向Ｚにおけるアノード側リード６０、カソード側リード７０、及び支持リード５２の位置ずれを抑制できる。加えて、アノード側リード６０、カソード側リード７０、及び支持リード５２を個別に形成する場合に比べ、アノード側リード６０、カソード側リード７０、及び支持リード５２のそれぞれを配置する工程を省略することができるため、ＬＥＤモジュール２０の製造が容易となり、ＬＥＤモジュール２０の低コスト化を図ることができる。
【０２０３】
（２５）図９Ｂ及び図９Ｃに示すように、金属板１００を延伸することによりアノード側リード６０の各アノード支持部６２Ｒ，６２Ｇ，６２Ｂ、カソード側リード７０の各カソード支持部７２Ｒ，７２Ｇ，７２Ｂ、及び支持リード５２の各支持部５３ｂ，５４ｂが形成される。このため、各アノード支持部６２Ｒ，６２Ｇ，６２Ｂ、各カソード支持部７２Ｒ，７２Ｇ，７２Ｂ、及び各支持部５３ｂ，５４ｂを容易に形成することができる。
【０２０４】
（２６）アノード側リード６０の各アノード支持部６２Ｒ，６２Ｇ，６２Ｂの板厚は各アノード端子部６１Ｒ，６１Ｇ，６１Ｂの板厚よりも薄く、カソード側リード７０の各カソード支持部７２Ｒ，７２Ｇ，７２Ｂの板厚は各カソード端子部７１Ｒ，７１Ｇ，７１Ｂの板厚よりも薄い。このため、各アノード支持部６２Ｒ，６２Ｇ，６２Ｂの裏面側及び各カソード支持部７２Ｒ，７２Ｇ，７２Ｂの裏面側にケース８０の樹脂が充填されるため、アノード側リード６０及びカソード側リード７０とケース８０との接触面積が増加する。これにより、アノード側リード６０及びカソード側リード７０とケース８０との密着性が高められる。したがって、アノード側リード６０及びカソード側リード７０がケース８０から外れることを抑制できる。
【０２０５】
（第２実施形態）
第２実施形態のＬＥＤ駆動システム１の構成について説明する。本実施形態のＬＥＤ駆動システム１は、第１実施形態のＬＥＤ駆動システム１に比べ、制御装置４０の記憶部４２に記憶されているテーブルの内容が異なる。以降の説明において、第１実施形態のＬＥＤ駆動システム１の構成と同じ構成要素には同一符号を付し、その説明を省略する。また第２実施形態のＬＥＤ駆動システム１の構成は、第１実施形態のＬＥＤ駆動システム１の構成と同じであるため、以下で説明するＬＥＤ駆動システム１の構成要素は、図１及び図２のＬＥＤ駆動システム１の構成要素を示す。
【０２０６】
記憶部４２には、表３に示すように、第１発光ダイオード２１Ｒの出射光の色ランク、第２発光ダイオード２１Ｇの出射光の色ランク、及び第３発光ダイオード２１Ｂの出射光の色ランクの組合せと、抵抗素子５１の抵抗値との関係を示すテーブルが記憶されている。各発光ダイオード２１Ｒ，２１Ｇ，２１Ｂの出射光の色ランクが４段階に区分されているため、各発光ダイオード２１Ｒ，２１Ｇ，２１Ｂの出射光の色ランクの組合せは、６４通りとなる。このため、抵抗値が互いに異なる６４種類の抵抗素子５１が用意される。抵抗素子５１の抵抗値Ｙ１〜Ｙ６４の最小値と最大値との範囲は、１００Ω以上かつ１０ｋΩ以下の範囲で設定されることが好ましい。
【０２０７】
【表３】
2018143282.tif 000005
【０２０８】
第１発光ダイオード２１Ｒの出射光の色ランクは第１発光ダイオード２１Ｒの製造段階で検査される。第２発光ダイオード２１Ｇの出射光の色ランクは第２発光ダイオード２１Ｇの製造段階で検査される。第３発光ダイオード２１Ｂの出射光の色ランクは第３発光ダイオード２１Ｂの製造段階で検される。このため、ＬＥＤモジュール２０を構成する各発光ダイオード２１Ｒ，２１Ｇ，２１Ｂのそれぞれの出射光の色ランクの組合せを容易に把握できる。
【０２０９】
ＬＥＤモジュール２０の製造工程では、チップ実装工程において、６４種類の抵抗値の抵抗素子５１のうち、各発光ダイオード２１Ｒ，２１Ｇ，２１Ｂのそれぞれの出射光の色ランクの組合せに応じた抵抗値の抵抗素子５１が選択される。そして選択された抵抗素子５１が支持リード５２に実装される。
【０２１０】
記憶部４２には、表４に示すような抵抗素子５１の抵抗値と各発光ダイオード２１Ｒ，２１Ｇ，２１ＢのＤＵＴＹ値との関係を示すテーブルが予め記憶されている。表４に示す抵抗素子５１の抵抗値と各発光ダイオード２１Ｒ，２１Ｇ，２１Ｂの各ＤＵＴＹ値との関係を示すテーブルは、試験等により予め決められる。制御装置４０は、抵抗素子５１の抵抗値から表４のテーブルを用いて第１ＤＵＴＹ値、第２ＤＵＴＹ値、及び第３ＤＵＴＹ値を取得する。
【０２１１】
【表４】
2018143282.tif 000006
【０２１２】
本実施形態の設定処理は、第１実施形態の設定処理と同様の手順で行われる。すなわち、制御装置４０は、検出部３２から出力される電圧値（特性情報）に基づいて、抵抗素子５１の抵抗値を演算した後、その演算した抵抗値から表４のテーブルを用いて第１ＤＵＴＹ値、第２ＤＵＴＹ値、及び第３ＤＵＴＹ値を取得する。ＬＥＤ駆動回路３０は、第１ＤＵＴＹ値、第２ＤＵＴＹ値、及び第３ＤＵＴＹ値に基づいて各発光ダイオード２１Ｒ，２１Ｇ，２１Ｂのそれぞれを駆動させる。
【０２１３】
本実施形態のＬＥＤ駆動システム１によれば、第１実施形態の（２）、（４）、（５）、及び（７）〜（２６）の効果に加え、以下の効果を奏する。
（２７）ＬＥＤ駆動回路３０及びＬＥＤ駆動装置１０によれば、検出部３２によって第１，第２，第３発光ダイオード２１Ｒ，２１Ｇ，２１Ｂのそれぞれの出射光の色ランクの組合せに関する特性情報を検出する。このため、各発光ダイオード２１Ｒ，２１Ｇ，２１Ｂのそれぞれの出射光の色ランクの組合せに関する定量的な情報を取得可能である。そしてその情報に応じた駆動電流を各発光ダイオード２１Ｒ，２１Ｇ，２１Ｂのそれぞれに供給することにより、各発光ダイオード２１Ｒ，２１Ｇ，２１Ｂによって作り出される出射光の色むらが抑制され、所望の色の光が得られる。このように、ＬＥＤモジュール２０に収容された抵抗素子５１の抵抗値を読み出すだけでよく、作業者が各発光ダイオード２１Ｒ，２１Ｇ，２１Ｂによって作り出される出射光の色を所望の色に調整する作業が不要となる。したがって、所望の色の光を容易に得ることができる。
【０２１４】
（２８）検出回路３２Ｘによって抵抗素子５１に電流が流されることにより、各発光ダイオード２１Ｒ，２１Ｇ，２１Ｂのそれぞれの出射光の色ランクの組合せに関する特性情報を検出することができる。したがって、検出回路３２Ｘによって特性情報を容易に検出できる。
【０２１５】
（２９）抵抗素子５１の抵抗値によって各発光ダイオード２１Ｒ，２１Ｇ，２１Ｂのそれぞれの出射光の色ランクの６４通りの組合せを識別可能である。このため、第１実施形態に比べ、各発光ダイオード２１Ｒ，２１Ｇ，２１Ｂによって作り出される出射光の色むらを一層抑制できる。したがって、所望の色の光が得やすくなる。
【０２１６】
（第３実施形態）
図１０及び図１１を参照して、第３実施形態のＬＥＤ駆動システム１の構成について説明する。本実施形態のＬＥＤ駆動システム１は、第１実施形態のＬＥＤ駆動システム１に比べ、ＬＥＤモジュール２０及びＬＥＤ駆動回路３０の構成が異なる。以降の説明において、第１実施形態のＬＥＤ駆動システム１の構成と同じ構成要素には同一符号を付し、その説明を省略する。
【０２１７】
〔ＬＥＤ駆動システム〕
図１０に示すように、ＬＥＤ駆動システム１のＬＥＤモジュール２０は、第１発光ダイオード２１Ｒの発光特性に応じた特性値を有する第１識別部５０Ｒ、第２発光ダイオード２１Ｇの発光特性に応じた特性値を有する第２識別部５０Ｇ、及び第３発光ダイオード２１Ｂの発光特性に応じた特性値を有する第３識別部５０Ｂを有する。
【０２１８】
第１識別部５０Ｒは、第１発光ダイオード２１Ｒの発光特性に応じた特性値として、第１発光ダイオード２１Ｒの出射光の色ランクに応じた抵抗値（以下、「第１抵抗値」）の抵抗素子５１Ｒを有する。より詳細には、第１発光ダイオード２１Ｒの色ランクが４段階であるため、４種類の抵抗値の第１抵抗値の抵抗素子５１Ｒが用意される。そして４種類の抵抗値の抵抗素子５１Ｒのうちの第１発光ダイオード２１Ｒの色ランクに対応した第１抵抗値の抵抗素子５１Ｒが選択される。
【０２１９】
第２識別部５０Ｇは、第２発光ダイオード２１Ｇの発光特性に応じた特性値として、第２発光ダイオード２１Ｇの出射光の色ランクに応じた抵抗値（以下、「第２抵抗値」）の抵抗素子５１Ｇを有する。抵抗素子５１Ｇは、抵抗素子５１Ｒと同様に４種類の第２抵抗値の抵抗素子が用意される。抵抗素子５１Ｇの選択方法も抵抗素子５１Ｒと同様である。なお、４種類の第２抵抗値の第２抵抗値の抵抗素子５１Ｇは、４種類の第１抵抗値の抵抗素子５１Ｒと同じチップ抵抗器を用いてもよい。
【０２２０】
第３識別部５０Ｂは、第３発光ダイオード２１Ｂの発光特性に応じた特性値として、第３発光ダイオード２１Ｂの出射光の色ランクに応じた抵抗値（以下、「第３抵抗値」）の抵抗素子５１Ｂを有する。抵抗素子５１Ｂは、抵抗素子５１Ｒ，５１Ｇと同様に４種類の第３抵抗値の抵抗素子が用意される。抵抗素子５１Ｂの選択方法も抵抗素子５１Ｒ，５１Ｇと同様である。なお、４種類の第３抵抗値の抵抗素子５１Ｂは、４種類の第１抵抗値の抵抗素子５１Ｒと同じチップ抵抗器を用いてもよい。
【０２２１】
ＬＥＤ駆動回路３０の検出部３２は、第１検出回路３２ＲＸ、第２検出回路３２ＧＸ、第３検出回路３２ＢＸ、第１Ａ／Ｄ変換部３２ＲＹ、第２Ａ／Ｄ変換部３２ＧＹ、及び第３Ａ／Ｄ変換部３２ＢＹを有する。
【０２２２】
第１検出回路３２ＲＸは、第１識別部５０Ｒに電気的に接続されている。第１検出回路３２ＲＸは、第１識別部５０Ｒにおける第１発光ダイオード２１Ｒの出射光の色ランクに関する特性情報を検出する。第１検出回路３２ＲＸは、抵抗素子５１Ｒに応じた電圧（第１Ａ／Ｄ変換部３２ＲＹの電圧）を検出信号として生成し、第１Ａ／Ｄ変換部３２ＲＹに出力する。第２検出回路３２ＧＸは、第２識別部５０Ｇに電気的に接続されている。第２検出回路３２ＧＸは、第２識別部５０Ｇにおける第２発光ダイオード２１Ｇの出射光の色ランクに関する特性情報を検出する。第２検出回路３２ＧＸは、抵抗素子５１Ｇに応じた電圧（第２Ａ／Ｄ変換部３２ＧＹの電圧）を検出信号として生成し、第２Ａ／Ｄ変換部３２ＧＹに出力する。第３検出回路３２ＢＸは、第３識別部５０Ｂに電気的に接続されている。第３検出回路３２ＢＸは、第３識別部５０Ｂにおける第３発光ダイオード２１Ｂの出射光の色ランクに関する情報を検出する。第３検出回路３２ＢＸは、抵抗素子５１Ｂに応じた電圧（第３Ａ／Ｄ変換部３２ＢＹの電圧）を検出信号として生成し、第３Ａ／Ｄ変換部３２ＢＹに出力する。
【０２２３】
第１Ａ／Ｄ変換部３２ＲＹは、第１検出回路３２ＲＸに電気的に接続されている。第１Ａ／Ｄ変換部３２ＲＹは、第１検出回路３２ＲＸによるアナログ信号（検出信号）をデジタル変換する。第１Ａ／Ｄ変換部３２ＲＹは、第１検出回路３２ＲＸの検出結果（第１発光ダイオード２１Ｒの出射光の色ランクに関する特性情報）を示すデジタル信号を制御装置４０に出力する。第２Ａ／Ｄ変換部３２ＧＹは、第２検出回路３２ＧＸに電気的に接続されている。第２Ａ／Ｄ変換部３２ＧＹは、第２検出回路３２ＧＸによるアナログ信号（検出信号）をデジタル変換する。第２Ａ／Ｄ変換部３２ＧＹは、第２検出回路３２ＧＸの検出結果（第２発光ダイオード２１Ｇの色ランクに関する特性情報）を示すデジタル信号を制御装置４０に出力する。第３Ａ／Ｄ変換部３２ＢＹは、第３検出回路３２ＢＸに電気的に接続されている。第３Ａ／Ｄ変換部３２ＢＹは、第３検出回路３２ＢＸによるアナログ信号（検出信号）をデジタル変換する。第３Ａ／Ｄ変換部３２ＢＹは、第３検出回路３２ＢＸの検出結果（第３発光ダイオード２１Ｂの色ランクに関する特性情報）を示すデジタル信号を制御装置４０に出力する。
【０２２４】
制御装置４０の記憶部４２には、例えば、表５に示すような第１抵抗値と第１発光ダイオード２１Ｒの出射光の色ランクとの関係を示すテーブル、第２抵抗値と第２発光ダイオード２１Ｇの出射光の色ランクとの関係を示すテーブル、及び第３抵抗値と第３発光ダイオード２１Ｂの出射光の色ランクとの関係を示すテーブルが記憶されている。また記憶部４２には、表６に示すような第１抵抗値、第２抵抗値、及び第３抵抗値の組合せと第１ＤＵＴＹ値、第２ＤＵＴＹ値、及び第３ＤＵＴＹ値との関係を示すテーブルが記憶されている。
【０２２５】
【表５】
2018143282.tif 000007
【０２２６】
【表６】
2018143282.tif 000008
【０２２７】
設定処理において、制御装置４０は、抵抗素子５１Ｒ，５１Ｇ，５１Ｂのそれぞれに所定の電流量（標準の電流量）が流れるように第１検出回路３２ＲＸ、第２検出回路３２ＧＸ、第３検出回路３２ＢＸを制御する。そして制御装置４０は、第１Ａ／Ｄ変換部３２ＲＹの電圧値から第１抵抗値を演算し、第２Ａ／Ｄ変換部３２ＧＹの電圧値から第２抵抗値を演算し、第３Ａ／Ｄ変換部３２ＢＹの電圧値から第３抵抗値を演算する。そして制御装置４０は、表６を用いて、演算した第１〜第３抵抗値から第１ＤＵＴＹ値、第２ＤＵＴＹ値、及び第３ＤＵＴＹ値を取得する。ＬＥＤ駆動回路３０は、第１ＤＵＴＹ値、第２ＤＵＴＹ値、及び第３ＤＵＴＹ値の駆動信号による駆動電流を各発光ダイオード２１Ｒ，２１Ｇ，２１Ｂに供給する。これにより、各発光ダイオード２１Ｒ，２１Ｇ，２１Ｂによって作り出される出射光の色が所望の色となる。
【０２２８】
〔ＬＥＤモジュール〕
図１１に示すように、ＬＥＤモジュール２０は、抵抗素子５１Ｒを支持する支持リード５２Ｒと、抵抗素子５１Ｇを支持する支持リード５２Ｇと、抵抗素子５１Ｂを支持する支持リード５２Ｂとを有する。支持リード５２Ｒ、支持リード５２Ｇ、及び支持リード５２Ｂは、支持電極の一例であり、アノード側リード６０及びカソード側リード７０よりも第２の方向Ｙの一方側（図１１のＹ１側）に位置している。支持リード５２Ｒ、支持リード５２Ｇ、及び支持リード５２Ｂは、第２の方向Ｙにおいて間隔を空けて配置されている。支持リード５２Ｇの第２の方向Ｙの一方側（図１１のＹ１側）に支持リード５２Ｂが配置され、支持リード５２Ｇの第２の方向Ｙの他方側（図１１のＹ２側）に支持リード５２Ｒが配置されている。なお、支持リード５２Ｒ，５２Ｇ，５２Ｂの配置態様は、任意に変更可能である。例えばアノード側リード６０及びカソード側リード７０の配置態様と同様に、支持リード５２Ｒの第２の方向Ｙの一方側（図１１のＹ１側）に支持リード５２Ｇが配置され、支持リード５２Ｒの第２の方向Ｙの他方側（図１１のＹ２側）に支持リード５２Ｂが配置されてもよい。
【０２２９】
支持リード５２Ｒは、ＬＥＤモジュール２０の端子であって、抵抗素子５１Ｒ（第１識別部５０Ｒ）の入力端子及び出力端子を形成している。支持リード５２Ｇは、ＬＥＤモジュール２０の端子であって、抵抗素子５１Ｇ（第２識別部５０Ｇ）の入力端子及び出力端子を形成している。支持リード５２Ｂは、ＬＥＤモジュール２０の端子であって、抵抗素子５１Ｂ（第３識別部５０Ｂ）の入力端子及び出力端子を形成している。各支持リード５２Ｒ，５２Ｇ，５２Ｂは、例えば銅、ニッケル、又はこれらの合金により形成されている。支持リード５２Ｒ、支持リード５２Ｇ、及び支持リード５２Ｂは、同一形状である。
【０２３０】
支持リード５２Ｒは、入力端子を構成する第１支持電極の一例である第１支持リード５３Ｒ及び出力端子を構成する第２支持電極の一例である第２支持リード５４Ｒを有する。第１支持リード５３Ｒは、第１の方向Ｘにおいて、第１支持リード５３Ｒはケース８０の一方側（図１１のＸ１側）に配置され、第２支持リード５４Ｒはケース８０の他方側（図１１のＸ２側）に配置されている。第２の方向Ｙにおいて、第１支持リード５３Ｒの位置と第２支持リード５４Ｒの位置とは等しい。第１支持リード５３Ｒと第２支持リード５４Ｒとは、第１の方向Ｘにおいて間隔を空けて対向している。
【０２３１】
第１支持リード５３Ｒは、第１の方向Ｘに延びている。第１支持リード５３Ｒの第１の方向Ｘの長さは、第１アノード側リード６０Ｒの第１の方向Ｘの長さと等しい。第１支持リード５３Ｒは、第１端子部５５ａ及び第１支持部５５ｂを有する。第１端子部５５ａ及び第１支持部５５ｂは、単一部材により一体に形成されている。第１端子部５５ａは、第１の方向Ｘにおいてケース８０の外側寄りに配置されている。第１端子部５５ａの先端部は、第１の方向Ｘにおいてケース８０から外部に突出している。第１端子部５５ａの全体は、ケース８０の裏面８２（図６参照）から露出している。第１の方向Ｘにおいて第１端子部５５ａの位置は、第１アノード端子部６１Ｒの位置と等しい。
【０２３２】
第１支持部５５ｂは、第１支持リード５３Ｒにおいて網掛けが付された部分である。第１支持部５５ｂは、第１端子部５５ａよりもケース８０の内側に位置している。第１の方向Ｘにおいて第１支持部５５ｂの位置は、第１アノード支持部６２Ｒの位置と等しい。第１支持部５５ｂの幅（第２の方向Ｙの寸法）は、第１端子部５５ａの幅（第２の方向Ｙの寸法）よりも大きい。具体的には、第１支持部５５ｂは、第２の方向Ｙにおいて第１端子部５３ａの両側から突出している。第１支持部５５ｂの厚さは、第１端子部５５ａの厚さよりも薄い。第３の方向Ｚにおいて、第１支持部５５ｂの表面の位置と第１端子部５５ａの表面の位置とは互いに等しい。第１支持部５５ｂの厚さは、第１アノード支持部６２Ｒ（図７Ａ参照）の厚さと等しい。第１端子部５５ａの厚さは、第１アノード端子部６１Ｒ（図７Ａ参照）の厚さと等しい。
【０２３３】
第２支持リード５４Ｒは、第１の方向Ｘに延びている。第２支持リード５４Ｒの第１の方向Ｘの長さは、第２カソード側リード７０Ｇの第１の方向Ｘの長さと等しく、第１支持リード５３Ｒの第１の方向Ｘの長さと等しい。第２支持リード５４Ｒは、第２端子部５６ａ及び第２支持部５６ｂを有する。第２端子部５６ａ及び第２支持部５６ｂは、単一部材により一体に形成されている。第２端子部５６ａは、第１の方向Ｘにおいてケース８０の外側寄りに配置されている。第２端子部５６ａの先端部は、第１の方向Ｘにおいてケース８０から外部に突出している。第２端子部５６ａの全体は、ケース８０の裏面８２（図６参照）から露出している。第１の方向Ｘにおいて第２端子部５６ａの位置は、第１アノード端子部６１Ｒの位置と等しい。
【０２３４】
第２支持部５６ｂは、第２支持リード５４Ｒにおいて網掛けが付された部分である。第２支持部５６ｂは、第２端子部５６ａよりもケース８０の内側に位置している。第１の方向Ｘにおいて第２支持部５６ｂの位置は、第１アノード支持部６２Ｒの位置と等しい。第２支持部５６ｂの幅（第２の方向Ｙの寸法）は、第２端子部５６ａの幅（第２の方向Ｙの寸法）よりも大きい。具体的には、第２支持部５６ｂは、第２の方向Ｙにおいて第２端子部５６ａの両側から突出している。第２支持部５６ｂの厚さは、第２端子部５６ａの厚さよりも薄い。第３の方向Ｚにおいて、第２支持部５６ｂの表面の位置と第２端子部５６ａの表面の位置とは互いに等しい。第２支持部５６ｂの厚さは、第１アノード支持部６２Ｒ（図７Ａ参照）の厚さと等しい。第２端子部５６ａの厚さは、第１アノード端子部６１Ｒ（図７Ａ参照）の厚さと等しい。
【０２３５】
抵抗素子５１Ｒは、第１支持リード５３Ｒと第２支持リード５４Ｒとを跨るように配置され、第１支持リード５３Ｒ及び第２支持リード５４Ｒに電気的に接続されている。抵抗素子５１Ｒの第１端子５１ａは、第１支持リード５３Ｒの第１支持部５５ｂの先端部に塗布されたはんだ上に載せられている。抵抗素子５１Ｒの第２端子５１ｂは、第２支持リード５４Ｒの第２支持部５６ｂの先端部に塗布されたはんだ上に載せられている。第１端子５１ａははんだを介して第１支持リード５３Ｒに電気的に接続され、第２端子５１ｂははんだを介して第２支持リード５４Ｒに電気的に接続されている。
【０２３６】
支持リード５２Ｇは、第１支持電極の一例である第１支持リード５３Ｇ及び第２支持電極の一例である第２支持リード５４Ｇを有する。抵抗素子５１Ｇは、第１支持リード５３Ｇと第２支持リード５４Ｇとを跨るように配置され、第１支持リード５３Ｇ及び第２支持リード５４Ｇに電気的に接続されている。抵抗素子５１Ｇの第１端子５１ａは、第１支持リード５３Ｇの第１支持部５５ｂの先端部に塗布されたはんだ上に載せられている。抵抗素子５１Ｇの第２端子５１ｂは、第２支持リード５４Ｇの第２支持部５６ｂの先端部に塗布されたはんだ上に載せられている。
【０２３７】
支持リード５２Ｂは、第１支持電極の一例である第１支持リード５３Ｂ及び第２支持電極の一例である第２支持リード５４Ｂを有する。抵抗素子５１Ｂは、第１支持リード５３Ｂと第２支持リード５４Ｇとを跨るように配置され、第１支持リード５３Ｂ及び第２支持リード５４Ｂに電気的に接続されている。抵抗素子５１Ｂの第１端子５１ａは、第１支持リード５３Ｂの第１支持部５５ｂの先端部に塗布されたはんだ上に載せられている。抵抗素子５１Ｂの第２端子５１ｂは、第２支持リード５４Ｂの第２支持部５６ｂの先端部に塗布されたはんだ上に載せられている。
【０２３８】
ＬＥＤモジュール２０の製造方法において、支持リード５２Ｒ，５２Ｇ，５２Ｂは、第１実施形態の支持リード５２と同様に、金属板１００（図９Ａ参照）からアノード側リード６０及びカソード側リード７０と一体に形成されている。これにより、第３の方向Ｚにおけるアノード側リード６０、カソード側リード７０、及び支持リード５２Ｒ，５２Ｇ，５２Ｂの位置ずれを抑制できる。加えて、アノード側リード６０、カソード側リード７０、及び支持リード５２Ｒ，５２Ｇ，５２Ｂを個別に形成する場合に比べ、アノード側リード６０、カソード側リード７０、及び支持リード５２Ｒ，５２Ｇ，５２Ｂのそれぞれを配置する工程を省略することができる。このため、ＬＥＤモジュール２０の製造が容易となり、ＬＥＤモジュール２０の低コスト化を図ることができる。
【０２３９】
本実施形態のＬＥＤ駆動システム１によれば、第１実施形態の（２）、（４）、（５）、（７）〜（１７）、（１９）〜（２６）に準じた効果と、第２実施形態の（２７）及び（２９）の効果に加え、以下の効果を奏する。
【０２４０】
（３０）抵抗素子５１Ｒ，５１Ｇ，５１Ｂの各４種類の抵抗値の抵抗素子として共通の４種類の抵抗値の抵抗素子を用いる。これにより、抵抗素子の抵抗値の種類を減らすことができるため、低コスト化を図ることができる。
【０２４１】
（第４実施形態）
図１２、図１３、図１４Ａ、及び図１４Ｂを参照して、第４実施形態のＬＥＤ駆動システム１の構成について説明する。本実施形態のＬＥＤ駆動システム１は、第１実施形態のＬＥＤ駆動システム１に比べ、ＬＥＤモジュール２０の構成が異なる。以降の説明において、第１実施形態のＬＥＤ駆動システム１の構成と同じ構成要素には同一符号を付し、その説明を省略する。
【０２４２】
図１２に示すように、本実施形態のＬＥＤモジュール２０のケース８０のサイズは、第１〜第３実施形態のＬＥＤモジュール２０のケース８０のサイズよりも小さい。第１の方向Ｘにおけるケース８０の外形寸法は、例えば３．１ｍｍであり、第２の方向Ｙにおけるケース８０の外形寸法は、例えば２．８ｍｍである。第３の方向Ｚにおけるケース８０の外形寸法は、例えば１．０ｍｍである。
【０２４３】
抵抗素子５１は、第１の方向Ｘ及び第２の方向Ｙにおけるケース８０の開口部８１の中央に位置している。抵抗素子５１は、ケース８０に埋め込まれている。抵抗素子５１は、第３の方向Ｚにおいて、第１アノード側リード６０Ｒの第１アノード支持部６２Ｒ、第２カソード側リード７０Ｇの第２カソード支持部７２Ｇ、及び第３カソード側リード７０Ｂの第３カソード支持部７２Ｂと重なる部分を有する。図１４Ａに示すように、抵抗素子５１は、第１アノード支持部６２Ｒよりもケース８０の裏面８２側に位置している。すなわち抵抗素子５１は、第２カソード支持部７２Ｇ及び第３カソード支持部７２Ｂ（図１２参照）よりもケース８０の裏面８２側に位置している。
【０２４４】
図１３に示すように、ＬＥＤモジュール２０は、第１検出端子５７Ａ、第２検出端子５７Ｂ、第１配線５８Ａ、及び第２配線５８Ｂを有する。第１検出端子５７Ａ、第２検出端子５７Ｂ、第１配線５８Ａ、及び第２配線５８Ｂは、ケース８０に埋め込まれ、第２の方向Ｙに沿って一列に配列されている。第１検出端子５７Ａ及び第２検出端子５７Ｂは、ケース８０の裏面８２から露出する一方、第１配線５８Ａ及び第２配線５８Ｂは、ケース８０の裏面８２から露出していない。第１配線５８Ａ及び第２配線５８Ｂは、例えば銅、ニッケル、又はこれらの合金により形成されている。
【０２４５】
第１検出端子５７Ａは、抵抗素子５１の第１端子５１ａと電気的に接続され、抵抗素子５１の入力端子を構成している。第１検出端子５７Ａは、ケース８０の裏面８２から露出している。第１検出端子５７Ａの形状は、ケース８０の裏面８２から見て矩形状である。第１検出端子５７Ａは、第２の方向Ｙにおいて第２アノード端子部６１Ｇと第２カソード端子部７１Ｇとの間に各端子部６１Ｇ，７１Ｇと隙間を空けて配置されている。
【０２４６】
第２検出端子５７Ｂは、抵抗素子５１の第２端子５１ｂと電気的に接続され、抵抗素子５１の出力端子を構成している。第２検出端子５７Ｂは、ケース８０の裏面８２から露出している。第２検出端子５７Ｂの形状は、ケース８０の裏面８２から見て矩形状である。第２検出端子５７Ｂは、第２の方向Ｙにおいて第３アノード端子部６１Ｂと第３カソード端子部７１Ｂとの間に各端子部６１Ｂ，７１Ｂと隙間を空けて配置されている。
【０２４７】
第１配線５８Ａは、抵抗素子５１の第１端子５１ａと第１検出端子５７Ａとを接続している。第１配線５８Ａは、第１端子５１ａに接続され、第１の方向Ｘにおいて第１端子５１ａよりも長い第１部分と、第１部分における第１の方向Ｘの中央部分から第２の方向Ｙに延びて第１検出端子５７Ａに接続される第２部分からなるＴ字状に形成されている。第１配線５８Ａの板厚は、第１検出端子５７Ａの板厚及び第２検出端子５７Ｂの板厚よりも薄い。
【０２４８】
第２配線５８Ｂは、抵抗素子５１の第２端子５１ｂと第２検出端子５７Ｂとを接続している。第２配線５８Ｂは、第２端子５１ｂに接続され、第１の方向Ｘにおいて第２端子５１ｂよりも長い第１部分と、第１部分における第１の方向Ｘの中央部分から第２の方向Ｙに延びて第２検出端子５７Ｂに接続される第２部分からなるＴ字状に形成されている。第２配線５８Ｂの板厚は、第１配線５８Ａの板厚と等しい。第２配線５８Ｂの第１部分の幅（第１の方向Ｘにおける寸法）は、第１配線５８Ａの第１部分の幅（第１の方向Ｘにおける寸法）と等しい。第２配線５８Ｂの第２部分の幅（第１の方向Ｘにおける寸法）は、第１配線５８Ａの第１部分の幅（第１の方向Ｘにおける寸法）と等しい。
【０２４９】
図１３及び図１４Ｂに示すように、抵抗素子５１、第１検出端子５７Ａ及び第２検出端子５７Ｂは、第１配線５８Ａ及び第２配線５８Ｂよりもケース８０の裏面８２側に配置されている。抵抗素子５１の表面の位置、第１検出端子５７Ａの表面の位置、及び第２検出端子５７Ｂの表面の位置は互いに等しい。抵抗素子５１は、ケース８０の裏面８２から露出していない。
【０２５０】
本実施形態のＬＥＤ駆動システム１によれば、第１実施形態の（１）〜（８）、（１９）〜（２３）、及び（２６）の効果に加え、以下の効果を奏する。
（３１）抵抗素子５１は、第３の方向Ｚにおいて、第２カソード側リード７０Ｇ及び第３カソード側リード７０Ｂとケース８０の裏面８２との間において、ケース８０に埋め込まれている。また抵抗素子５１は、第３の方向Ｚにおいて、第１アノード側リード６０Ｒとケース８０の裏面８２との間において、ケース８０に埋め込まれている。したがって、抵抗素子５１が第１の方向Ｘ及び第２の方向Ｙにおいてアノード側リード６０及びカソード側リード７０とは異なる位置に配置される構成に比べ、ＬＥＤモジュール２０の平面視においてＬＥＤモジュール２０のサイズを小さくすることができる。
【０２５１】
加えて、抵抗素子５１と第２カソード側リード７０Ｇ、第３カソード側リード７０Ｂ、及び第１アノード側リード６０Ｒとの第３の方向Ｚの間にケース８０を構成する樹脂材料が介在している。このため、ＬＥＤモジュール２０が回路基板のランド等に実装される場合における抵抗素子５１と第２カソード側リード７０Ｇ、第３カソード側リード７０Ｂ、及び第１アノード側リード６０Ｒとの電気的絶縁性を高めることができる。
【０２５２】
（３２）抵抗素子５１は、第３の方向Ｚにおいて、板厚の薄い第２カソード支持部７２Ｇ及び板厚の薄い第３カソード支持部７２Ｂと重なる位置に配置されている。これにより、ＬＥＤモジュール２０の高さ寸法を小さくすることができる。
【０２５３】
（３３）第１検出端子５７Ａ、第２検出端子５７Ｂ、及び抵抗素子５１が第２の方向Ｙに並べられるため、第１の方向Ｘにおける第１検出端子５７Ａ、第２検出端子５７Ｂ、及び抵抗素子５１の配置スペースを小さくすることができる。したがって、ＬＥＤモジュール２０の第１の方向Ｘのサイズを小さくすることができる。
【０２５４】
（３４）第１検出端子５７ＡがＬＥＤモジュール２０の平面視において第２アノード支持部６２Ｇ及び第２カソード支持部７２Ｇと重なる位置に配置され、第２検出端子５７ＢがＬＥＤモジュール２０の平面視において第３アノード支持部６２Ｂ及び第３カソード支持部７２Ｂと重なる位置に配置されている。このため、第１検出端子５７Ａが第２の方向Ｙにおける第２アノード支持部６２Ｇと第２カソード支持部７２Ｇとの間に配置され、第２検出端子５７Ｂが第２の方向Ｙにおける第３アノード支持部６２Ｂと第３カソード支持部７２Ｂとの間に配置される構造に比べ、ＬＥＤモジュール２０の第２の方向Ｙのサイズを小さくすることができる。
【０２５５】
（３５）第１検出端子５７Ａと抵抗素子５１の第１端子５１ａとは第１配線５８Ａによって接続され、第２検出端子５７Ｂと抵抗素子５１の第２端子５１ｂとは第２配線５８Ｂによって接続されている。このため、第２の方向Ｙにおいて第１検出端子５７Ａと第２検出端子５７Ｂとの間の距離を長くすることができる。したがって、ＬＥＤモジュール２０が回路基板のランド等に実装される場合における第１検出端子５７Ａと第２検出端子５７Ｂとの電気的絶縁性を高めることができる。
【０２５６】
（３６）第１の方向Ｘにおいて第１検出端子５７Ａは第２アノード端子部６１Ｇと第２カソード端子部７１Ｇとの間の中央位置に配置されている。このため、第１検出端子５７Ａと第２アノード端子部６１Ｇとの間の距離、及び第１検出端子５７Ａと第２カソード端子部７１Ｇとの間の距離を長くすることができる。したがって、第１検出端子５７Ａと、第２アノード端子部６１Ｇ及び第２カソード端子部７１Ｇとの電気的絶縁性を高めることができる。また第１の方向Ｘにおいて第２検出端子５７Ｂは第３アノード端子部６１Ｂと第３カソード端子部７１Ｂとの間の中央位置に配置されている。このため、第２検出端子５７Ｂと第３アノード端子部６１Ｂとの間の距離、及び第２検出端子５７Ｂと第３カソード端子部７１Ｂとの間の距離を長くすることができる。したがって、ＬＥＤモジュール２０が回路基板のランド等に実装される場合における第２検出端子５７Ｂと、第３アノード端子部６１Ｂ及び第３カソード端子部７１Ｂとの電気的絶縁性を高めることができる。
【０２５７】
（第５実施形態）
図１５及び図１６を参照して、第５実施形態のＬＥＤ駆動システム１の構成について説明する。本実施形態のＬＥＤ駆動システム１は、第１実施形態のＬＥＤ駆動システム１に比べ、ＬＥＤモジュール２０及びＬＥＤ駆動回路３０の構成が異なる。以降の説明において、第１実施形態のＬＥＤ駆動システム１の構成と同じ構成要素には同一符号を付し、その説明を省略する。
【０２５８】
〔ＬＥＤ駆動システム〕
図１５に示すように、ＬＥＤモジュール２０は、１つの発光ダイオードを有する。本実施形態のＬＥＤモジュール２０は、１つの発光ダイオードとして第１発光ダイオード２１Ｒを有する。なお、１つの発光ダイオードとして、第１発光ダイオード２１Ｒに代えて第２発光ダイオード２１Ｇ又は第３発光ダイオード２１Ｂが用いられてもよい。
【０２５９】
識別部５０は、第１発光ダイオード２１Ｒの明るさに応じた抵抗値の抵抗素子５１を有する。より詳細には、第１発光ダイオード２１Ｒの明るさが２段階であるため、２種類の抵抗値の抵抗素子５１が用意される。そして２種類の抵抗値の抵抗素子５１のうちの第１発光ダイオード２１Ｒの出射光の明るさに対応した抵抗値の抵抗素子５１が選択される。本実施形態では、第１発光ダイオード２１Ｒの出射光の光束が所定の閾値以上の場合、第１発光ダイオード２１Ｒの出射光の明るさを「明るい」とし、第１発光ダイオード２１Ｒの出射光の光束が所定の閾値未満の場合、第１発光ダイオード２１Ｒの出射光の明るさを「暗い」としている。なお、第１発光ダイオード２１Ｒの出射光の明るさを光束で測定することに代えて、光度、輝度、又は照度で測定してもよい。
【０２６０】
ＬＥＤ駆動回路３０の駆動回路３１は、第１発光ダイオード２１Ｒを駆動するための第１駆動回路３１Ｒのみを有する。これに応じて、ＬＥＤ駆動回路３０の端子は、電源電圧端子ＶＤＤ、接地端子ＧＮＤ、第１信号端子ＶＣＲ、第１入力端子ＴＲｉｎ、検出出力端子ＴＣＮ１、検出入力端子ＴＣＮ２、制御入力端子Ｓｃｎｔ、及び制御出力端子Ｓｉｄのみを有する。
【０２６１】
検出回路３２Ｘは、識別部５０に電気的に接続されている。検出回路３２Ｘは、識別部５０における第１発光ダイオード２１Ｒの出射光の明るさに関する特性情報（Ａ／Ｄ変換部３２Ｙの電圧）を検出し、Ａ／Ｄ変換部３２Ｙに出力する。Ａ／Ｄ変換部３２Ｙは、検出回路３２Ｘによるアナログ信号（検出信号）をデジタル変換する。Ａ／Ｄ変換部３２Ｙは、検出回路３２Ｘにより得られる特性情報を示すデジタル信号を制御装置４０に出力する。
【０２６２】
制御装置４０の記憶部４２には、例えば表７に示すような抵抗素子５１の抵抗値と第１発光ダイオード２１Ｒの出射光の明るさとの関係を示すテーブルが記憶されている。また記憶部４２には、例えば、表８に示すような抵抗素子５１の抵抗値と第１発光ダイオード２１ＲのＤＵＴＹ値との関係を示すテーブルが記憶されている。
【０２６３】
【表７】
2018143282.tif 000009
【０２６４】
【表８】
2018143282.tif 000010
【０２６５】
設定処理において、制御装置４０は、抵抗素子５１に所定の電流量（例えば標準の電流量）が流れるように検出回路３２Ｘを制御し、Ａ／Ｄ変換部３２Ｙの電圧値から抵抗値を演算する。そして制御装置４０は、表８を用いて、演算した抵抗値からＤＵＴＹ値を取得する。ＬＥＤ駆動回路３０は、ＤＵＴＹ値に基づいて第１発光ダイオード２１Ｒを発光させる。これにより、第１発光ダイオード２１Ｒは、所望の明るさで発光できる。
【０２６６】
〔ＬＥＤモジュール〕
図１６に示すように、ＬＥＤモジュール２０は、アノード側リード６０として第１アノード側リード６０Ｒと、カソード側リード７０として第１カソード側リード７０Ｒとを有する。
【０２６７】
第１アノード側リード６０Ｒ及び第１カソード側リード７０Ｒは、第２の方向Ｙにおいてケース８０の開口部８１の中央に位置している。第１アノード側リード６０Ｒの第１アノード支持部６２Ｒは、第１の方向Ｘにおいてケース８０の開口部８１の中央よりも第１カソード側リード７０Ｒ側まで延びている。これにより、第１アノード支持部６２Ｒに支持された第１発光ダイオード２１Ｒは、第１の方向Ｘ及び第２の方向Ｙにおいてケース８０の開口部８１の中央に位置している。なお、第１発光ダイオード２１Ｒの第１アノード側リード６０Ｒへの実装構造及び第１カソード側リード７０Ｒとの電気的接続構造は第１実施形態と同様である。
【０２６８】
またＬＥＤモジュール２０は、第１実施形態のＬＥＤモジュール２０と同様に、支持リード５２を有する。支持リード５２への抵抗素子５１の実装構造は、第１実施形態と同様である。なお、識別部５０は、第１アノード側リード６０Ｒ、第１カソード側リード７０Ｒ、及び第１発光ダイオード２１Ｒよりも第２の方向Ｙの他方側（図１６のＹ２側）に配置されてもよい。
【０２６９】
本実施形態のＬＥＤ駆動システム１によれば、以下の効果を奏する。
（３７）ＬＥＤ駆動回路３０及びＬＥＤ駆動装置１０によれば、検出部３２によって第１発光ダイオード２１Ｒの出射光の明るさに関する特性情報を検出するため、第１発光ダイオード２１Ｒの出射光の明るさに関する定量的な情報を取得可能である。そしてその情報に応じた電流を第１発光ダイオード２１Ｒに供給することによって、所望の明るさの光が得られる。このように、ＬＥＤモジュール２０に収容された抵抗素子５１の抵抗値を読み出すだけでよく、作業者が第１発光ダイオード２１Ｒの出射光の明るさを所望の明るさに調整する作業が不要となる。したがって、所望の明るさの光を容易に得ることができる。
【０２７０】
（３８）ＬＥＤ駆動システム１によれば、制御装置４０は、第１発光ダイオード２１Ｒの出射光の明るさに関する情報に基づいて第１発光ダイオード２１Ｒの出射光の明るさが所望の明るさになるように駆動回路３１を制御する。このように、制御装置４０によって第１発光ダイオード２１Ｒの出射光の明るさが所望の明るさになるように自動的に調整されるので、作業者が第１発光ダイオード２１Ｒの出射光の明るさを所望の明るさに調整する作業が不要となる。
【０２７１】
（３９）ＬＥＤモジュール２０は、第１発光ダイオード２１Ｒと識別部５０とを１パッケージ化したものである。このため、ＬＥＤモジュール２０と識別部５０とが個別に設けられる場合に比べ、ＬＥＤ駆動装置１０及びＬＥＤ駆動システム１の部品点数を少なくすることができる。
【０２７２】
（第６実施形態）
第６実施形態のＬＥＤ駆動システム１の構成について説明する。本実施形態のＬＥＤ駆動システム１は、第１実施形態のＬＥＤ駆動システム１に比べ、制御装置４０の記憶部４２に記憶されているテーブルの内容が異なる。以降の説明において、第１実施形態のＬＥＤ駆動システム１の構成と同じ構成要素には同一符号を付し、その説明を省略する。また第２実施形態のＬＥＤ駆動システム１の構成は、第１実施形態のＬＥＤ駆動システム１の構成と同じであるため、以下で説明するＬＥＤ駆動システム１の構成要素は、図１及び図２のＬＥＤ駆動システム１の構成要素を示す。
【０２７３】
記憶部４２には、例えば表９に示すような抵抗素子５１の抵抗値と、白色領域Ｒの第１〜第８領域Ｒ１〜Ｒ８及び明るさとの関係を示すテーブルが記憶されている。また記憶部４２には、例えば表１０に示すような抵抗素子５１の抵抗値と、各発光ダイオード２１Ｒ，２１Ｇ，２１Ｂの各ＤＵＴＹ値との関係を示すテーブルが記憶されている。ここで、まず、各発光ダイオード２１Ｒ，２１Ｇ，２１Ｂのそれぞれの出射光の色ランク及び明るさのデータを試験等により予め把握する。そしてこれら発光ダイオード２１Ｒ，２１Ｇ，２１Ｂのそれぞれの出射光の色ランク及び明るさの全ての組合せにおける各発光ダイオード２１Ｒ，２１Ｇ，２１Ｂによって作り出される出射光の色ランク及び明るさのデータを検査等により予め把握する。そして全ての組合せの各発光ダイオード２１Ｒ，２１Ｇ，２１Ｂによって作り出される出射光の色ランク及び明るさのそれぞれに対応した抵抗値が設定される。本実施形態では、第１発光ダイオード２１Ｒの出射光の光束が所定の閾値以上の場合、第１発光ダイオード２１Ｒの出射光の明るさを「明るい」とし、第１発光ダイオード２１Ｒの出射光の光束が所定の閾値未満の場合、第１発光ダイオード２１Ｒの出射光の明るさを「暗い」としている。第２発光ダイオード２１Ｇ及び第３発光ダイオード２１Ｂのそれぞれの出射光の明るさについても同様に規定している。なお、各発光ダイオード２１Ｒ，２１Ｇ，２１Ｂの出射光の明るさを光束で測定することに代えて、光度、輝度、又は照度で測定してもよい。
【０２７４】
表９及び表１０に示すように、本実施形態では、１６種類の抵抗値の抵抗素子５１が用意されている。抵抗素子５１の抵抗値の最小値と最大値との範囲は、１００Ω以上かつ１０ｋΩ以下の範囲で設定されることが好ましい。
【０２７５】
【表９】
2018143282.tif 000011
【０２７６】
【表１０】
2018143282.tif 000012
【０２７７】
第１〜第８領域Ｒ１〜Ｒ８のうちの同一領域において明るさが暗い場合の各発光ダイオード２１Ｒ，２１Ｇ，２１ＢのＤＵＴＹ値は、同一領域において明るさが明るい場合の各発光ダイオード２１Ｒ，２１Ｇ，２１ＢのＤＵＴＹ値よりも大きい。一方、明るさが暗い場合の各発光ダイオード２１Ｒ，２１Ｇ，２１ＢのＤＵＴＹ値の大きさの関係は、同一領域において明るさが明るい場合の各発光ダイオード２１Ｒ，２１Ｇ，２１ＢのＤＵＴＹ値の大きさの関係と同じである。なお、本実施形態の設定処理は、第１実施形態の設定処理と同様である。
【０２７８】
本実施形態のＬＥＤ駆動システム１によれば、第１実施形態の効果と同様の効果に加え、以下の効果を奏する。
（４０）ＬＥＤ駆動回路３０及びＬＥＤ駆動装置１０によれば、検出部３２によって各発光ダイオード２１Ｒ，２１Ｇ，２１Ｂによって作り出される出射光の色及び明るさに関する特性情報を検出するため、各発光ダイオード２１Ｒ，２１Ｇ，２１Ｂによって作り出される出射光の色及び明るさに関する定量的な情報を取得可能である。そしてその情報に応じた駆動電流を各発光ダイオード２１Ｒ，２１Ｇ，２１Ｂのそれぞれに供給することによって、各発光ダイオード２１Ｒ，２１Ｇ，２１Ｂによって作り出される出射光の色むらを抑制できる。したがって、所望の色及び明るさの光を得ることができる。そして、ＬＥＤモジュール２０に収容された抵抗素子５１の抵抗値を読み出すだけでよく、作業者が各発光ダイオード２１Ｒ，２１Ｇ，２１Ｂによって作り出される出射光の色及び明るさを所望の色及び明るさに調整する作業が不要となる。したがって、所望の色及び明るさの光を容易に得ることができる。
【０２７９】
（４１）ＬＥＤ駆動システム１によれば、制御装置４０は、各発光ダイオード２１Ｒ，２１Ｇ，２１Ｂによって作り出される出射光の色及び明るさに関する情報に基づいて各発光ダイオード２１Ｒ，２１Ｇ，２１Ｂによって作り出される出射光の色及び明るさが所望の色及び明るさになるように駆動回路３１を制御する。このように、制御装置４０によって各発光ダイオード２１Ｒ，２１Ｇ，２１Ｂによって作り出される出射光の色及び明るさが所望の色及び明るさになるように自動的に調整される。このため、作業者が各発光ダイオード２１Ｒ，２１Ｇ，２１Ｂの出射光の色及び明るさを所望の色及び明るさに調整する作業が不要となる。また、各発光ダイオード２１Ｒ，２１Ｇ，２１Ｂによって作り出される出射光の色むらを抑制できる。
【０２８０】
（その他の実施形態）
上記各実施形態に関する説明は、本発明のＬＥＤモジュール、ＬＥＤ駆動回路、ＬＥＤ駆動装置、及びＬＥＤ駆動システムが取り得る形態の例示であり、その形態を制限することを意図していない。本発明のＬＥＤモジュール、ＬＥＤ駆動回路、ＬＥＤ駆動装置、及びＬＥＤ駆動システムは、例えば以下に示される上記各実施形態の変形例、及び相互に矛盾しない少なくとも２つの変形例が組み合わせられた形態を取り得る。
【０２８１】
〔実施形態の組み合わせ〕
・第２及び第６実施形態のＬＥＤモジュール２０の構成を第４実施形態のＬＥＤモジュール２０の構成に変更してもよい。また第５実施形態のＬＥＤモジュール２０の識別部５０に第４実施形態のＬＥＤモジュール２０の識別部５０の構成を適用してもよい。
【０２８２】
・第２及び第３実施形態に第６実施形態の各発光ダイオード２１Ｒ，２１Ｇ，２１Ｂの明るさのパラメータを組み合わせてもよい。
〔ＬＥＤ駆動システム〕
・第１、第２、及び第４〜第６実施形態において、制御装置４０と記憶部４２とが個別に形成されてもよい。この場合、制御装置４０は、記憶部４２にアクセスすることにより制御プログラムやテーブルを読み取る。
【０２８３】
・第３実施形態において、制御装置４０に代えて、第１発光ダイオード２１Ｒを制御するための第１制御装置、第２発光ダイオード２１Ｇを制御するための第２制御装置、及び第３発光ダイオード２１Ｂを制御するための第３制御装置を有してもよい。各制御装置は、演算処理部及び記憶部を有する。なお、記憶部は、各制御装置とは個別に設けられてもよい。第１〜第３制御装置のいずれかの記憶部には、抵抗素子５１Ｒ，５１Ｇ，５１Ｂの抵抗値の組合せと各発光ダイオード２１Ｒ，２１Ｇ，２１Ｂの各ＤＵＴＹ値との関係を示すテーブルが記憶されている。なお、第１制御装置の記憶部には、抵抗素子５１Ｒの第１抵抗値と第１発光ダイオード２１Ｒの色ランクとの関係を示すテーブルが記憶されてもよい。第２制御装置の記憶部には、抵抗素子５１Ｇの第２抵抗値と第２発光ダイオード２１Ｇの色ランクとの関係を示すテーブルが記憶されてもよい。第３制御装置の記憶部には、抵抗素子５１Ｂの第３抵抗値と第３発光ダイオード２１Ｂの色ランクとの関係を示すテーブルが記憶されてもよい。
【０２８４】
・第１実施形態において、表２における抵抗素子５１の抵抗値に代えて、Ａ／Ｄ変換部３２Ｙの電圧値と、各発光ダイオード２１Ｒ，２１Ｇ，２１ＢのＤＵＴＹ値との関係を示すテーブルを記憶部４２に記憶させてもよい。これにより、制御装置４０は、Ａ／Ｄ変換部３２Ｙの電圧値から抵抗値を演算することを省略できる。なお、第２〜第６実施形態についても同様に変更できる。
【０２８５】
・第１実施形態において、図３に示す白色領域Ｒを区画する領域の数は任意に変更可能である。例えば、白色領域Ｒを４個の領域に区画してもよい。この場合、４個の領域に応じた４種類の抵抗値の抵抗素子５１が用意される。また例えば、白色領域Ｒを１６個の領域に区画してもよい。この場合、１６個の領域に応じた１６種類の抵抗値の抵抗素子５１が用意される。
【０２８６】
・第１実施形態において、記憶部４２には、各発光ダイオード２１Ｒ，２１Ｇ，２１Ｂのうちの２色の出射光が合成した光の色ランクと、混色用抵抗素子の抵抗値との関係を示すテーブルが記憶されてもよい。このテーブルは、第１テーブル、第２テーブル、及び第３テーブルを含む。第１テーブルは、第１発光ダイオード２１Ｒの出射光と第２発光ダイオード２１Ｇの出射光とが合成した光の色ランクと、第１混色用抵抗素子の抵抗値との関係を示す。第２テーブルは、第１発光ダイオード２１Ｒの出射光と第３発光ダイオード２１Ｂの出射光とが合成した光の色ランクと、第２混色用抵抗素子の抵抗値との関係を示す。第３テーブルは、第２発光ダイオード２１Ｇの出射光と第３発光ダイオード２１Ｂの出射光とが合成した光の色ランクと、第３混色用抵抗素子の抵抗値との関係を示す。第１〜第３混色用抵抗素子は、ＬＥＤモジュール２０と一体に設けられることが好ましい。また第１〜第３混色用抵抗素子は、ＬＥＤモジュール２０と別体に設けられる、すなわちＬＥＤモジュール２０及びＬＥＤ駆動回路３０が実装される基板に実装されてもよい。この場合、第１〜第３混色用抵抗素子は、基板の配線を介してＬＥＤ駆動回路３０の検出回路３２Ｘに電気的に接続される。
【０２８７】
各発光ダイオード２１Ｒ，２１Ｇ，２１Ｂのうちの２つの発光ダイオードによって作り出される出射光の色ランクは、試験等により例えば４段階に区分される。第１〜第３混色用抵抗素子のそれぞれは、色ランクに応じて４種類の抵抗値の抵抗素子が用意される。なお、各混色用抵抗素子の抵抗値の種類は、任意に変更可能である。例えば、各混色用抵抗素子の抵抗値の種類は、色ランクの数に応じて２種類の抵抗値又は５種類以上の抵抗値であってもよい。
【０２８８】
この構成によれば、検出部３２によって各発光ダイオード２１Ｒ，２１Ｇ，２１Ｂのうちの２つの発光ダイオードによって作り出される出射光の色ランクに関する情報を検出するため、各発光ダイオード２１Ｒ，２１Ｇ，２１Ｂのうちの２つの発光ダイオードによって作り出される出射光の色ランクに関する定量的な情報を取得可能である。そしてその情報に応じた駆動電流を複数の発光ダイオードのそれぞれに供給することによって、２つの発光ダイオードによって作り出される出射光の色むらを抑制できる。したがって、所望の色の光が得られる。
【０２８９】
また、制御装置４０は、各発光ダイオード２１Ｒ，２１Ｇ，２１Ｂのうちの２つの発光ダイオードによって作り出される出射光の色ランクに関する情報に基づいて２つの発光ダイオードによって作り出される出射光の色が所望の色になるように駆動回路３１を制御する。このように、制御装置４０によって２つの発光ダイオードによって作り出される出射光の色が所望の色になるように自動的に調整される。このため、作業者が２つの発光ダイオードによって作り出される出射光の色を所望の色に調整する作業が不要となる。
【０２９０】
・上記変形例において、記憶部４２には、各発光ダイオード２１Ｒ，２１Ｇ，２１Ｂのうちの２つの発光ダイオードによって作り出される出射光の色ランク及び明るさと、混色用抵抗素子の抵抗値との関係を示すテーブルが記憶されてもよい。明るさは、例えば明るい及び暗いといった２段階に区分される。第１〜第３混色用抵抗素子のそれぞれは、色ランク及び明るさに応じて８種類の抵抗値の抵抗素子が用意される。なお、明るさは、３段階以上に区分されてもよい。この明るさの段階数に応じて混色用抵抗素子の抵抗値の種類の数が変更される。
【０２９１】
この構成によれば、検出部３２によって各発光ダイオード２１Ｒ，２１Ｇ，２１Ｂのうちの２つの発光ダイオードによって作り出される出射光の色ランク及び明るさに関する情報を検出する。このため、各発光ダイオード２１Ｒ，２１Ｇ，２１Ｂのうちの２つの発光ダイオードによって作り出される出射光の色ランク及び明るさに関する定量的な情報を取得可能である。そしてその情報に応じた駆動電流を２つの発光ダイオードのそれぞれに供給することによって、２つの発光ダイオードによって作り出される出射光の色むらを抑制できる。したがって、所望の色及び明るさの光が得られる。
【０２９２】
また、制御装置４０は、各発光ダイオード２１Ｒ，２１Ｇ，２１Ｂのうちの２つの発光ダイオードによって作り出される出射光の色ランク及び明るさに関する情報に基づいて２つの発光ダイオードによって作り出される出射光の色及び明るさが所望の色及び明るさになるように駆動回路３１を制御する。このように、制御装置４０によって２つの発光ダイオードによって作り出される出射光の色及び明るさが所望の色及び明るさになるように自動的に調整される。このため、作業者が２つの発光ダイオードによって作り出される出射光の色及び明るさを所望の色及び明るさに調整する作業が不要となる。
【０２９３】
・上記変形例において、記憶部４２には、各発光ダイオード２１Ｒ，２１Ｇ，２１Ｂのうちの２つの発光ダイオードによって作り出される出射光の明るさと、混色用抵抗素子の抵抗値との関係を示すテーブルが記憶されてもよい。明るさは、例えば明るい及び暗いといった２段階に区分される。第１〜第３混色用抵抗素子のそれぞれは、明るさに応じて２種類の抵抗値の抵抗素子が用意される。なお、明るさは、３段階以上に区分されてもよい。この明るさの段階数に応じて混色用抵抗素子の抵抗値の種類の数が変更される。
【０２９４】
この構成によれば、検出部３２によって各発光ダイオード２１Ｒ，２１Ｇ，２１Ｂのうちの２つの発光ダイオードによって作り出される出射光の明るさに関する情報を検出するため、各発光ダイオード２１Ｒ，２１Ｇ，２１Ｂのうちの２つの発光ダイオードによって作り出される出射光の明るさに関する定量的な情報を取得可能である。そしてその情報に応じた駆動電流を２つの発光ダイオードのそれぞれに供給することにより２つの発光ダイオードによって作り出される出射光の色むらを抑制できる。したがって、所望の明るさの光が得られる。
【０２９５】
また、制御装置４０は、各発光ダイオード２１Ｒ，２１Ｇ，２１Ｂのうちの２つの発光ダイオードによって作り出される出射光の明るさに関する情報に基づいて２つの発光ダイオードによって作り出される出射光の明るさが所望の明るさになるように駆動回路３１を制御する。このように、制御装置４０によって２つの発光ダイオードによって作り出される出射光の明るさが所望の明るさになるように自動的に調整される。このため、作業者が２つの発光ダイオードによって作り出される出射光の明るさを所望の明るさに調整する作業が不要となる。
【０２９６】
・第６実施形態において、各発光ダイオード２１Ｒ，２１Ｇ，２１Ｂの明るさが２段階に区分されたが、明るさの段階数は任意に変更可能である。例えば、各発光ダイオード２１Ｒ，２１Ｇ，２１Ｂの明るさを３段階以上に区分してもよい。また第５実施形態の発光ダイオードの明るさも同様に任意に変更可能であり、例えば３段階以上に区分することもできる。
【０２９７】
・上記各実施形態において、発光ダイオードの色ランクが４段階に区分されたが、色ランクの段階数は任意に変更可能である。例えば、発光ダイオードの色ランクを２段階や３段階、又は５段階以上に区分してもよい。
【０２９８】
・上記各実施形態の設定処理において、検出回路３２Ｘ（第１検出回路３２ＲＸ、第２検出回路３２ＧＸ、及び第３検出回路３２ＢＸ）は、抵抗素子５１（抵抗素子５１Ｒ，５１Ｇ，５１Ｂ）に複数回に亘って電流を流し、その複数回の電圧値を取得してもよい。この場合、制御装置４０は、例えば複数回の電圧値の平均値を用いて、抵抗素子５１（抵抗素子５１Ｒ，５１Ｇ，５１Ｂ）の抵抗値（第１抵抗値、第２抵抗値、及び第３抵抗値）を演算する。
【０２９９】
・第１〜第４実施形態において、各発光ダイオード２１Ｒ，２１Ｇ，２１Ｂによって作り出される出射光の明るさが所望の明るさになるように各発光ダイオード２１Ｒ，２１Ｇ，２１Ｂの各ＤＵＴＹ値を調整してもよい。ここで、各発光ダイオード２１Ｒ，２１Ｇ，２１Ｂの明るさのみを変更する場合、各発光ダイオード２１Ｒ，２１Ｇ，２１Ｂの各ＤＵＴＹ値の割合を変更することなく、明るくする場合には各ＤＵＴＹ値を増加させ、暗くする場合には各ＤＵＴＹ値を減少させる。この場合、特性情報として、各発光ダイオード２１Ｒ，２１Ｇ，２１Ｂのそれぞれの明るさの組合せに関する情報を有する。例えば、各発光ダイオード２１Ｒ，２１Ｇ，２１Ｂのそれぞれの明るさの組合せが８通りの場合、抵抗値が互いに異なる８種類の抵抗素子５１が用意される。抵抗素子５１の抵抗値の最小値と最大値との範囲は、１００Ω以上かつ１０ｋΩ以下の範囲で設定されることが好ましい。
【０３００】
このような構成のＬＥＤ駆動回路３０及びＬＥＤ駆動装置１０によれば、検出部３２によって各発光ダイオード２１Ｒ，２１Ｇ，２１Ｂによって作り出される出射光の明るさに関する特性情報を検出するため、各発光ダイオード２１Ｒ，２１Ｇ，２１Ｂによって作り出される出射光の明るさに関する定量的な情報を取得可能である。そしてその情報に応じた電流を各発光ダイオード２１Ｒ，２１Ｇ，２１Ｂのそれぞれに供給することにより各発光ダイオード２１Ｒ，２１Ｇ，２１Ｂによって作り出される出射光の明るさを所望の明るさにし易くなる。したがって、各発光ダイオード２１Ｒ，２１Ｇ，２１Ｂによって作り出される出射光の明るさを所望の明るさで発光させるように容易に調整できる。
【０３０１】
また、制御装置４０は、各発光ダイオード２１Ｒ，２１Ｇ，２１Ｂによって作り出される出射光の明るさに関する特性情報に基づいて各発光ダイオード２１Ｒ，２１Ｇ，２１Ｂによって作り出される出射光の明るさが所望の明るさになるように駆動回路３１を制御する。このように、制御装置４０によって各発光ダイオード２１Ｒ，２１Ｇ，２１Ｂによって作り出される出射光の明るさが所望の明るさになるように自動的に調整される。このため、作業者が２つの発光ダイオードによって作り出される出射光の明るさを所望の明るさに調整する作業が不要となる。
【０３０２】
〔ＬＥＤモジュール〕
・第１〜第４及び第６実施形態において、ＬＥＤモジュール２０は、第１発光ダイオード２１Ｒに並列に接続され、第１発光ダイオード２１Ｒに過度な逆電圧が印加されることを回避するための第３のツェナーダイオードをさらに有してもよい。この場合、第３のツェナーダイオードは、第１アノード側リード６０Ｒに実装される。第３のツェナーダイオードと第１カソード側リード７０Ｒとの電気的な接続構造は、例えば第１のツェナーダイオード２２と第２カソード側リード７０Ｇとの電気的な接続構造と同様である。なお、第３のツェナーダイオードは、第１カソード側リード７０Ｒに実装されてもよい。この場合、第３のツェナーダイオードの底面電極はカソードとなり、表面電極はアノードとなる。表面電極は、ワイヤボンディングにより第１アノード側リード６０Ｒに接続される。
【０３０３】
・第１〜第４及び第６実施形態において、第１のツェナーダイオード２２及び第２のツェナーダイオード２３のうちの少なくとも一方を省略してもよい。この場合、ＬＥＤモジュール２０は、上記変形例の第３のツェナーダイオードを有してもよい。
【０３０４】
・第５実施形態において、ＬＥＤモジュール２０は、上記変形例の第３のツェナーダイオードを有してもよい。
・第１〜第４及び第６実施形態において、ＬＥＤモジュール２０は、第１発光ダイオード２１Ｒ、第２発光ダイオード２１Ｇ、及び第３発光ダイオード２１Ｂのうちの２つの発光ダイオードを有する構成であってもよい。この場合、省略された発光ダイオードに対応するアノード側リード及びカソード側リードが省略される。また第２発光ダイオード２１Ｇ及び第３発光ダイオード２１Ｂの一方が省略された場合、省略された発光ダイオードに対応するツェナーダイオードも省略される。この場合、第１、第４、及び第６実施形態において、抵抗素子５１は、上記変形例の混色の色ランクに応じた抵抗値の混色用抵抗素子が用意される。第２実施形態では、２つの発光ダイオードの出射光の色ランクの組合せに応じた抵抗値の抵抗素子５１が用意される。第３実施形態において、抵抗素子５１Ｒ，５１Ｇ，５１Ｂのうちの省略された発光ダイオードに対応する抵抗素子が省略される。支持リード５２Ｒ、支持リード５２Ｇ、及び支持リード５２Ｂのうちの省略された抵抗素子に対応する支持リードが省略される。
【０３０５】
・第１、第２、及び第６実施形態において、図１７Ａに示すように、ケース８０は、第１開口部８３及び第２開口部８４を有する。第１開口部８３及び第２開口部８４は、第２の方向Ｙにおいて並べられている。第１開口部８３は、ＬＥＤモジュール２０の平面視において略正方形に形成されている。第１開口部８３は、各発光ダイオード２１Ｒ，２１Ｇ，２１Ｂ、第１のツェナーダイオード２２、及び第２のツェナーダイオード２３を収容している。各発光ダイオード２１Ｒ，２１Ｇ，２１Ｂは、第１の方向Ｘ及び第２の方向Ｙにおける第１開口部８３の中央付近に配置されている。第２開口部８４は、ＬＥＤモジュール２０の平面視において第１の方向Ｘが長手方向となる略長方形に形成されている。第２開口部８４は、抵抗素子５１を収容している。第１開口部８３及び第２開口部８４のそれぞれには封止樹脂９０が充填されている。なお、第２開口部８４に封止樹脂９０が充填されていなくてもよい。また図１７Ｂに示すように、ケース８０は、第１開口部８３のみが形成されてもよい。すなわち抵抗素子５１がケース８０の周壁に埋め込まれる構造であってもよい。これら図１７Ａ及び図１７Ｂに示す構成によれば、各発光ダイオード２１Ｒ，２１Ｇ，２１Ｂは、第１の方向Ｘ及び第２の方向Ｙにおける第１開口部８３の中央付近に配置できる。
【０３０６】
なお、第３実施形態についても同様に第１開口部８３及び第２開口部８４を有するケース８０に変更できる。この場合、第２開口部８４は、ＬＥＤモジュール２０の平面視において略正方形又は第２の方向Ｙが長手方向となる略長方形に形成される。また第３実施形態についても同様に第１開口部８３のみが形成されたケース８０に変更できる。また、第５実施形態についても同様に第１開口部８３及び第２開口部８４を有するケース８０に変更できる。この場合、第１開口部８３は１つの発光ダイオードを収容し、第２開口部８４は抵抗素子５１を収容する。また第５実施形態についても同様に第１開口部８３のみを有するケース８０に変更できる。
【０３０７】
・第１、第２、第４、及び第６実施形態において、図１８に示すように、抵抗素子５１は、第２カソード側リード７０Ｇの第２カソード支持部７２Ｇと、第３カソード側リード７０Ｂの第３カソード支持部７２Ｂとを跨るように配置され、第２カソード支持部７２Ｇ及び第３カソード支持部７２Ｂに電気的に接続されてもよい。図１９に示すように、抵抗素子５１は、第２カソード支持部７２Ｇの表面及び第３カソード支持部７２Ｂの表面に配置される、すなわち抵抗素子５１は、第２カソード支持部７２Ｇ及び第３カソード支持部７２Ｂに対してケース８０の裏面８２とは反対側に配置される。この場合、第１発光ダイオード２１Ｒに接続されるワイヤＷ１は、抵抗素子５１を跨ぐように形成される。
【０３０８】
検出回路３２Ｘ（図２参照）は、第２カソード側リード７０Ｇの第２カソード端子部７１Ｇと、第３カソード側リード７０Ｂの第３カソード端子部７１Ｂとに電気的に接続される。このように、第２カソード端子部７１Ｇは第１検出端子を構成し、第３カソード端子部７１Ｂは第２検出端子を構成する。
【０３０９】
・図１８及び図１９に示す変形例において、図２０に示すように、抵抗素子５１をケース８０に埋め込んでもよい。より詳細には、抵抗素子５１は、第２カソード支持部７２Ｇ及び第３カソード支持部７２Ｂに対してケース８０の裏面８２側に配置され、第２カソード支持部７２Ｇ及び第３カソード支持部７２Ｂに電気的に接続される。
【０３１０】
・第４実施形態において、抵抗素子５１は、ＬＥＤモジュール２０の平面視において第２アノード支持部６２Ｇ及び第２カソード支持部７２Ｇのうちの一方と重なり、第２アノード支持部６２Ｇ及び第２カソード支持部７２Ｇのうちの他方と重ならないように配置されてもよい。また抵抗素子５１は、ＬＥＤモジュール２０の平面視において第３アノード支持部６２Ｂ及び第３カソード支持部７２Ｂのうちの一方と重なり、第３アノード支持部６２Ｂ及び第３カソード支持部７２Ｂのうちの他方と重ならないように配置されてもよい。また抵抗素子５１は、ＬＥＤモジュール２０の平面視において第１アノード支持部６２Ｒ及び第１カソード支持部７２Ｒの両方と重なるように配置されてもよい。
【０３１１】
・各実施形態において、第１発光ダイオード２１Ｒが２ワイヤタイプのＬＥＤチップであってもよい。
・第１〜第４及び第６実施形態において、第２発光ダイオード２１Ｇ及び第３発光ダイオード２１Ｂの少なくとも一方が１ワイヤタイプのＬＥＤチップであってもよい。
【０３１２】
・各実施形態において、識別部５０（第１識別部５０Ｒ、第２識別部５０Ｇ、及び第３識別部５０Ｂ）の受動素子として、抵抗素子５１に代えて、ツェナーダイオードやキャパシタであってもよい。
【０３１３】
・上記各実施形態では、アノード側リード６０、カソード側リード７０、及び支持リード５２を樹脂でモールドしたタイプのＬＥＤモジュール２０を例示して説明したが、本発明は、これ以外のタイプのＬＥＤモジュールにも適用可能である。例えば、表面に配線パターンが形成された絶縁基板に発光ダイオード及び抵抗素子が実装され、透光性の樹脂で発光ダイオードが覆われることにより保護された形態のＬＥＤモジュールにも適用可能である。ここで、配線パターンは、上記各実施形態のアノード側リード６０、カソード側リード７０、及び支持リード５２に対応する。絶縁基板としては、ガラスエポキシ基板やセラミック基板が挙げられる。透光性の樹脂は、発光ダイオードに加え、抵抗素子も覆ってもよい。
【０３１４】
・上記第１〜第４及び第６実施形態では、１組の各発光ダイオード２１Ｒ，２１Ｇ，２１Ｂが組み込まれたＬＥＤモジュール２０に識別部５０を設けた構成について説明したが、本発明はこれに限られない。１つのＬＥＤモジュール２０に搭載される発光ダイオードの個数及び識別部の個数は任意に変更可能である。例えば、２組の各発光ダイオード２１Ｒ，２１Ｇ，２１Ｂを１つのパッケージに組み込んだＬＥＤモジュールに、１つ又は２つの識別部５０を設けてもよい。
【０３１５】
・各実施形態において、ＬＥＤモジュール２０と識別部５０（第１識別部５０Ｒ、第２識別部５０Ｇ、及び第３識別部５０Ｂ）とが個別に設けられてもよい。この場合、識別部５０（第１識別部５０Ｒ、第２識別部５０Ｇ、及び第３識別部５０Ｂ）は、ＬＥＤモジュール２０及びＬＥＤ駆動回路３０が実装される基板に実装される。この場合、識別部５０は、基板の配線を介してＬＥＤ駆動回路３０の検出部３２に電気的に接続される。第１識別部５０Ｒ、第２識別部５０Ｇ、及び第３識別部５０Ｂは、基板の配線を介してＬＥＤ駆動回路３０の第１検出回路３２ＲＸ、第２検出回路３２ＧＸ、及び第３検出回路３２ＢＸに電気的に接続される。
【０３１６】
〔ＬＥＤ駆動回路〕
・各実施形態において、ＬＥＤ駆動回路３０は、保護回路１１０をさらに有してもよい。図２１に示すように、保護回路１１０は、第１駆動回路３１Ｒに設けられる。保護回路１１０は、オペアンプ１１１と、検出電圧（例えば０．１Ｖ）を発生させる電源１１２とを有する。オペアンプ１１１の非反転入力端子（＋）は、第１入力端子ＴＲｉｎに接続されている。オペアンプ１１１の反転入力端子（−）は、電源１１２の正極に接続されている。電源１１２の負極は接地されている。オペアンプ１１１の出力端子は、検出端子ＳＤＬに接続されている。検出端子ＳＤＬは制御装置４０に電気的に接続されている。このように、保護回路１１０は、オペアンプ１１１による第１発光ダイオード２１Ｒのカソードの電圧と検出電圧との比較に基づいて、第１発光ダイオード２１Ｒのショートを検出し、第１発光ダイオード２１Ｒがショートであることを検出した場合、異常信号を検出端子ＳＤＬを介して制御装置４０に出力する。なお、図２１に図示していないが、保護回路１１０は、第２駆動回路３１Ｇ及び第３駆動回路３１Ｂにも同様に設けられる。
【０３１７】
制御装置４０は、第１駆動回路３１Ｒの保護回路１１０、第２駆動回路３１Ｇの保護回路１１０、及び第３駆動回路３１Ｂの保護回路１１０のうちの１つから異常信号を受信したとき、各発光ダイオード２１Ｒ，２１Ｇ，２１Ｂの全ての発光を停止してもよい。また制御装置４０は、各駆動回路３１Ｒ，３１Ｇ，３１Ｂの保護回路１１０のうちの異常信号を出力した保護回路１１０に対応する発光ダイオードの発光のみを停止してもよい。
【０３１８】
（付記）
上記各実施形態及び上記各変形例から把握することができる技術的思想について以下に記載する。
【０３１９】
（付記Ａ１）
少なくとも１つの発光ダイオードと、
前記発光ダイオードの発光特性に関する特性情報を有する識別部と、
を備えるＬＥＤモジュール。
【０３２０】
（付記Ａ２）
前記発光ダイオードは、複数の前記発光ダイオードを有し、
前記識別部は、前記特性情報として前記複数の発光ダイオードによって作り出される出射光の色ランクに関する情報と、前記複数の発光ダイオードによって作り出される出射光の明るさに関する情報との少なくとも一方を有する
付記Ａ１に記載のＬＥＤモジュール。
【０３２１】
（付記Ａ３）
前記発光ダイオードは、赤色の光を発する第１発光ダイオード、緑色の光を発する第２発光ダイオード、及び青色の光を発する第３発光ダイオードを含み、
前記識別部は、前記特性情報として前記第１発光ダイオード、前記第２発光ダイオード、及び前記第３発光ダイオードによって作り出される出射光の色ランクに関する情報と、前記第１発光ダイオード、前記第２発光ダイオード、及び前記第３発光ダイオードによって作り出される出射光の明るさに関する情報との少なくとも一方を有する
付記Ａ２に記載のＬＥＤモジュール。
【０３２２】
（付記Ａ４）
前記識別部は、前記発光特性に応じた特性値を有する受動素子として抵抗素子を有する
付記Ａ１〜付記Ａ３のいずれか１つに記載のＬＥＤモジュール。
【０３２３】
（付記Ｂ１）
少なくとも１つの発光ダイオードと、
受動素子と、
を備えるＬＥＤモジュールの製造方法であって、
前記受動素子として複数種類の特性値の受動素子が用意され、前記発光ダイオードの前記発光特性に基づいて前記複数種類の特性値の受動素子のうちの１つの受動素子を選択する素子選択工程を有する
ＬＥＤモジュールの製造方法。
【０３２４】
（付記Ｂ２）
前記発光ダイオードとして、赤色の光を発する第１発光ダイオード、緑色の光を発する第２発光ダイオード、及び青色の光を発する第３発光ダイオードを有し、
前記素子選択工程において、前記受動素子として複数種類の特性値の受動素子が用意され、前記第１発光ダイオード、前記第２発光ダイオード、及び前記第３発光ダイオードによって作り出される出射光の色ランク及び明るさの少なくとも一方に関する情報に基づいて前記複数種類の特性値の受動素子のうちの１つの受動素子を選択する
付記Ｂ１に記載のＬＥＤモジュールの製造方法。
【０３２５】
（付記Ｂ３）
赤色の光を発する第１発光ダイオード、緑色の光を発する第２発光ダイオード、及び青色の光を発する第３発光ダイオードと、
前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方に応じた特性値を有する受動素子と、
を備えるＬＥＤモジュールの製造方法であって、
前記受動素子として複数種類の特性値の受動素子が用意され、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方に基づいて前記複数種類の特性値の受動素子のうちの１つの受動素子を選択する素子選択工程を有する
ＬＥＤモジュールの製造方法。
【０３２６】
（付記Ｃ１）
前記駆動信号は、前記特性情報に応じたＤＵＴＹのパルス信号として供給され、
前記駆動回路は、前記発光ダイオードに接続されるスイッチング素子を有し、前記スイッチング素子を前記駆動信号に応じてオンオフして前記発光ダイオードに前記特性情報に応じた駆動電流を供給する
請求項１に記載のＬＥＤ駆動回路。
【０３２７】
（付記Ｃ２）
前記駆動信号は、前記特性情報に応じたＤＵＴＹのパルス信号として供給され、
前記駆動回路は、前記発光ダイオードに接続されるスイッチング素子を有し、前記スイッチング素子を前記駆動信号に応じてオンオフして前記発光ダイオードに前記特性情報に応じた駆動電流を供給する
請求項７に記載のＬＥＤ駆動装置。
【０３２８】
（付記Ｃ３）
前記制御装置は、前記特性情報に対応するＤＵＴＹ値を記憶し、前記特性情報に対応するＤＵＴＹ値のパルス信号を前記駆動信号として出力し、
前記駆動回路は、前記発光ダイオードに接続されるスイッチング素子を有し、前記スイッチング素子を前記駆動信号に応じてオンオフして前記発光ダイオードに前記特性情報に応じた駆動電流を供給する
請求項１５に記載のＬＥＤ駆動システム。
【０３２９】
（付記Ｄ１）
複数の発光ダイオードと、
前記発光ダイオードのアノードに接続されるアノード側電極と、
前記発光ダイオードのカソードに接続されるカソード側電極と、
受動素子と、
前記発光ダイオード、前記アノード側電極、前記カソード側電極、及び前記受動素子を支持する支持部材と、
前記複数の発光ダイオードを覆う透光性の保護部材と、
を有し、
前記ＬＥＤモジュールの高さ方向において、前記受動素子は、前記アノード側電極及び前記カソード側電極と間隔をあけて配置され、
前記受動素子と前記アノード側電極及び前記カソード側電極との前記高さ方向の間には、前記ケースの一部が介在している
ＬＥＤモジュール。
【０３３０】
（付記Ｅ１）
複数の発光ダイオードと、
前記発光ダイオードのアノードに接続されるアノード側電極と、
前記発光ダイオードのカソードに接続されるカソード側電極と、
受動素子と、
前記発光ダイオード、前記アノード側電極、前記カソード側電極、及び前記受動素子を支持する支持部材と、
を有するＬＥＤモジュールの製造方法であって、
前記アノード側電極及び前記カソード側電極を形成する電極製造工程と、
前記電極製造工程において形成された前記アノード側電極又は前記カソード側電極に前記発光ダイオードを実装する実装工程と、
前記受動素子を配置する素子配置工程と、
前記支持部材を形成する支持部材成形工程と、
を有するＬＥＤモジュールの製造方法。
【０３３１】
（付記Ｅ２）
前記受動素子を支持する支持電極をさらに有し、
前記電極製造工程において、前記支持電極が形成され、
前記素子配置工程において、前記支持電極に前記受動素子が実装される
付記Ｅ１に記載のＬＥＤモジュールの製造方法。
【０３３２】
（付記Ｅ３）
前記電極製造工程において、前記アノード側電極、前記カソード側電極、及び前記支持電極が一体に形成される
付記Ｅ２に記載のＬＥＤモジュールの製造方法。
【０３３３】
（付記Ｅ４）
前記素子配置工程において、前記受動素子として複数種類の特性値の受動素子が用意され、前記発光ダイオードの色ランク及び明るさの少なくとも一方に関する情報に基づいて前記複数種類の特性値の受動素子のうちの１つの受動素子を選択する
付記Ｅ１〜Ｅ３のいずれか１つに記載のＬＥＤモジュールの製造方法。
【０３３４】
（付記Ｅ５）
前記発光ダイオードとして、赤色の光を発する第１発光ダイオード、緑色の光を発する第２発光ダイオード、及び青色の光を発する第３発光ダイオードを有し、
前記素子配置工程において、前記受動素子として複数種類の特性値の受動素子が用意され、前記第１発光ダイオード、前記第２発光ダイオード、及び前記第３発光ダイオードによって作り出される出射光の色ランク及び明るさの少なくとも一方に関する情報に基づいて前記複数種類の特性値の受動素子のうちの１つの受動素子を選択する
付記Ｅ１〜Ｅ３のいずれか１つに記載のＬＥＤモジュールの製造方法。
【０３３５】
（付記Ｅ６）
前記発光ダイオードとして、赤色の光を発する第１発光ダイオード、緑色の光を発する第２発光ダイオード、及び青色の光を発する第３発光ダイオードを有し、
前記素子配置工程において、前記受動素子として複数種類の特性値の受動素子が用意され、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方に基づいて前記複数種類の特性値の受動素子のうちの１つの受動素子を選択する
付記Ｅ１〜Ｅ３のいずれか１つに記載のＬＥＤモジュールの製造方法。
【０３３６】
（付記Ｅ７）
少なくとも１つの発光ダイオードと、
前記発光ダイオードの発光特性に応じた特性値を有する受動素子と、
を備えるＬＥＤモジュールの製造方法であって、
前記受動素子として複数種類の特性値の受動素子が用意され、前記発光ダイオードの前記発光特性に基づいて前記複数種類の特性値の受動素子のうちの１つの受動素子を選択する素子選択工程を有する
ＬＥＤモジュールの製造方法。
【０３３７】
（付記Ｅ８）
赤色の光を発する第１発光ダイオード、緑色の光を発する第２発光ダイオード、及び青色の光を発する第３発光ダイオードと、
前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方に応じた特性値を有する受動素子と、
を備えるＬＥＤモジュールの製造方法であって、
前記受動素子として複数種類の特性値の受動素子が用意され、前記第１発光ダイオードの出射光の色ランク、前記第２発光ダイオードの出射光の色ランク、及び前記第３発光ダイオードの出射光の色ランクの組合せに関する情報と、前記第１発光ダイオードの出射光の明るさ、前記第２発光ダイオードの出射光の明るさ、及び前記第３発光ダイオードの出射光の明るさの組合せに関する情報との少なくとも一方に基づいて前記複数種類の特性値の受動素子のうちの１つの受動素子を選択する素子選択工程を有する
ＬＥＤモジュールの製造方法。
【符号の説明】
【０３３８】
１…ＬＥＤ駆動システム
１０…ＬＥＤ駆動装置
２０…ＬＥＤモジュール
２１Ｒ…第１発光ダイオード（発光ダイオード）
２１Ｇ…第２発光ダイオード（発光ダイオード）
２１Ｂ…第３発光ダイオード（発光ダイオード）
２２…第１のツェナーダイオード（ツェナーダイオード）
２３…第２のツェナーダイオード（ツェナーダイオード）
３０…ＬＥＤ駆動回路
３１…駆動回路
３１Ｒ…第１駆動回路
３１Ｇ…第２駆動回路
３１Ｂ…第３駆動回路
３２…検出部
３２Ｘ…検出回路
３２ＲＸ…第１検出回路（検出回路）
３２ＧＸ…第２検出回路（検出回路）
３２ＢＸ…第３検出回路（検出回路）
３２Ｙ…Ａ／Ｄ変換部（変換回路）
３２ＲＹ…第１Ａ／Ｄ変換部（変換回路）
３２ＧＹ…第２Ａ／Ｄ変換部（変換回路）
３２ＢＹ…第３Ａ／Ｄ変換部（変換回路）
４０…制御装置
５０…識別部
５０Ｒ…第１識別部（識別部）
５０Ｇ…第２識別部（識別部）
５０Ｂ…第３識別部（識別部）
５１，５１Ｒ，５１Ｇ，５１Ｂ…抵抗素子（受動素子）
５１ａ…第１端子
５１ｂ…第２端子
５２，５２Ｒ，５２Ｇ，５２Ｂ…支持リード（支持電極）
５３，５３Ｒ，５３Ｇ，５３Ｂ…第１支持リード（第１支持電極）
５３ａ…第１端子部
５３ｂ…第１支持部
５４，５４Ｒ，５４Ｇ，５４Ｂ…第２支持リード（第２支持電極）
５４ａ…第２端子部
５４ｂ…第２支持部
５５ａ…第１端子部
５５ｂ…第１支持部
５６ａ…第２端子部
５６ｂ…第２支持部
５７Ａ…第１検出端子
５７Ｂ…第２検出端子
５８Ａ…第１配線
５８Ｂ…第２配線
６０…アノード側リード（アノード側電極）
６０Ｒ…第１アノード側リード（第１アノード側電極）
６０Ｇ…第２アノード側リード（第２アノード側電極）
６０Ｂ…第３アノード側リード（第３アノード側電極）
６１Ｒ…第１アノード端子部（アノード端子部）
６１Ｇ…第２アノード端子部（アノード端子部）
６１Ｂ…第３アノード端子部（アノード端子部）
６２Ｒ…第１アノード支持部（アノード支持部）
６２Ｇ…第２アノード支持部（アノード支持部）
６２Ｂ…第３アノード支持部（アノード支持部）
７０…カソード側リード（カソード側電極）
７０Ｒ…第１カソード側リード（第１カソード側電極）
７０Ｇ…第２カソード側リード（第２カソード側電極）
７０Ｂ…第３カソード側リード（第３カソード側電極）
７１Ｒ…第１カソード端子部（カソード端子部）
７１Ｇ…第２カソード端子部（カソード端子部）
７１Ｂ…第３カソード端子部（カソード端子部）
７２Ｒ…第１カソード支持部（カソード支持部）
７２Ｇ…第２カソード支持部（カソード支持部）
７２Ｂ…第３カソード支持部（カソード支持部）
８０…ケース（支持部材）
８２…裏面
８３…第１開口部
８４…第２開口部
９０…封止部材（保護部材）
Ｘ…第１の方向
Ｙ…第２の方向
Ｚ…第３の方向（高さ方向）
【図１】
2018143282.tif 000013
【図２】
2018143282.tif 000014
【図３】
2018143282.tif 000015
【図４】
2018143282.tif 000016
【図５】
2018143282.tif 000017
【図６】
2018143282.tif 000018
【図７Ａ】
2018143282.tif 000019
【図７Ｂ】
2018143282.tif 000020
【図７Ｃ】
2018143282.tif 000021
【図７Ｄ】
2018143282.tif 000022
【図８】
2018143282.tif 000023
【図９Ａ】
2018143282.tif 000024
【図９Ｂ】
2018143282.tif 000025
【図９Ｃ】
2018143282.tif 000026
【図９Ｄ】
2018143282.tif 000027
【図９Ｅ】
2018143282.tif 000028
【図９Ｆ】
2018143282.tif 000029
【図１０】
2018143282.tif 000030
【図１１】
2018143282.tif 000031
【図１２】
2018143282.tif 000032
【図１３】
2018143282.tif 000033
【図１４Ａ】
2018143282.tif 000034
【図１４Ｂ】
2018143282.tif 000035
【図１５】
2018143282.tif 000036
【図１６】
2018143282.tif 000037
【図１７Ａ】
2018143282.tif 000038
【図１７Ｂ】
2018143282.tif 000039
【図１８】
2018143282.tif 000040
【図１９】
2018143282.tif 000041
【図２０】
2018143282.tif 000042
【図２１】
2018143282.tif 000043
【国際調査報告】
2018143282.tif 000044
2018143282.tif 000045
2018143282.tif 000046
2018143282.tif 000047